(57)【要約】  この出願の実施形態は、ハンドオーバプロセスにおける端末デバイスのデータ伝送の信頼性を改善し、通信効率を改善するための、データ伝送方法、無線アクセスネットワークデバイス及び端末デバイスを開示する。この出願の実施形態は、データ伝送方法を提供し、第1の無線アクセスネットワークデバイスにより、第1の端末デバイスにより送信された第1の端末デバイスのトラフィックモデル情報を受信するステップと、第1の無線アクセスネットワークデバイスにより、第1の端末デバイスのトラフィックモデル情報を第2の無線アクセスネットワークデバイスに送信するステップと、第1の無線アクセスネットワークデバイスにより、第2の無線アクセスネットワークデバイスにより送信された第1のリソース構成情報を受信するステップであり、第1のリソース構成情報は、ハンドオーバプロセスにおいてサイドリンク上でデータを伝送するために第1の端末デバイスにより必要とされる伝送リソースを含む、ステップと、第1の無線アクセスネットワークデバイスにより、構成メッセージを第1の端末デバイスに送信するステップであり、構成メッセージは、第1のリソース構成情報を含むか、或いは、構成メッセージは、第1のリソース構成情報に基づいて第1の無線アクセスネットワークデバイスにより生成された第2のリソース構成情報を含む、ステップとを含む。
2021535684.tif 000002
【特許請求の範囲】
【請求項１】
データ伝送方法であって、
当該方法は、第1の無線アクセスネットワークデバイスに適用され、
前記第1の無線アクセスネットワークデバイスにより、第1の端末デバイスにより送信された前記第1の端末デバイスのトラフィックモデル情報を受信するステップと、
前記第1の無線アクセスネットワークデバイスにより、前記第1の端末デバイスの前記トラフィックモデル情報を第2の無線アクセスネットワークデバイスに送信するステップと、
前記第1の無線アクセスネットワークデバイスにより、前記第2の無線アクセスネットワークデバイスにより送信された第1のリソース構成情報を受信するステップであり、前記第1のリソース構成情報は、ハンドオーバプロセスにおいてサイドリンクSL上でデータを伝送するために前記第1の端末デバイスにより必要とされる伝送リソースを含み、前記ハンドオーバプロセスは、前記第1の端末デバイスが前記第1の無線アクセスネットワークデバイスから前記第2の無線アクセスネットワークデバイスにハンドオーバされるプロセスであり、前記サイドリンクは、前記第1の端末デバイスと第2の端末デバイスとの間の通信リンクである、ステップと、
前記第1の無線アクセスネットワークデバイスにより、構成メッセージを前記第1の端末デバイスに送信するステップと
を含み、
前記構成メッセージは、前記第1のリソース構成情報を含むか、或いは、
前記構成メッセージは、第1のリソース構成情報に基づいて前記第1の無線アクセスネットワークデバイスにより生成された第2のリソース構成情報を含み、前記第2のリソース構成情報は、前記ハンドオーバプロセスにおいて前記サイドリンク上でデータを伝送するために前記第1の端末デバイスにより必要とされる前記伝送リソースを含む、方法。
【請求項２】
当該方法は、以下の動作、すなわち、
前記第1の無線アクセスネットワークデバイスにより、前記第1の端末デバイスによりサポートされる周波数に関する情報を前記第2の無線アクセスネットワークデバイスに送信すること、
前記第1の無線アクセスネットワークデバイスにより、前記第1の端末デバイスにより生成されたチャネルビジー比CBR測定結果を前記第2の無線アクセスネットワークデバイスに送信すること、
前記第1の無線アクセスネットワークデバイスにより、前記第1の端末デバイスの位置情報を前記第2の無線アクセスネットワークデバイスに送信すること、
前記第1の無線アクセスネットワークデバイスにより、ノード間同期情報を前記第2の無線アクセスネットワークデバイスに送信することであり、前記ノード間同期情報は、前記第1の無線アクセスネットワークデバイスと前記第2の無線アクセスネットワークデバイスとの間のシステムフレーム番号SFNオフセットに関する情報を示すために使用される、こと、又は
前記第1の無線アクセスネットワークデバイスにより、ネットワーク標準要求情報を前記第2の無線アクセスネットワークデバイスに送信することであり、前記ネットワーク標準要求情報は、前記第2の無線アクセスネットワークデバイスから前記伝送リソースに対応するネットワーク標準を要求するために使用される、こと
のうちいずれか1つ以上を更に含む、請求項１に記載の方法。
【請求項３】
以下の情報、すなわち、前記トラフィックモデル情報、前記第1の端末デバイスによりサポートされる前記周波数に関する前記情報、前記CBR測定結果、前記第1の端末デバイスの前記位置情報、前記ノード間同期情報又は前記ネットワーク標準要求情報のうちいずれか1つ以上がハンドオーバ要求で搬送され、
前記ハンドオーバ要求は、前記第1の無線アクセスネットワークデバイスにより前記第2の無線アクセスネットワークデバイスに送信される、請求項１又は２に記載の方法。
【請求項４】
当該方法は、
前記第1の無線アクセスネットワークデバイスにより、前記第2の無線アクセスネットワークデバイスにより送信されたネットワーク標準指示情報を受信するステップであり、前記ネットワーク標準指示情報は、前記伝送リソースに対応する前記ネットワーク標準を示すために使用される、ステップ、又は
前記第1の無線アクセスネットワークデバイスにより、前記第2の無線アクセスネットワークデバイスにより送信された第3のリソース構成情報を受信するステップであり、前記第3のリソース構成情報は、以下の情報、すなわち、キャリアアグリゲーションCA構成情報又はデュプリケーション構成情報のうち少なくとも1つを含む、ステップ
を更に含む、請求項１乃至３のうちいずれか１項に記載の方法。
【請求項５】
データ伝送方法であって、
当該方法は、第2の無線アクセスネットワークデバイスに適用され、
前記第2の無線アクセスネットワークデバイスにより、第1の無線アクセスネットワークデバイスにより送信された第1の端末デバイスのトラフィックモデル情報を受信するステップと、
前記第2の無線アクセスネットワークデバイスにより、前記第1の端末デバイスの前記トラフィックモデル情報に基づいて、ハンドオーバプロセスにおいてサイドリンクSL上でデータを伝送するために前記第1の端末デバイスにより必要とされる伝送リソースを決定するステップであり、前記ハンドオーバプロセスは、前記第1の端末デバイスが前記第1の無線アクセスネットワークデバイスから前記第2の無線アクセスネットワークデバイスにハンドオーバされるプロセスであり、前記サイドリンクは、前記第1の端末デバイスと第2の端末デバイスとの間の通信リンクである、ステップと、
前記第2の無線アクセスネットワークデバイスにより、第1のリソース構成情報を前記第1の無線アクセスネットワークデバイスに送信するステップであり、前記第1のリソース構成情報は伝送リソースを含む、ステップと
を含む方法。
【請求項６】
当該方法は、
前記第2の無線アクセスネットワークデバイスにより、前記第1の無線アクセスネットワークデバイスにより送信された、前記第1の端末デバイスによりサポートされる周波数に関する情報を受信するステップ、
前記第2の無線アクセスネットワークデバイスにより、前記第1の無線アクセスネットワークデバイスにより送信された、前記第1の端末デバイスにより生成されたチャネルビジー比CBR測定結果を受信するステップ、
前記第2の無線アクセスネットワークデバイスにより、前記第1の無線アクセスネットワークデバイスにより送信された前記第1の端末デバイスの位置情報を受信するステップ、
前記第2の無線アクセスネットワークデバイスにより、前記第1の無線アクセスネットワークデバイスにより送信されたノード間同期情報を受信するステップであり、前記ノード間同期情報は、前記第1の無線アクセスネットワークデバイスと前記第2の無線アクセスネットワークデバイスとの間のシステムフレーム番号SFNオフセットに関する情報を示すために使用される、ステップ、又は
前記第2の無線アクセスネットワークデバイスにより、前記第1の無線アクセスネットワークデバイスにより送信されたネットワーク標準要求情報を受信するステップであり、前記ネットワーク標準要求情報は、前記第2の無線アクセスネットワークデバイスから伝送リソースに対応するネットワーク標準を要求するために使用される、ステップ
を更に含む、請求項５に記載の方法。
【請求項７】
当該方法は、
前記第2の無線アクセスネットワークデバイスにより、前記第1の端末デバイスによりサポートされる前記周波数に関する前記情報に基づいて、前記第1の端末デバイスのためのキャリアを構成するステップ、
前記第2の無線アクセスネットワークデバイスにより、前記CBR測定結果に基づいて、前記第1の端末デバイスのための前記伝送リソースの位置を決定するステップ、
前記第2の無線アクセスネットワークデバイスにより、前記第1の端末デバイスについて、前記第1の端末デバイスの前記位置情報に基づいて、前記第1の端末デバイスが位置するエリアに対応するリソース位置を決定するステップ、又は
前記第2の無線アクセスネットワークデバイスにより、前記ノード間同期情報に基づいて前記伝送リソースの時間ドメイン位置を修正するステップ
を更に含む、請求項６に記載の方法。
【請求項８】
当該方法は、
前記第2の無線アクセスネットワークデバイスにより、ネットワーク標準指示情報を前記第1の無線アクセスネットワークデバイスに送信するステップであり、前記ネットワーク標準指示情報は、前記伝送リソースに対応する前記ネットワーク標準を示すために使用される、ステップ、又は
前記第2の無線アクセスネットワークデバイスにより、第3のリソース構成情報を前記第1の無線アクセスネットワークデバイスに送信するステップであり、前記第3のリソース構成情報は、以下の情報、すなわち、キャリアアグリゲーションCA構成情報又はデュプリケーション構成情報のうち少なくとも1つを含む、ステップ
を更に含む、請求項５乃至７のうちいずれか１項に記載の方法。
【請求項９】
データ伝送方法であって、
当該方法は、第1の端末デバイスに適用され、
前記第1の端末デバイスにより、前記第1の端末デバイスのトラフィックモデル情報を第1の無線アクセスネットワークデバイスに送信するステップと、
前記第1の端末デバイスにより、前記第1の無線アクセスネットワークデバイスにより送信された構成メッセージを受信するステップであり、前記構成メッセージは、第1のリソース構成情報を含むか、或いは、前記構成メッセージは、第1のリソース構成情報に基づいて前記第1の無線アクセスネットワークデバイスにより生成された第2のリソース構成情報を含み、前記第1のリソース構成情報は、ハンドオーバプロセスにおいてサイドリンクSL上でデータを伝送するために前記第1の端末デバイスにより必要とされる伝送リソースを含み、前記ハンドオーバプロセスは、前記第1の端末デバイスが前記第1の無線アクセスネットワークデバイスから第2の無線アクセスネットワークデバイスにハンドオーバされるプロセスであり、前記サイドリンクは、前記第1の端末デバイスと第2の端末デバイスとの間の通信リンクであり、前記第2のリソース構成情報は、前記ハンドオーバプロセスにおいて前記サイドリンク上でデータを伝送するために前記第1の端末デバイスにより必要とされる前記伝送リソースを含む、ステップと、
前記第1の端末デバイスにより、前記伝送リソースを使用することによりデータを前記第2の端末デバイスに伝送するステップと
を含む方法。
【請求項１０】
当該方法は、以下の動作、すなわち、
前記第1の端末デバイスにより、前記第1の端末デバイスによりサポートされる周波数に関する情報を前記第1の無線アクセスネットワークデバイスに送信すること、
前記第1の端末デバイスにより、前記第1の端末デバイスにより生成されたチャネルビジー比CBR測定結果を前記第1の無線アクセスネットワークデバイスに送信すること、
前記第1の端末デバイスにより、前記第1の端末デバイスの位置情報を前記第1の無線アクセスネットワークデバイスに送信すること、
前記第1の端末デバイスにより、ノード間同期情報を前記第1の無線アクセスネットワークデバイスに送信することであり、前記ノード間同期情報は、前記第1の無線アクセスネットワークデバイスと前記第2の無線アクセスネットワークデバイスとの間のシステムフレーム番号SFNオフセットに関する情報を示すために使用される、こと、又は
前記第1の端末デバイスにより、ネットワーク標準要求情報を前記第1の無線アクセスネットワークデバイスに送信することであり、前記ネットワーク標準要求情報は、前記第2の無線アクセスネットワークデバイスから前記伝送リソースに対応するネットワーク標準を要求するために使用される、こと
のうちいずれか1つ以上を更に含む、請求項９に記載の方法。
【請求項１１】
当該方法は、
前記第1の端末デバイスにより、前記第1の無線アクセスネットワークデバイスにより送信されたネットワーク標準指示情報を受信するステップであり、前記ネットワーク標準指示情報は、前記伝送リソースに対応する前記ネットワーク標準を示すために使用される、ステップ、又は
前記第1の端末デバイスにより、前記第1の無線アクセスネットワークデバイスにより送信された第3のリソース構成情報を受信するステップであり、前記第3のリソース構成情報は、以下の情報、すなわち、キャリアアグリゲーションCA構成情報又はデュプリケーション構成情報のうち少なくとも1つを含む、ステップ
を更に含む、請求項９又は１０に記載の方法。
【請求項１２】
前記第1の端末デバイスにより、前記伝送リソースを使用することによりデータを前記第2の端末デバイスに伝送するステップは、
前記第1の端末デバイスが伝送のためにモード3を使用するとき、前記第1の端末デバイスにより、前記構成メッセージが前記第1の端末デバイスにより受信される時点から前記第1の端末デバイスがハンドオーバされるセルが再構成される時点まで、前記伝送リソースを使用することによりデータを前記第2の端末デバイスに伝送するステップ、又は
前記第1の端末デバイスが伝送のためにモード4を使用するとき、前記第1の端末デバイスにより、前記構成メッセージが前記第1の端末デバイスにより受信される時点から検知されたリソースが前記第1の端末デバイスにより取得される時点まで、前記伝送リソースを使用することによりデータを前記第2の端末デバイスに伝送するステップ
を含む、請求項９乃至１１のうちいずれか１項に記載の方法。
【請求項１３】
前記第1の無線アクセスネットワークデバイスとコアネットワークデバイスとの間に通信接続が確立され、前記第2の無線アクセスネットワークデバイスと前記コアネットワークデバイスとの間に通信接続が確立され、
情報は、前記コアネットワークデバイスを使用することにより、前記第1の無線アクセスネットワークデバイスと前記第2の無線アクセスネットワークデバイスとの間で転送される、請求項１乃至１２のうちいずれか１項に記載の方法。
【請求項１４】
前記トラフィックモデル情報は、以下の情報、すなわち、トラフィック周期情報、システムフレーム番号に対するトラフィックの時間オフセットに関する情報、サイドリンクデータパケット優先度PPPP情報、サイドリンクデータパケット信頼性PPPR情報又はトラフィックパケットサイズ情報のうちいずれか1つ以上を含む、請求項１乃至１３のうちいずれか１項に記載の方法。
【請求項１５】
前記第2の無線アクセスネットワークデバイスにより、前記第1の端末デバイスの前記トラフィックモデル情報に基づいて、ハンドオーバプロセスにおいてサイドリンクSL上でデータを伝送するために前記第1の端末デバイスにより必要とされる伝送リソースを決定するステップは、
前記第2の無線アクセスネットワークデバイスにより、前記トラフィック周期情報に基づいて前記伝送リソースのリソース周期を決定するステップ、
前記第2の無線アクセスネットワークデバイスにより、前記システムフレーム番号に対する前記トラフィックの前記時間オフセットに関する前記情報に基づいて、開始システムフレーム番号に対する前記伝送リソースの時間ドメイン位置を決定するステップ、
前記第2の無線アクセスネットワークデバイスにより、前記PPPP情報に基づいて、前記伝送リソース上で搬送されるデータの優先度を決定するステップ、
前記第2の無線アクセスネットワークデバイスにより、前記PPPR情報に基づいて、前記伝送リソースに対応する信頼性要件及び前記伝送リソースに対応するチャネル品質を決定するステップ、又は
前記第2の無線アクセスネットワークデバイスにより、前記トラフィックパケットサイズ情報に基づいて、前記伝送リソース上で搬送されるトラフィックデータの量を決定するステップ
を含む、請求項１４に記載の方法。
【請求項１６】
無線アクセスネットワークデバイスであって、
当該無線アクセスネットワークデバイスは、具体的には第1の無線アクセスネットワークデバイスであり、前記第1の無線アクセスネットワークデバイスは、
第1の端末デバイスにより送信された前記第1の端末デバイスのトラフィックモデル情報を受信するように構成された受信モジュールと、
前記第1の端末デバイスの前記トラフィックモデル情報を第2の無線アクセスネットワークデバイスに送信するように構成された送信モジュールと
を含み、
前記受信モジュールは、前記第2の無線アクセスネットワークデバイスにより送信された第1のリソース構成情報を受信するように構成され、
前記第1のリソース構成情報に基づいて、ハンドオーバプロセスにおいてサイドリンクSL上でデータを伝送するために前記第1の端末デバイスにより必要とされる伝送リソースを決定するように構成された処理モジュールであり、前記ハンドオーバプロセスは、前記第1の端末デバイスが前記第1の無線アクセスネットワークデバイスから前記第2の無線アクセスネットワークデバイスにハンドオーバされるプロセスであり、前記サイドリンクは、前記第1の端末デバイスと第2の端末デバイスとの間の通信リンクである、処理モジュールを含み、
前記送信モジュールは、構成メッセージを第1の端末デバイスに送信するように構成され、
前記構成メッセージは、前記第1のリソース構成情報を含むか、或いは、
前記構成メッセージは、第1のリソース構成情報に基づいて前記第1の無線アクセスネットワークデバイスにより生成された第2のリソース構成情報を含み、前記第2のリソース構成情報は、前記ハンドオーバプロセスにおいて前記サイドリンク上でデータを伝送するために前記第1の端末デバイスにより必要とされる前記伝送リソースを含む、無線アクセスネットワークデバイス。
【請求項１７】
前記送信モジュールは、以下の動作、すなわち、
前記第1の端末デバイスによりサポートされる周波数に関する情報を前記第2の無線アクセスネットワークデバイスに送信すること、
前記第1の端末デバイスにより生成されたチャネルビジー比CBR測定結果を前記第2の無線アクセスネットワークデバイスに送信すること、
前記第1の端末デバイスの位置情報を前記第2の無線アクセスネットワークデバイスに送信すること、
ノード間同期情報を前記第2の無線アクセスネットワークデバイスに送信することであり、前記ノード間同期情報は、前記第1の無線アクセスネットワークデバイスと前記第2の無線アクセスネットワークデバイスとの間のシステムフレーム番号SFNオフセットに関する情報を示すために使用される、こと、又は
ネットワーク標準要求情報を前記第2の無線アクセスネットワークデバイスに送信することであり、前記ネットワーク標準要求情報は、前記第2の無線アクセスネットワークデバイスから前記伝送リソースに対応するネットワーク標準を要求するために使用される、こと
のうちいずれか1つ以上を実行するように更に構成される、請求項１６に記載の無線アクセスネットワークデバイス。
【請求項１８】
以下の情報、すなわち、前記トラフィックモデル情報、前記第1の端末デバイスによりサポートされる前記周波数に関する前記情報、前記CBR測定結果、前記第1の端末デバイスの前記位置情報、前記ノード間同期情報又は前記ネットワーク標準要求情報のうちいずれか1つ以上がハンドオーバ要求で搬送され、
前記ハンドオーバ要求は、前記第1の無線アクセスネットワークデバイスにより前記第2の無線アクセスネットワークデバイスに送信される、請求項１６又は１７に記載の無線アクセスネットワークデバイス。
【請求項１９】
前記受信モジュールは、以下の動作、すなわち、
前記第2の無線アクセスネットワークデバイスにより送信されたネットワーク標準指示情報を受信することであり、前記ネットワーク標準指示情報は、前記伝送リソースに対応する前記ネットワーク標準を示すために使用される、こと、又は
前記第2の無線アクセスネットワークデバイスにより送信された第3のリソース構成情報を受信することであり、前記第3のリソース構成情報は、以下の情報、すなわち、キャリアアグリゲーションCA構成情報又はデュプリケーション構成情報のうち少なくとも1つを含む、こと
を実行するように更に構成される、請求項１６乃至１８のうちいずれか１項に記載の無線アクセスネットワークデバイス。
【請求項２０】
無線アクセスネットワークデバイスであって、
当該無線アクセスネットワークデバイスは、具体的には第2の無線アクセスネットワークデバイスであり、前記第2の無線アクセスネットワークデバイスは、
第1の無線アクセスネットワークデバイスにより送信された第1の端末デバイスのトラフィックモデル情報を受信するように構成された受信モジュールと、
前記第1の端末デバイスの前記トラフィックモデル情報に基づいて、ハンドオーバプロセスにおいてサイドリンクSL上でデータを伝送するために前記第1の端末デバイスにより必要とされる伝送リソースを決定するように構成された処理モジュールであり、前記ハンドオーバプロセスは、前記第1の端末デバイスが前記第1の無線アクセスネットワークデバイスから前記第2の無線アクセスネットワークデバイスにハンドオーバされるプロセスであり、前記サイドリンクは、前記第1の端末デバイスと第2の端末デバイスとの間の通信リンクである、処理モジュールと、
第1のリソース構成情報を前記第1の無線アクセスネットワークデバイスに送信するように構成された送信モジュールであり、前記第1のリソース構成情報は前記伝送リソースを含む、送信モジュールと
を含む無線アクセスネットワークデバイス。
【請求項２１】
前記受信モジュールは、以下の動作、すなわち、
前記第1の無線アクセスネットワークデバイスにより送信された、前記第1の端末デバイスによりサポートされる周波数に関する情報を受信すること、
前記第1の無線アクセスネットワークデバイスにより送信された、前記第1の端末デバイスにより生成されたチャネルビジー比CBR測定結果を受信すること、
前記第1の無線アクセスネットワークデバイスにより送信された前記第1の端末デバイスの位置情報を受信すること、
前記第1の無線アクセスネットワークデバイスにより送信されたノード間同期情報を受信することであり、前記ノード間同期情報は、前記第1の無線アクセスネットワークデバイスと前記第2の無線アクセスネットワークデバイスとの間のシステムフレーム番号SFNオフセットに関する情報を示すために使用される、こと、又は
前記第1の無線アクセスネットワークデバイスにより送信されたネットワーク標準要求情報を受信することであり、前記ネットワーク標準要求情報は、前記第2の無線アクセスネットワークデバイスから前記伝送リソースに対応するネットワーク標準を要求するために使用される、こと
のうちいずれか1つ以上を実行するように更に構成される、請求項２０に記載の無線アクセスネットワークデバイス。
【請求項２２】
前記処理モジュールは、以下の動作、すなわち、
前記第1の端末デバイスによりサポートされる前記周波数に関する前記情報に基づいて、前記第1の端末デバイスのためのキャリアを構成すること、
前記CBR測定結果に基づいて、前記第1の端末デバイスのための前記伝送リソースの位置を決定すること、
前記第1の端末デバイスについて、前記第1の端末デバイスの前記位置情報に基づいて、前記第1の端末デバイスが位置するエリアに対応するリソース位置を決定すること、又は
前記ノード間同期情報に基づいて前記伝送リソースの時間ドメイン位置を修正すること
のうちいずれか1つ以上を実行するように更に構成される、請求項２１に記載の無線アクセスネットワークデバイス。
【請求項２３】
前記送信モジュールは、以下の動作、すなわち、
ネットワーク標準指示情報を前記第1の無線アクセスネットワークデバイスに送信することであり、前記ネットワーク標準指示情報は、前記伝送リソースに対応する前記ネットワーク標準を示すために使用される、こと、又は
第3のリソース構成情報を前記第1の無線アクセスネットワークデバイスに送信することであり、前記第3のリソース構成情報は、以下の情報、すなわち、キャリアアグリゲーションCA構成情報又はデュプリケーション構成情報のうち少なくとも1つを含む、こと
を実行するように更に構成される、請求項２０乃至２２のうちいずれか１項に記載の無線アクセスネットワークデバイス。
【請求項２４】
端末デバイスであって、
当該端末デバイスは、具体的には第1の端末デバイスであり、前記第1の端末デバイスは、
前記第1の端末デバイスのトラフィックモデル情報を第1の無線アクセスネットワークデバイスに送信するように構成された送信モジュールと、
前記第1の無線アクセスネットワークデバイスにより送信された構成メッセージを受信するように構成された受信モジュールと、
前記構成メッセージに基づいて、第1のリソース構成情報、又は第1のリソース構成情報に基づいて前記第1の無線アクセスネットワークデバイスにより生成された第2のリソース構成情報を決定するように構成された処理モジュールであり、前記第1のリソース構成情報は、ハンドオーバプロセスにおいてサイドリンクSL上でデータを伝送するために前記第1の端末デバイスにより必要とされる伝送リソースを含み、前記ハンドオーバプロセスは、前記第1の端末デバイスが前記第1の無線アクセスネットワークデバイスから第2の無線アクセスネットワークデバイスにハンドオーバされるプロセスであり、前記サイドリンクは、前記第1の端末デバイスと第2の端末デバイスとの間の通信リンクであり、前記第2のリソース構成情報は、前記ハンドオーバプロセスにおいて前記サイドリンク上でデータを伝送するために前記第1の端末デバイスにより必要とされる前記伝送リソースを含む、処理モジュールと
を含み、
前記送信モジュールは、前記伝送リソースを使用することによりデータを前記第2の端末デバイスに伝送するように構成される、端末デバイス。
【請求項２５】
前記送信モジュールは、以下の動作、すなわち、
前記第1の端末デバイスによりサポートされる周波数に関する情報を前記第1の無線アクセスネットワークデバイスに送信すること、
前記第1の端末デバイスにより生成されたチャネルビジー比CBR測定結果を前記第1の無線アクセスネットワークデバイスに送信すること、
前記第1の端末デバイスの位置情報を前記第1の無線アクセスネットワークデバイスに送信すること、
ノード間同期情報を前記第1の無線アクセスネットワークデバイスに送信することであり、前記ノード間同期情報は、前記第1の無線アクセスネットワークデバイスと前記第2の無線アクセスネットワークデバイスとの間のシステムフレーム番号SFNオフセットに関する情報を示すために使用される、こと、又は
ネットワーク標準要求情報を前記第1の無線アクセスネットワークデバイスに送信することであり、前記ネットワーク標準要求情報は、前記第2の無線アクセスネットワークデバイスから前記伝送リソースに対応するネットワーク標準を要求するために使用される、こと
のうちいずれか1つ以上を実行するように更に構成される、請求項２４に記載の端末デバイス。
【請求項２６】
前記受信モジュールは、以下の動作、すなわち、
前記第1の無線アクセスネットワークデバイスにより送信されたネットワーク標準指示情報を受信することであり、前記ネットワーク標準指示情報は、前記伝送リソースに対応する前記ネットワーク標準を示すために使用される、こと、又は
前記第1の無線アクセスネットワークデバイスにより送信された第3のリソース構成情報を受信することであり、前記第3のリソース構成情報は、以下の情報、すなわち、キャリアアグリゲーションCA構成情報又はデュプリケーション構成情報のうち少なくとも1つを含む、こと
を実行するように更に構成される、請求項２４又は２５に記載の端末デバイス。
【請求項２７】
前記送信モジュールは、以下の動作、すなわち、
前記第1の端末デバイスが伝送のためにモード3を使用するとき、前記構成メッセージが前記第1の端末デバイスにより受信される時点から前記第1の端末デバイスがハンドオーバされるセルが再構成される時点まで、前記伝送リソースを使用することによりデータを前記第2の端末デバイスに伝送すること、又は
前記第1の端末デバイスが伝送のためにモード4を使用するとき、前記構成メッセージが前記第1の端末デバイスにより受信される時点から検知されたリソースが前記第1の端末デバイスにより取得される時点まで、前記伝送リソースを使用することによりデータを前記第2の端末デバイスに伝送すること
を実行するように更に構成される、請求項２４乃至２６のうちいずれか１項に記載の端末デバイス。
【請求項２８】
前記第1の無線アクセスネットワークデバイスとコアネットワークデバイスとの間に通信接続が確立され、前記第2の無線アクセスネットワークデバイスと前記コアネットワークデバイスとの間に通信接続が確立され、
情報は、前記コアネットワークデバイスを使用することにより、前記第1の無線アクセスネットワークデバイスと前記第2の無線アクセスネットワークデバイスとの間で転送される、請求項１６乃至２７のうちいずれか１項に記載の端末デバイス。
【請求項２９】
前記トラフィックモデル情報は、以下の情報、すなわち、トラフィック周期情報、システムフレーム番号に対するトラフィックの時間オフセットに関する情報、サイドリンクデータパケット優先度PPPP情報、サイドリンクデータパケット信頼性PPPR情報又はトラフィックパケットサイズ情報のうちいずれか1つ以上を含む、請求項１６乃至２８のうちいずれか１項に記載のデバイス。
【請求項３０】
前記第2の無線アクセスネットワークデバイスの前記処理モジュールは、以下の動作、すなわち、
前記トラフィック周期情報に基づいて前記伝送リソースのリソース周期を決定すること、
前記システムフレーム番号に対する前記トラフィックの前記時間オフセットに関する前記情報に基づいて、開始システムフレーム番号に対する前記伝送リソースの時間ドメイン位置を決定すること、
前記PPPP情報に基づいて、前記伝送リソース上で搬送されるデータの優先度を決定すること、
前記PPPR情報に基づいて、前記伝送リソースに対応する信頼性要件及び前記伝送リソースに対応するチャネル品質を決定すること、又は
前記トラフィックパケットサイズ情報に基づいて、前記伝送リソース上で搬送されるトラフィックデータの量を決定すること
のうちいずれか1つ以上を実行するように更に構成される、請求項２９に記載のデバイス。
【請求項３１】
無線アクセスネットワークデバイスであって、
当該無線アクセスネットワークデバイスは、具体的には第1の無線アクセスネットワークデバイスであり、前記第1の無線アクセスネットワークデバイスは、メモリに結合され、前記メモリ内の命令を読み取り、前記命令を実行して請求項１乃至４のうちいずれか１項に記載の方法を実現するように構成された少なくとも1つのプロセッサを含む、無線アクセスネットワークデバイス。
【請求項３２】
当該無線アクセスネットワークデバイスは前記メモリを更に含む、請求項３１に記載の無線アクセスネットワークデバイス。
【請求項３３】
無線アクセスネットワークデバイスであって、
当該無線アクセスネットワークデバイスは、具体的には第2の無線アクセスネットワークデバイスであり、前記第2の無線アクセスネットワークデバイスは、メモリに結合され、前記メモリ内の命令を読み取り、前記命令を実行して請求項５乃至８のうちいずれか１項又は請求項１５に記載の方法を実現するように構成された少なくとも1つのプロセッサを含む、無線アクセスネットワークデバイス。
【請求項３４】
当該無線アクセスネットワークデバイスは前記メモリを更に含む、請求項３３に記載の無線アクセスネットワークデバイス。
【請求項３５】
端末デバイスであって、
当該端末デバイスは、具体的には第1の端末デバイスであり、前記第1の端末デバイスは、メモリに結合され、前記メモリ内の命令を読み取り、前記命令を実行して請求項９乃至１４のうちいずれか１項に記載の方法を実現するように構成された少なくとも1つのプロセッサを含む、端末デバイス。
【請求項３６】
当該端末デバイスは前記メモリを更に含む、請求項３５に記載の端末デバイス。
【請求項３７】
チップであって、
当該チップは、請求項１乃至４のうちいずれか１項に記載の方法を実行する際に第1の無線アクセスネットワークデバイスをサポートするように、請求項５乃至８のうちいずれか１項又は請求項１５に記載の方法を実行する際に第2の無線アクセスネットワークデバイスをサポートするように、或いは、請求項９乃至１４のうちいずれか１項に記載の方法を実行する際に第1の端末デバイスをサポートするように構成されたプロセッサを含む、チップ。
【請求項３８】
当該チップはメモリを更に含み、前記メモリは、前記第1の無線アクセスネットワークデバイス、前記第2の無線アクセスネットワークデバイス又は前記第1の端末デバイスのプログラム命令及びデータを記憶するように構成される、請求項３６に記載のチップ。
【請求項３９】
命令を含むコンピュータ読み取り可能記憶媒体であって、前記命令がコンピュータ上で実行されたとき、前記コンピュータは、請求項１乃至１５のうちいずれか１項に記載の方法を実行することが可能になる、コンピュータ読み取り可能記憶媒体。
【請求項４０】
命令を含むコンピュータプログラム製品であって、前記命令がコンピュータ上で実行されたとき、前記コンピュータは、請求項１乃至１５のうちいずれか１項に記載の方法を実行することが可能になる、コンピュータプログラム製品。
【発明の詳細な説明】
【技術分野】
【０００１】
［関連出願への相互参照］
この出願は、2018年8月31日に中国国家知識産権局に出願された「DATA  TRANSMISSION  METHOD,  RADIO  ACCESS  NETWORK  DEVICE,  AND  TERMINAL  DEVICE」という名称の中国特許出願第201811011314.6号に対する優先権を主張し、その全内容を参照により援用する。
【０００２】
［技術分野］
この出願は、通信技術の分野に関し、特に、データ伝送方法、無線アクセスネットワークデバイス及び端末デバイスに関する。
【背景技術】
【０００３】
車両対あらゆるもの(vehicle  to  everything,  V2X)は、モノのインターネットシステムにおいて最も明確な市場要求を有する最も有望な分野の1つとして考えられている。V2Xは、広い適用空間、大きい産業潜在性及び強い社会的利点を特徴としており、自動車及び情報通信産業の革新及び発展を促進し、自動車及び交通サービスの新たなモデル及び新たな形式を構築し、自動運転技術の革新及び適用を促進し、交通の効率化及び安全性を改善するのに大きい意義がある。車両対あらゆるものでは、車両情報は、車載センサ及び車載端末を介して提供され、車両対車両(vehicle  to  vehicle,  V2V)、車両対歩行者(vehicle  to  pedestrian,  V2P)及び車両対インフラストラクチャ(vehicle  to  infrastructure)通信は、様々な通信技術を使用することにより実現される。V2Vが議論されている主なシナリオである。
【０００４】
移動通信の発達によって、出現しつつあるサービスは、移動システムに対してより厳しい待ち時間及び信頼性の要件を有する。低い待ち時間及び高い信頼性の要件をどのように満たすかは、様々な通信システムの議論におけるホットな話題の1つである。サイドリンク(sidelink,  SL)は、車両の間の直接通信のための通信リンクであり、車両の間の直接通信のためのエアインタフェースは、PC5インタフェースとして定義されている。現在の技術において提供されるV2Xハンドオーバ手順では、車両ユーザ装置(vehicle  user  equipment,  V-UE)が新たなセルにハンドオーバされた後に、車両ユーザ装置はSL状態を再測定し、リソース構成を実行する必要があり、V-UEがハンドオーバされた後の伝送遅延を増加させ、通信効率を低減する。
【発明の概要】
【０００５】
この出願の実施形態は、ハンドオーバ後の端末デバイスの伝送遅延を低減し、ハンドオーバプロセスにおける端末デバイスのデータ伝送の信頼性を改善し、通信効率を改善するための、データ伝送方法、無線アクセスネットワークデバイス及び端末デバイスを提供する。
【０００６】
上記の問題を解決するために、この出願の実施形態は、以下の技術的解決策を提供する。
【０００７】
第1の態様によれば、この出願の実施形態は、第1の無線アクセスネットワークデバイスに適用され、以下を含むデータ伝送方法を提供する。第1の無線アクセスネットワークデバイスは、第1の端末デバイスにより送信された第1の端末デバイスのトラフィックモデル情報を受信する。第1の無線アクセスネットワークデバイスは、第1の端末デバイスのトラフィックモデル情報を第2の無線アクセスネットワークデバイスに送信する。第1の無線アクセスネットワークデバイスは、第2の無線アクセスネットワークデバイスにより送信された第1のリソース構成情報を受信し、第1のリソース構成情報は、ハンドオーバプロセスにおいてサイドリンクSL上でデータを伝送するために第1の端末デバイスにより必要とされる伝送リソースを含み、ハンドオーバプロセスは、第1の端末デバイスが第1の無線アクセスネットワークデバイスから第2の無線アクセスネットワークデバイスにハンドオーバされるプロセスであり、サイドリンクは、第1の端末デバイスと第2の端末デバイスとの間の通信リンクである。第1の無線アクセスネットワークデバイスは、構成メッセージを第1の端末デバイスに送信する。構成メッセージは、第1のリソース構成情報を含むか、或いは、構成メッセージは、第1のリソース構成情報に基づいて第1の無線アクセスネットワークデバイスにより生成された第2のリソース構成情報を含み、第2のリソース構成情報は、ハンドオーバプロセスにおいてサイドリンク上でデータを伝送するために第1の端末デバイスにより必要とされる伝送リソースを含む。
【０００８】
この出願のこの実施形態では、第1の無線アクセスネットワークデバイスは、第1の端末デバイスのトラフィックモデル情報を第2の無線アクセスネットワークデバイスに送信してもよく、それにより、第2の無線アクセスネットワークデバイスは、第1の端末デバイスのトラフィックモデル情報に基づいて、ハンドオーバプロセスにおいてSL上でデータを伝送するために第1の端末デバイスにより必要とされる伝送リソースを決定できる。第2の無線アクセスネットワークデバイスは、伝送リソースを搬送する第1のリソース構成情報を第1の無線アクセスネットワークデバイスに送信し、第1の無線アクセスネットワークデバイスは、構成メッセージを第1の端末デバイスに送信してもよい。このように、第1の端末デバイスは、構成メッセージを使用することにより、第2の無線アクセスネットワークデバイスにより決定された伝送リソースを取得でき、第1の端末デバイスは、伝送リソースを使用することによりデータを第2の端末デバイスに伝送する。この出願のこの実施形態では、第2の無線アクセスネットワークデバイスは、第1の端末デバイスについて、第1の端末デバイスのトラフィックモデル情報に基づいて、ハンドオーバプロセスにおいてSL上でデータを伝送するために必要とされる伝送リソースを決定し、それにより、第1の端末デバイスは、伝送リソースを使用することにより第2の端末デバイスとデータ伝送を実行でき、それにより、ハンドオーバ後の端末デバイスの伝送遅延を低減し、ハンドオーバプロセスにおける端末デバイスのデータ伝送の信頼性を改善し、通信効率を改善する。
【０００９】
第1の態様の可能な実現方式では、当該方法は、以下の動作のうちいずれか1つ以上を更に含む。第1の無線アクセスネットワークデバイスは、第1の端末デバイスによりサポートされる周波数に関する情報を第2の無線アクセスネットワークデバイスに送信する。代替として、第1の無線アクセスネットワークデバイスは、第1の端末デバイスにより生成されたチャネルビジー比CBR測定結果を第2の無線アクセスネットワークデバイスに送信する。代替として、第1の無線アクセスネットワークデバイスは、第1の端末デバイスの位置情報を第2の無線アクセスネットワークデバイスに送信する。代替として、第1の無線アクセスネットワークデバイスは、ノード間同期情報を第2の無線アクセスネットワークデバイスに送信し、ノード間同期情報は、第1の無線アクセスネットワークデバイスと第2の無線アクセスネットワークデバイスとの間のシステムフレーム番号SFNオフセットに関する情報を示すために使用される。代替として、第1の無線アクセスネットワークデバイスは、ネットワーク標準要求情報を第2の無線アクセスネットワークデバイスに送信し、ネットワーク標準要求情報は、第2の無線アクセスネットワークデバイスから伝送リソースに対応するネットワーク標準を要求するために使用される。
【００１０】
この出願の上記の実施形態では、第1の端末デバイスによりサポートされる周波数に関する情報は、RRCシグナリングを使用することにより第1の無線アクセスネットワークデバイスに報告されてもよい。例えば、第1の端末デバイスによりサポートされる周波数に関する情報は、RRCシグナリング内のサイドリンク端末情報を使用することにより第1の無線アクセスネットワークデバイスに報告されてもよい。第1の端末デバイスは、CBR測定結果を更に生成してもよい。CBR測定結果は、第1の端末デバイスが時間周波数リソースのビジー/アイドル状態を監視した後に取得される結果であり、伝送リソース構成において第2の無線アクセスネットワークデバイスを支援するために使用されてもよい。第1の端末デバイスの位置情報は、第1の端末デバイスの現在の地理的位置であり、第1の端末デバイスの位置情報は、伝送リソースを第1の端末デバイスに割り当てるために第2の無線アクセスネットワークデバイスにより使用される。ノード間同期情報は、第1の無線アクセスネットワークデバイスと第2の無線アクセスネットワークデバイスとの間のシステムフレーム番号オフセットに関する情報を示すために使用される。すなわち、ノード間同期情報は、2つの無線アクセスネットワークデバイスの間の同期時間オフセットを示すために使用される。第1の端末デバイスは、ノード間同期情報を第1の無線アクセスネットワークデバイスに能動的に送信してもよい。第1の端末デバイスは、ネットワーク標準要求情報を更に生成し、ネットワーク標準要求情報を第1の無線アクセスネットワークデバイスに送信してもよく、ネットワーク標準要求情報は、第2の無線アクセスネットワークデバイスから伝送リソースに対応するネットワーク標準を要求するために使用される。第2の無線アクセスネットワークデバイスは、第1の端末デバイスについて決定された伝送リソースに対応するネットワーク標準を更に示してもよく、ネットワーク標準は伝送リソースに対応する。第2の無線アクセスネットワークデバイスは、伝送リソースに対応するネットワーク標準を示す。さらに、第1の端末デバイスに対してRRC再構成を実行するとき、第1の無線アクセスネットワークデバイスはまた、構成された伝送リソースが使用される標準を更に示す必要がある。したがって、伝送リソースを受信するとき、第1の端末デバイスは、対応する送信パラメータを使用することにより適応を実行する。
【００１１】
第1の態様の可能な実現方式では、以下の情報、すなわち、トラフィックモデル情報、第1の端末デバイスによりサポートされる周波数に関する情報、CBR測定結果、第1の端末デバイスの位置情報、ノード間同期情報又はネットワーク標準要求情報のうちいずれか1つ以上がハンドオーバ要求で搬送され、ハンドオーバ要求は、第1の無線アクセスネットワークデバイスにより第2の無線アクセスネットワークデバイスに送信される。
【００１２】
この出願の上記の実施形態では、第1の端末デバイスは、ハンドオーバをトリガするために測定報告を第1の無線アクセスネットワークデバイスに送信し、第1の無線アクセスネットワークデバイスは、第1の端末デバイスにより報告された測定報告に基づいて、ハンドオーバ手順を開始することを決定する。第1の無線アクセスネットワークデバイスは、ハンドオーバ要求を第2の無線アクセスネットワークデバイスに送信し、ハンドオーバ要求は、以下の情報、すなわち、トラフィックモデル情報、第1の端末デバイスによりサポートされる周波数に関する情報、CBR測定結果、第1の端末デバイスの位置情報、ノード間同期情報又はネットワーク標準要求情報のうちいずれか1つ以上を搬送する。第1の無線アクセスネットワークデバイスは、ハンドオーバ要求を使用することにより、ハンドオーバ要求で搬送される以下の情報、すなわち、第1の端末デバイスのトラフィックモデル情報、第1の端末デバイスによりサポートされる周波数に関する情報、CBR測定結果、第1の端末デバイスの位置情報、ノード間同期情報又はネットワーク標準要求情報のうちいずれか1つ以上を第2の無線アクセスネットワークデバイスに送信してもよい。
【００１３】
第1の態様の可能な実現方式では、当該方法は以下を更に含む。第1の無線アクセスネットワークデバイスは、第2の無線アクセスネットワークデバイスにより送信されたネットワーク標準指示情報を受信し、ネットワーク標準指示情報は、伝送リソースに対応するネットワーク標準を示すために使用される。代替として、第1の無線アクセスネットワークデバイスは、第2の無線アクセスネットワークデバイスにより送信された第3のリソース構成情報を受信し、第3のリソース構成情報は、以下の情報、すなわち、キャリアアグリゲーションCA構成情報又はデュプリケーション構成情報のうち少なくとも1つを含む。
【００１４】
この出願の上記の実施形態では、第2の無線アクセスネットワークデバイスは、第1の端末デバイスについて決定された伝送リソースに対応するネットワーク標準を更に示してもよい。例えば、第2の無線アクセスネットワークデバイスがHO  ACKを第1の無線アクセスデバイスに送信し、HO  ACKがターゲットセルのリソース構成情報を搬送するとき、第2の無線アクセスネットワークデバイスは、伝送リソースがLTE標準で使用されるかNR標準で使用されるかを更に示す必要がある。第2の無線アクセスネットワークデバイスは、ネットワーク標準指示情報を第1の無線アクセスネットワークデバイスに送信してもよい。したがって、第1の無線アクセスネットワークデバイスは、第2の無線アクセスネットワークデバイスからネットワーク標準指示情報を取得してもよい。第2の無線アクセスネットワークデバイスは、第3のリソース構成情報を第1の無線アクセスネットワークデバイスに送信し、第3のリソース構成情報は、CA構成情報及び/又はデュプリケーション構成情報を含む。したがって、第1の無線アクセスネットワークデバイスは、第2の無線アクセスネットワークデバイスから第3のリソース構成情報を取得でき、第1の無線アクセスネットワークデバイスは、第2の無線ネットワークデバイスにより生成されたCA構成情報及びデュプリケーション構成情報を取得できる。
【００１５】
第2の態様によれば、この出願の実施形態は、以下を含むデータ伝送方法を提供する。第2の無線アクセスネットワークデバイスは、第1の無線アクセスネットワークデバイスにより送信された第1の端末デバイスのトラフィックモデル情報を受信する。第2の無線アクセスネットワークデバイスは、第1の端末デバイスのトラフィックモデル情報に基づいて、ハンドオーバプロセスにおいてサイドリンクSL上でデータを伝送するために第1の端末デバイスにより必要とされる伝送リソースを決定し、ハンドオーバプロセスは、第1の端末デバイスが第1の無線アクセスネットワークデバイスから第2の無線アクセスネットワークデバイスにハンドオーバされるプロセスであり、サイドリンクは、第1の端末デバイスと第2の端末デバイスとの間の通信リンクである。第2の無線アクセスネットワークデバイスは、第1のリソース構成情報を第1の無線アクセスネットワークデバイスに送信し、第1のリソース構成情報は伝送リソースを含む。
【００１６】
この出願のこの実施形態では、第2の無線アクセスネットワークデバイスは、第1の端末デバイスのトラフィックモデル情報に基づいて、ハンドオーバプロセスにおいてSL上でデータを伝送するために第1の端末デバイスにより必要とされる伝送リソースを決定してもよく、第2の無線アクセスネットワークデバイスは、伝送リソースを搬送する第1のリソース構成情報を第1の無線アクセスネットワークデバイスに送信する。第1の無線アクセスネットワークデバイスは、構成メッセージを第1の端末デバイスに送信してもよい。このように、第1の端末デバイスは、構成メッセージを使用することにより、第2の無線アクセスネットワークデバイスにより決定された伝送リソースを取得でき、第1の端末デバイスは、伝送リソースを使用することによりデータを第2の端末デバイスに伝送する。この出願のこの実施形態では、第2の無線アクセスネットワークデバイスは、第1の端末デバイスについて、第1の端末デバイスのトラフィックモデル情報に基づいて、ハンドオーバプロセスにおいてSL上でデータを伝送するために必要とされる伝送リソースを決定し、それにより、第1の端末デバイスは、伝送リソースを使用することにより第2の端末デバイスとデータ伝送を実行でき、それにより、ハンドオーバ後の端末デバイスの伝送遅延を低減し、ハンドオーバプロセスにおける端末デバイスのデータ伝送の信頼性を改善し、通信効率を改善する。
【００１７】
第2の態様の可能な実現方式では、当該方法は以下を更に含む。第2の無線アクセスネットワークデバイスは、第1の無線アクセスネットワークデバイスにより送信された、第1の端末デバイスによりサポートされる周波数に関する情報を受信する。代替として、第2の無線アクセスネットワークデバイスは、第1の無線アクセスネットワークデバイスにより送信された、第1の端末デバイスにより生成されたチャネルビジー比CBR測定結果を受信する。代替として、第2の無線アクセスネットワークデバイスは、第1の無線アクセスネットワークデバイスにより送信された第1の端末デバイスの位置情報を受信する。代替として、第2の無線アクセスネットワークデバイスは、第1の無線アクセスネットワークデバイスにより送信されたノード間同期情報を受信し、ノード間同期情報は、第1の無線アクセスネットワークデバイスと第2の無線アクセスネットワークデバイスとの間のシステムフレーム番号SFNオフセットに関する情報を示すために使用される。代替として、第2の無線アクセスネットワークデバイスは、第1の無線アクセスネットワークデバイスにより送信されたネットワーク標準要求情報を受信し、ネットワーク標準要求情報は、第2の無線アクセスネットワークデバイスから伝送リソースに対応するネットワーク標準を要求するために使用される。
【００１８】
第2の態様の可能な方式では、当該方法は以下を更に含む。第2の無線アクセスネットワークデバイスは、第1の端末デバイスによりサポートされる周波数に関する情報に基づいて、第1の端末デバイスのためのキャリアを構成する。代替として、第2の無線アクセスネットワークデバイスは、CBR測定結果に基づいて、第1の端末デバイスのための伝送リソースの位置を決定する。代替として、第2の無線アクセスネットワークデバイスは、第1の端末デバイスについて、第1の端末デバイスの位置情報に基づいて、第1の端末デバイスが位置するエリアに対応するリソース位置を決定する。代替として、第2の無線アクセスネットワークデバイスは、ノード間同期情報に基づいて伝送リソースの時間ドメイン位置を修正する。
【００１９】
この出願の上記の実施形態では、第2の無線アクセスネットワークデバイスは、第1の端末デバイスによりサポートされる周波数に関する情報を取得してもよく、第2の無線アクセスネットワークデバイスは、第1の端末デバイスによりサポートされる周波数に関する情報を解析し、次いで、端末デバイスのデータ伝送に対応するキャリア情報を決定する。第2の無線アクセスネットワークデバイスは、CBR測定結果を取得してもよく、第2の無線アクセスネットワークデバイスは、CBR測定結果を解析することにより、時間周波数リソースのアイドル/ビジー状態を決定し、第1の端末デバイスについて、CBR測定結果に基づいて、データ伝送に対応する時間周波数リソースを決定する。第2の無線アクセスネットワークデバイスは、第1の端末デバイスの位置情報を取得し、次いで、第1の端末デバイスが位置する地理的エリアに対応する時間周波数リソースを決定してもよい。第2の無線アクセスネットワークデバイスは、ノード間同期情報を取得し、次いで、ノード間同期情報に基づいて伝送リソースの時間ドメイン位置を修正してもよい。これは、これに限定されない。この出願のいくつかの他の実施形態では、第2の無線アクセスネットワークデバイスは、伝送リソースの時間ドメイン位置を修正しなくてもよいが、第1の無線アクセスネットワークデバイスは、ノード間同期情報に基づいて伝送リソースの時間ドメイン位置を修正する。第2の無線アクセスネットワークデバイスは、第1の無線アクセスネットワークデバイスを使用することによりネットワーク標準要求情報を取得してもよく、第2の無線アクセスネットワークデバイスは、第1の端末デバイスについて決定された伝送リソースに対応するネットワーク標準を更に示してもよい。
【００２０】
第2の態様の可能な実現方式では、当該方法は以下を更に含む。第2の無線アクセスネットワークデバイスは、ネットワーク標準指示情報を第1の無線アクセスネットワークデバイスに送信し、ネットワーク標準指示情報は、伝送リソースに対応するネットワーク標準を示すために使用される。代替として、第2の無線アクセスネットワークデバイスは、第3のリソース構成情報を第1の無線アクセスネットワークデバイスに送信し、第3のリソース構成情報は、以下の情報、すなわち、キャリアアグリゲーションCA構成情報又はデュプリケーション構成情報のうち少なくとも1つを含む。
【００２１】
この出願の上記の実施形態では、第2の無線アクセスネットワークデバイスは、ネットワーク標準要求情報を取得してもよく、第2の無線アクセスネットワークデバイスは、第1の端末デバイスについて決定された伝送リソースに対応するネットワーク標準を更に示してもよい。第2の無線アクセスネットワークデバイスは、伝送リソースに対応するネットワーク標準を示す必要がある。さらに、第1の端末デバイスに対してRRC再構成を実行するとき、第1の無線アクセスネットワークデバイスはまた、構成された伝送リソースが使用される標準を更に示す必要がある。したがって、伝送リソースを受信するとき、第1の端末デバイスは、対応する送信パラメータを使用することにより適応を実行する。第2の無線アクセスネットワークデバイスは、第1の端末デバイスについてCA構成情報及びデュプリケーション(duplication)構成情報を更に生成してもよい。例えば、第2の無線アクセスネットワークデバイスは、第1の端末デバイスによりサポートされる周波数に関する情報を取得し、第1の端末デバイスによりサポートされる周波数に関する情報に基づいて、CA中に使用されるキャリアを構成し、CA構成情報を生成してもよい。他の例では、第2の無線アクセスネットワークデバイスは、第1の端末デバイスのトラフィック信頼性要件に基づいてデュプリケーション構成情報を生成してもよい。例えば、第2の無線アクセスネットワークデバイスは、第1の端末デバイスにより生成されたPPPR情報を取得してもよく、PPPR情報は、デュプリケーションを使用するか否かを決定する際に第2の無線アクセスネットワークデバイスを支援してもよい。例えば、PPPRが特定の値より低いときにデュプリケーションが使用される。第2の無線アクセスネットワークデバイスは、第3のリソース構成情報を第1の無線アクセスネットワークデバイスに送信し、第3のリソース構成情報は、CA構成情報及びデュプリケーション構成情報を含む。
【００２２】
第3の態様によれば、この出願の実施形態は、以下を含むデータ伝送方法を提供する。第1の端末デバイスは、第1の端末デバイスのトラフィックモデル情報を第1の無線アクセスネットワークデバイスに送信する。第1の端末デバイスは、第1の無線アクセスネットワークデバイスにより送信された構成メッセージを受信し、構成メッセージは、第1のリソース構成情報を含むか、或いは、構成メッセージは、第1のリソース構成情報に基づいて第1の無線アクセスネットワークデバイスにより生成された第2のリソース構成情報を含み、第1のリソース構成情報は、ハンドオーバプロセスにおいてサイドリンクSL上でデータを伝送するために第1の端末デバイスにより必要とされる伝送リソースを含み、ハンドオーバプロセスは、第1の端末デバイスが第1の無線アクセスネットワークデバイスから第2の無線アクセスネットワークデバイスにハンドオーバされるプロセスであり、サイドリンクは、第1の端末デバイスと第2の端末デバイスとの間の通信リンクであり、第2のリソース構成情報は、ハンドオーバプロセスにおいてサイドリンク上でデータを伝送するために第1の端末デバイスにより必要とされる伝送リソースを含む。第1の端末デバイスは、伝送リソースを使用することによりデータを第2の端末デバイスに伝送する。
【００２３】
この出願のこの実施形態では、第1の無線アクセスネットワークデバイスは、第1の端末デバイスのトラフィックモデル情報を第2の無線アクセスネットワークデバイスに送信してもよく、それにより、第2の無線アクセスネットワークデバイスは、第1の端末デバイスのトラフィックモデル情報に基づいて、ハンドオーバプロセスにおいてSL上でデータを伝送するために第1の端末デバイスにより必要とされる伝送リソースを決定できる。第2の無線アクセスネットワークデバイスは、伝送リソースを搬送する第1のリソース構成情報を第1の無線アクセスネットワークデバイスに送信し、第1の無線アクセスネットワークデバイスは、構成メッセージを第1の端末デバイスに送信してもよい。このように、第1の端末デバイスは、構成メッセージを使用することにより、第2の無線アクセスネットワークデバイスにより決定された伝送リソースを取得でき、第1の端末デバイスは、伝送リソースを使用することによりデータを第2の端末デバイスに伝送する。この出願のこの実施形態では、第2の無線アクセスネットワークデバイスは、第1の端末デバイスについて、第1の端末デバイスのトラフィックモデル情報に基づいて、ハンドオーバプロセスにおいてSL上でデータを伝送するために必要とされる伝送リソースを決定し、それにより、第1の端末デバイスは、伝送リソースを使用することにより第2の端末デバイスとデータ伝送を実行でき、それにより、ハンドオーバ後の端末デバイスの伝送遅延を低減し、ハンドオーバプロセスにおける端末デバイスのデータ伝送の信頼性を改善し、通信効率を改善する。
【００２４】
第3の態様の可能な実現方式では、当該方法は、以下の動作のうちいずれか1つ以上を更に含む。第1の端末デバイスは、第1の端末デバイスによりサポートされる周波数に関する情報を第1の無線アクセスネットワークデバイスに送信する。代替として、第1の端末は、第1の端末デバイスにより生成されたチャネルビジー比CBR測定結果を第1の無線アクセスネットワークデバイスに送信する。代替として、第1の端末デバイスは、第1の端末デバイスの位置情報を第1の無線アクセスネットワークデバイスに送信する。代替として、第1の端末デバイスは、ノード間同期情報を第1の無線アクセスネットワークデバイスに送信し、ノード間同期情報は、第1の無線アクセスネットワークデバイスと第2の無線アクセスネットワークデバイスとの間のシステムフレーム番号SFNオフセットに関する情報を示すために使用される。代替として、第1の端末デバイスは、ネットワーク標準要求情報を第1の無線アクセスネットワークデバイスに送信し、ネットワーク標準要求情報は、第2の無線アクセスネットワークデバイスから伝送リソースに対応するネットワーク標準を要求するために使用される。
【００２５】
この出願の上記の実施形態では、第1の端末デバイスによりサポートされる周波数に関する情報は、RRCシグナリングを使用することにより第1の無線アクセスネットワークデバイスに報告されてもよい。例えば、第1の端末デバイスによりサポートされる周波数に関する情報は、RRCシグナリング内のサイドリンク端末情報を使用することにより第1の無線アクセスネットワークデバイスに報告されてもよい。第1の端末デバイスは、CBR測定結果を更に生成してもよい。CBR測定結果は、第1の端末デバイスが時間周波数リソースのビジー/アイドル状態を監視した後に取得される結果であり、伝送リソース構成において第2の無線アクセスネットワークデバイスを支援するために使用されてもよい。第1の端末デバイスの位置情報は、第1の端末デバイスの現在の地理的位置であり、第1の端末デバイスの位置情報は、伝送リソースを第1の端末デバイスに割り当てるために第2の無線アクセスネットワークデバイスにより使用される。ノード間同期情報は、第1の無線アクセスネットワークデバイスと第2の無線アクセスネットワークデバイスとの間のシステムフレーム番号オフセットに関する情報を示すために使用される。すなわち、ノード間同期情報は、2つの無線アクセスネットワークデバイスの間の同期時間オフセットを示すために使用される。第1の端末デバイスは、ノード間同期情報を第1の無線アクセスネットワークデバイスに能動的に送信してもよい。第1の端末デバイスは、ネットワーク標準要求情報を更に生成し、ネットワーク標準要求情報を第1の無線アクセスネットワークデバイスに送信してもよく、ネットワーク標準要求情報は、第2の無線アクセスネットワークデバイスから伝送リソースに対応するネットワーク標準を要求するために使用される。第2の無線アクセスネットワークデバイスは、第1の端末デバイスについて決定された伝送リソースに対応するネットワーク標準を更に示してもよい。第2の無線アクセスネットワークデバイスは、伝送リソースに対応するネットワーク標準を示す。さらに、第1の端末デバイスに対してRRC再構成を実行するとき、第1の無線アクセスネットワークデバイスはまた、構成された伝送リソースが使用される標準を更に示す必要がある。したがって、伝送リソースを受信するとき、第1の端末デバイスは、対応する送信パラメータを使用することにより適応を実行する。
【００２６】
第3の態様の可能な実現方式では、当該方法は以下を更に含む。第1の端末デバイスは、第1の無線アクセスネットワークデバイスにより送信されたネットワーク標準指示情報を受信し、ネットワーク標準指示情報は、伝送リソースに対応するネットワーク標準を示すために使用される。代替として、第1の端末デバイスは、第1の無線アクセスネットワークデバイスにより送信された第3のリソース構成情報を受信し、第3のリソース構成情報は、以下の情報、すなわち、キャリアアグリゲーションCA構成情報又はデュプリケーション構成情報のうち少なくとも1つを含む。
【００２７】
この出願の上記の実施形態では、第1の端末デバイスは、ネットワーク標準要求情報を送信する。第1の無線アクセスネットワークデバイスがネットワーク標準要求情報を転送した後に、第2の無線アクセスネットワークデバイスは、ネットワーク標準要求情報を受信する。第2の無線アクセスネットワークデバイスは、第1の端末デバイスについて決定された伝送リソースに対応するネットワーク標準を更に示してもよい。さらに、第1の端末デバイスに対してRRC再構成を実行するとき、第1の無線アクセスネットワークデバイスはまた、構成された伝送リソースが使用される標準を更に示す必要がある。第1の端末デバイスは、第1の無線アクセスネットワークデバイスによる転送を通じてネットワーク標準指示情報を受信してもよい。したがって、伝送リソースを受信するとき、第1の端末デバイスは、対応する送信パラメータを使用することにより適応を実行する。第2の無線アクセスネットワークデバイスは、第3のリソース構成情報を第1の無線アクセスネットワークデバイスに送信し、第1の無線アクセスネットワークデバイスは、第3のリソース構成情報を転送し、それにより、第1の端末デバイスは、第3のリソース構成情報を取得し、第3のリソース構成情報は、CA構成情報及びデュプリケーション構成情報を含む。したがって、第1の端末デバイスは、CA構成情報を解析することにより、第2の無線アクセスネットワークデバイスにより決定されたCAを決定し、デュプリケーション構成情報を解析することにより、デュプリケーションを有効にするか否かを決定する。
【００２８】
第3の態様の可能な実現方式では、第1の端末デバイスが伝送リソースを使用することによりデータを第2の端末デバイスに伝送することは以下を含む。第1の端末デバイスが伝送のためにモード3を使用するとき、第1の端末デバイスは、構成メッセージが第1の端末デバイスにより受信される時点から第1の端末デバイスがハンドオーバされるセルが再構成される時点まで、伝送リソースを使用することによりデータを第2の端末デバイスに伝送する。代替として、第1の端末デバイスが伝送のためにモード4を使用するとき、第1の端末デバイスは、構成メッセージが第1の端末デバイスにより受信される時点から検知されたリソースが第1の端末デバイスにより取得される時点まで、伝送リソースを使用することによりデータを第2の端末デバイスに伝送する。車両の間の相互通信を実現するプロセスにおいて、2つの通信モード、すなわち、mode3及びmode4がV2Vシナリオにおいて定義されている。mode3は、車両の間の通信のプロセスが基地局により制御され、送信端の車両が基地局によりスケジュールされたリソース上で制御信号及びデータ信号を送信することとして理解されてもよい。mode4では、送信端の車両の送信リソースは、基地局により制御されない。その代わりに、送信端の車両は、データを送信するために、チャネルのビジー/アイドル状態を検知(sensing)することにより、適切なリソースを探索する。第1の端末デバイスがターゲットセル内での伝送のためにmode3を使用するように構成される場合、第1の端末デバイスは、構成情報が第1の端末デバイスにより受信される時点からRRC再構成がターゲットセルに対して実行される時点まで、ソースセルの伝送リソースを使用することによりデータを送信する。第1の端末デバイスが、ターゲットセル内での伝送のためにmode4を使用するように構成される場合、第1の端末デバイスは、構成情報が第1の端末デバイスにより受信される時点から検知されたリソースが第1の端末デバイスにより取得される時点まで、ソースセルの伝送リソースを使用することによりデータを送信する。
【００２９】
第1の態様、第2の態様又は第3の態様の可能な実現方式では、第1の無線アクセスネットワークデバイスとコアネットワークデバイスとの間に通信接続が確立され、第2の無線アクセスネットワークデバイスとコアネットワークデバイスとの間に通信接続が確立され、情報は、コアネットワークデバイスを使用することにより、第1の無線アクセスネットワークデバイスと第2の無線アクセスネットワークデバイスとの間で転送される。
【００３０】
第1の態様、第2の態様又は第3の態様の可能な実現方式では、トラフィックモデル情報は、以下の情報、すなわち、トラフィック周期情報、システムフレーム番号に対するトラフィックの時間オフセットに関する情報、サイドリンクデータパケット優先度PPPP情報、サイドリンクデータパケット信頼性PPPR情報又はトラフィックパケットサイズ情報のうちいずれか1つ以上を含む。
【００３１】
第2の態様の可能な実現方式では、第2の無線アクセスネットワークデバイスが、第1の端末デバイスのトラフィックモデル情報に基づいて、ハンドオーバプロセスにおいてサイドリンクSL上でデータを伝送するために第1の端末デバイスにより必要とされる伝送リソースを決定することは以下を含む。第2の無線アクセスネットワークデバイスは、トラフィック周期情報に基づいて伝送リソースのリソース周期を決定する。代替として、第2の無線アクセスネットワークデバイスは、システムフレーム番号に対するトラフィックの時間オフセットに関する情報に基づいて、開始システムフレーム番号に対する伝送リソースの時間ドメイン位置を決定する。代替として、第2の無線アクセスネットワークデバイスは、PPPP情報に基づいて、伝送リソース上で搬送されるデータの優先度を決定する。代替として、第2の無線アクセスネットワークデバイスは、PPPR情報に基づいて、伝送リソースに対応する信頼性要件及び伝送リソースに対応するチャネル品質を決定する。代替として、第2の無線アクセスネットワークデバイスは、トラフィックパケットサイズ情報に基づいて、伝送リソース上で搬送されるトラフィックデータの量を決定する。
【００３２】
この出願の上記の実施形態では、トラフィック周期情報は、第1の端末デバイスにより伝送されるトラフィックの伝送周期である。第2の無線アクセスネットワークデバイスは、トラフィック周期情報に基づいて伝送リソースのリソース周期を決定してもよく、周期的に構成された伝送リソースは、周期的に伝送されるトラフィックに使用されてもよい。SFNに対するトラフィックの時間オフセットに関する情報は、固定のSFNに対する第1の端末デバイスにより伝送されるトラフィックの時間オフセットである。具体的には、SFNに対するトラフィックの時間オフセットに関する情報は、第1の端末デバイスにより伝送されたトラフィックの到着時点を示す。第2の無線アクセスネットワークデバイスは、システムフレーム番号に対するトラフィックの時間オフセットに関する情報に基づいて、開始システムフレーム番号に対する伝送リソースの時間ドメイン位置を決定してもよく、それにより、第2の無線アクセスネットワークデバイスにより決定された伝送リソースは、解析を通じて第1の端末デバイスにより正確に取得できる。PPPP及びPPPRは、時間に関して、第1の端末デバイスにより伝送されるトラフィックの優先度要件及び相対的な信頼性要件をそれぞれ表す。第2の無線アクセスネットワークデバイスは、PPPP情報に基づいて、伝送リソース上で搬送されるデータの優先度を決定してもよく、それにより、異なる優先度を有するデータは、異なる伝送リソースを使用することにより伝送される。PPPP情報は、異なる端末デバイスのスケジューリング優先度を処理するために更に使用されてもよい。第2の無線アクセスネットワークデバイスは、PPPR情報に基づいて、伝送リソースに対応する信頼性要件及び伝送リソースに対応するチャネル品質を更に決定し、第2の無線アクセスネットワークデバイスが、異なるPPPR要件を有する第1の端末デバイスのデータについて適切なチャネル品質を有する伝送リソースを選択することを確保してもよい。トラフィックパケットサイズは、第1の端末デバイスにより伝送されるトラフィックのデータ量である。第2の無線アクセスネットワークデバイスは、トラフィックパケットサイズ情報に基づいて、伝送リソース上で搬送されるトラフィックデータの量を決定し、端末デバイスのために適切な量のリソースを構成してもよい。これは、過大なトラフィックパケットにより引き起こされる伝送障害を防止する。
【００３３】
第4の態様によれば、この出願の実施形態は、無線アクセスネットワークデバイスを更に提供し、無線アクセスネットワークデバイスは、具体的には第1の無線アクセスネットワークデバイスであり、第1の無線アクセスネットワークデバイスは、第1の端末デバイスにより送信された第1の端末デバイスのトラフィックモデル情報を受信するように構成された受信モジュールと、第1の端末デバイスのトラフィックモデル情報を第2の無線アクセスネットワークデバイスに送信するように構成された送信モジュールとを含み、受信モジュールは、第2の無線アクセスネットワークデバイスにより送信された第1のリソース構成情報を受信するように構成され、第1のリソース構成情報に基づいて、ハンドオーバプロセスにおいてサイドリンクSL上でデータを伝送するために第1の端末デバイスにより必要とされる伝送リソースを決定するように構成された処理モジュールであり、ハンドオーバプロセスは、第1の端末デバイスが第1の無線アクセスネットワークデバイスから第2の無線アクセスネットワークデバイスにハンドオーバされるプロセスであり、サイドリンクは、第1の端末デバイスと第2の端末デバイスとの間の通信リンクである、処理モジュールを含み、送信モジュールは、構成メッセージを第1の端末デバイスに送信するように構成される。構成メッセージは、第1のリソース構成情報を含むか、或いは、構成メッセージは、第1のリソース構成情報に基づいて第1の無線アクセスネットワークデバイスにより生成された第2のリソース構成情報を含み、第2のリソース構成情報は、ハンドオーバプロセスにおいてサイドリンク上でデータを伝送するために第1の端末デバイスにより必要とされる伝送リソースを含む。
【００３４】
第4の態様の可能な実現方式では、送信モジュールは、以下の動作、すなわち、第1の端末デバイスによりサポートされる周波数に関する情報を第2の無線アクセスネットワークデバイスに送信すること、第1の端末デバイスにより生成されたチャネルビジー比CBR測定結果を第2の無線アクセスネットワークデバイスに送信すること、第1の端末デバイスの位置情報を第2の無線アクセスネットワークデバイスに送信すること、ノード間同期情報を第2の無線アクセスネットワークデバイスに送信することであり、ノード間同期情報は、第1の無線アクセスネットワークデバイスと第2の無線アクセスネットワークデバイスとの間のシステムフレーム番号SFNオフセットに関する情報を示すために使用される、こと、又はネットワーク標準要求情報を第2の無線アクセスネットワークデバイスに送信することであり、ネットワーク標準要求情報は、第2の無線アクセスネットワークデバイスから伝送リソースに対応するネットワーク標準を要求するために使用される、ことのうちいずれか1つ以上を実行するように更に構成される。
【００３５】
第4の態様の可能な実現方式では、以下の情報、すなわち、トラフィックモデル情報、第1の端末デバイスによりサポートされる周波数に関する情報、CBR測定結果、第1の端末デバイスの位置情報、ノード間同期情報又はネットワーク標準要求情報のうちいずれか1つ以上がハンドオーバ要求で搬送され、ハンドオーバ要求は、第1の無線アクセスネットワークデバイスにより第2の無線アクセスネットワークデバイスに送信される。
【００３６】
第4の態様の可能な実現方式では、受信モジュールは、以下の動作、すなわち、第2の無線アクセスネットワークデバイスにより送信されたネットワーク標準指示情報を受信することであり、ネットワーク標準指示情報は、伝送リソースに対応するネットワーク標準を示すために使用される、こと、又は第2の無線アクセスネットワークデバイスにより送信された第3のリソース構成情報を受信することであり、第3のリソース構成情報は、以下の情報、すなわち、キャリアアグリゲーションCA構成情報又はデュプリケーション構成情報のうち少なくとも1つを含む、ことを実行するように更に構成される。
【００３７】
この出願の第4の態様では、第1の無線アクセスネットワークデバイスの構成モジュールは、第1の態様及びその可能な実現方式に記載のステップを更に実行してもよい。詳細については、第1の態様の説明及びその可能な実現方式を参照する。
【００３８】
第5の態様によれば、この出願の実施形態は、無線アクセスネットワークデバイスを更に提供し、無線アクセスネットワークデバイスは、具体的には第2の無線アクセスネットワークデバイスであり、第2の無線アクセスネットワークデバイスは、第1の無線アクセスネットワークデバイスにより送信された第1の端末デバイスのトラフィックモデル情報を受信するように構成された受信モジュールと、第1の端末デバイスのトラフィックモデル情報に基づいて、ハンドオーバプロセスにおいてサイドリンクSL上でデータを伝送するために第1の端末デバイスにより必要とされる伝送リソースを決定するように構成された処理モジュールであり、ハンドオーバプロセスは、第1の端末デバイスが第1の無線アクセスネットワークデバイスから第2の無線アクセスネットワークデバイスにハンドオーバされるプロセスであり、サイドリンクは、第1の端末デバイスと第2の端末デバイスとの間の通信リンクである、処理モジュールと、第1のリソース構成情報を第1の無線アクセスネットワークデバイスに送信するように構成された送信モジュールであり、第1のリソース構成情報は伝送リソースを含む、送信モジュールとを含む。
【００３９】
第5の態様の可能な実現方式では、受信モジュールは、以下の動作、すなわち、第1の無線アクセスネットワークデバイスにより送信された、第1の端末デバイスによりサポートされる周波数に関する情報を受信すること、第1の無線アクセスネットワークデバイスにより送信された、第1の端末デバイスにより生成されたチャネルビジー比CBR測定結果を受信すること、第1の無線アクセスネットワークデバイスにより送信された第1の端末デバイスの位置情報を受信すること、第1の無線アクセスネットワークデバイスにより送信されたノード間同期情報を受信することであり、ノード間同期情報は、第1の無線アクセスネットワークデバイスと第2の無線アクセスネットワークデバイスとの間のシステムフレーム番号SFNオフセットに関する情報を示すために使用される、こと、又は第1の無線アクセスネットワークデバイスにより送信されたネットワーク標準要求情報を受信することであり、ネットワーク標準要求情報は、第2の無線アクセスネットワークデバイスから伝送リソースに対応するネットワーク標準を要求するために使用される、ことのうちいずれか1つ以上を実行するように更に構成される。
【００４０】
第5の態様の可能な方式では、処理モジュールは、以下の動作、すなわち、第1の端末デバイスによりサポートされる周波数に関する情報に基づいて、第1の端末デバイスのためのキャリアを構成すること、CBR測定結果に基づいて、第1の端末デバイスのための伝送リソースの位置を決定すること、第1の端末デバイスについて、第1の端末デバイスの位置情報に基づいて、第1の端末デバイスが位置するエリアに対応するリソース位置を決定すること、又はノード間同期情報に基づいて伝送リソースの時間ドメイン位置を修正することのうちいずれか1つ以上を実行するように更に構成される。
【００４１】
第5の態様の可能な実現方式では、送信モジュールは、以下の動作、すなわち、ネットワーク標準指示情報を第1の無線アクセスネットワークデバイスに送信することであり、ネットワーク標準指示情報は、伝送リソースに対応するネットワーク標準を示すために使用される、こと、又は第3のリソース構成情報を第1の無線アクセスネットワークデバイスに送信することであり、第3のリソース構成情報は、以下の情報、すなわち、キャリアアグリゲーションCA構成情報又はデュプリケーション構成情報のうち少なくとも1つを含む、ことを実行するように更に構成される。
【００４２】
この出願の第5の態様では、第2の無線アクセスネットワークデバイスの構成モジュールは、第2の態様及びその可能な実現方式に記載のステップを更に実行してもよい。詳細については、第2の態様の説明及びその可能な実現方式を参照する。
【００４３】
第6の態様によれば、この出願の実施形態は、端末デバイスを更に提供し、端末デバイスは、具体的には第1の端末デバイスであり、第1の端末デバイスは、第1の端末デバイスのトラフィックモデル情報を第1の無線アクセスネットワークデバイスに送信するように構成された送信モジュールと、第1の無線アクセスネットワークデバイスにより送信された構成メッセージを受信するように構成された受信モジュールと、構成メッセージに基づいて、第1のリソース構成情報、又は第1のリソース構成情報に基づいて第1の無線アクセスネットワークデバイスにより生成された第2のリソース構成情報を決定するように構成された処理モジュールであり、第1のリソース構成情報は、ハンドオーバプロセスにおいてサイドリンクSL上でデータを伝送するために第1の端末デバイスにより必要とされる伝送リソースを含み、ハンドオーバプロセスは、第1の端末デバイスが第1の無線アクセスネットワークデバイスから第2の無線アクセスネットワークデバイスにハンドオーバされるプロセスであり、サイドリンクは、第1の端末デバイスと第2の端末デバイスとの間の通信リンクであり、第2のリソース構成情報は、ハンドオーバプロセスにおいてサイドリンク上でデータを伝送するために第1の端末デバイスにより必要とされる伝送リソースを含む、処理モジュールとを含み、送信モジュールは、伝送リソースを使用することによりデータを第2の端末デバイスに伝送するように構成される。
【００４４】
第6の態様の可能な実現方式では、送信モジュールは、以下の動作、すなわち、第1の端末デバイスによりサポートされる周波数に関する情報を第1の無線アクセスネットワークデバイスに送信すること、第1の端末デバイスにより生成されたチャネルビジー比CBR測定結果を第1の無線アクセスネットワークデバイスに送信すること、第1の端末デバイスの位置情報を第1の無線アクセスネットワークデバイスに送信すること、ノード間同期情報を第1の無線アクセスネットワークデバイスに送信することであり、ノード間同期情報は、第1の無線アクセスネットワークデバイスと第2の無線アクセスネットワークデバイスとの間のシステムフレーム番号SFNオフセットに関する情報を示すために使用される、こと、又はネットワーク標準要求情報を第1の無線アクセスネットワークデバイスに送信することであり、ネットワーク標準要求情報は、第2の無線アクセスネットワークデバイスから伝送リソースに対応するネットワーク標準を要求するために使用される、ことのうちいずれか1つ以上を実行するように更に構成される。
【００４５】
第6の態様の可能な実現方式では、受信モジュールは、以下の動作、すなわち、第1の無線アクセスネットワークデバイスにより送信されたネットワーク標準指示情報を受信することであり、ネットワーク標準指示情報は、伝送リソースに対応するネットワーク標準を示すために使用される、こと、又は第1の無線アクセスネットワークデバイスにより送信された第3のリソース構成情報を受信することであり、第3のリソース構成情報は、以下の情報、すなわち、キャリアアグリゲーションCA構成情報又はデュプリケーション構成情報のうち少なくとも1つを含む、ことを実行するように更に構成される。
【００４６】
第6の態様の可能な実現方式では、送信モジュールは、以下の動作、すなわち、第1の端末デバイスが伝送のためにモード3を使用するとき、構成メッセージが第1の端末デバイスにより受信される時点から第1の端末デバイスがハンドオーバされるセルが再構成される時点まで、伝送リソースを使用することによりデータを第2の端末デバイスに伝送すること、又は第1の端末デバイスが伝送のためにモード4を使用するとき、構成メッセージが第1の端末デバイスにより受信される時点から検知されたリソースが第1の端末デバイスにより取得される時点まで、伝送リソースを使用することによりデータを第2の端末デバイスに伝送することを実行するように更に構成される。
【００４７】
第4の態様、第5の態様又は第6の態様の可能な実現方式では、第1の無線アクセスネットワークデバイスとコアネットワークデバイスとの間に通信接続が確立され、第2の無線アクセスネットワークデバイスとコアネットワークデバイスとの間に通信接続が確立され、情報は、コアネットワークデバイスを使用することにより、第1の無線アクセスネットワークデバイスと第2の無線アクセスネットワークデバイスとの間で転送される。
【００４８】
第4の態様、第5の態様又は第6の態様の可能な実現方式では、トラフィックモデル情報は、以下の情報、すなわち、トラフィック周期情報、システムフレーム番号に対するトラフィックの時間オフセットに関する情報、サイドリンクデータパケット優先度PPPP情報、サイドリンクデータパケット信頼性PPPR情報又はトラフィックパケットサイズ情報のうちいずれか1つ以上を含む。
【００４９】
第5の態様の可能な実現方式では、第2の無線アクセスネットワークデバイスの処理モジュールは、以下の動作、すなわち、トラフィック周期情報に基づいて伝送リソースのリソース周期を決定すること、システムフレーム番号に対するトラフィックの時間オフセットに関する情報に基づいて、開始システムフレーム番号に対する伝送リソースの時間ドメイン位置を決定すること、PPPP情報に基づいて、伝送リソース上で搬送されるデータの優先度を決定すること、PPPR情報に基づいて、伝送リソースに対応する信頼性要件及び伝送リソースに対応するチャネル品質を決定すること、又はトラフィックパケットサイズ情報に基づいて、伝送リソース上で搬送されるトラフィックデータの量を決定することのうちいずれか1つ以上を実行するように更に構成される。
【００５０】
この出願の第6の態様では、第1の端末デバイスの構成モジュールは、第3の態様及びその可能な実現方式に記載のステップを更に実行してもよい。詳細については、第3の態様の説明及びその可能な実現方式を参照する。
【００５１】
第7の態様によれば、この出願の実施形態は、コンピュータ読み取り可能記憶媒体を提供する。コンピュータ読み取り可能記憶媒体は命令を記憶し、命令がコンピュータ上で実行されたとき、コンピュータは、第1の態様、第2の態様又は第3の態様による方法を実行することが可能になる。
【００５２】
第8の態様によれば、この出願の実施形態は、命令を含むコンピュータプログラム製品を提供する。コンピュータプログラム製品がコンピュータ上で動作したとき、コンピュータは、第1の態様、第2の態様又は第3の態様による方法を実行することが可能になる。
【００５３】
第9の態様によれば、この出願の実施形態は、通信装置を提供する。通信装置は、デバイス又はチップのようなエンティティを含んでもよい。通信装置は、プロセッサを含み、プロセッサは、プログラム命令を実行するように構成され、それにより、通信装置は、第1の態様、第2の態様又は第3の態様のいずれか1つによる方法を実行する。通信装置は、以下のデバイス、すなわち、第1の無線アクセスネットワークデバイス、第2の無線アクセスネットワークデバイス又は第1の端末デバイスのうちいずれか1つの機能を実現する。代替として、通信装置は、第1の無線アクセスネットワークデバイス、第2の無線アクセスネットワークデバイス又は第1の端末デバイスに適用されるシステムチップでもよい。
【００５４】
第9の態様の可能な実現方式では、通信装置は、メモリを更に含み、メモリは、プログラム命令を記憶するように構成される。
【００５５】
第10の態様によれば、この出願は、チップシステムを提供する。チップシステムは、第1の態様、第2の態様又は第3の態様の機能をそれぞれ実現する際に、例えば、上記の方法におけるデータ及び/又は情報を送信又は処理する際に、第1の無線アクセスネットワークデバイス、第2の無線アクセスネットワークデバイス又は第1の端末デバイスをサポートするように構成されたプロセッサを含む。可能な設計では、チップシステムは、メモリを更に含む。メモリは、第1の無線アクセスネットワークデバイス、第2の無線アクセスネットワークデバイス又は第1の端末デバイスに必要なプログラム命令及びデータを記憶するように構成される。チップシステムは、チップを含んでもよく、或いは、チップ及び他の個別のコンポーネントを含んでもよい。
【図面の簡単な説明】
【００５６】
【図１】この出願の実施形態によるデータ伝送方法が適用されるシステムアーキテクチャの概略図である。
【図２】この出願の実施形態によるデータ伝送方法が適用されるシステムアーキテクチャの他の概略図である。
【図３Ａ】この出願の実施形態によるデータ伝送方法の概略ブロックフローチャートである。
【図３Ｂ】この出願の実施形態によるデータ伝送方法の概略ブロックフローチャートである。
【図４】この出願の実施形態による、UEとソース基地局とターゲット基地局との間の相互作用の概略フローチャートである。
【図５】この出願の実施形態による、UEとソース基地局とターゲット基地局との間の相互作用の他の概略フローチャートである。
【図６】この出願の実施形態による、UEとソース基地局とターゲット基地局とMMEとの間の相互作用の概略フローチャートである。
【図７】この出願の実施形態による第1の端末デバイスの構成の概略構造図である。
【図８】この出願の実施形態による第1の無線アクセスネットワークデバイスの構成の概略構造図である。
【図９】この出願の実施形態による第2の無線アクセスネットワークデバイスの構成の概略構造図である。
【図１０】この出願の実施形態による第1の端末デバイスの構成の他の概略構造図である。
【図１１】この出願の実施形態による第1の無線アクセスネットワークデバイスの構成の他の概略構造図である。
【図１２】この出願の実施形態による第2の無線アクセスネットワークデバイスの構成の他の概略構造図である。
【発明を実施するための形態】
【００５７】
この出願の実施形態は、ハンドオーバ後の端末デバイスの伝送遅延を低減し、ハンドオーバプロセスにおける端末デバイスのデータ伝送の信頼性を改善し、通信効率を改善するための、データ伝送方法、無線アクセスネットワークデバイス及び端末デバイスを提供する。
【００５８】
以下に、添付の図面を参照して、この出願の実施形態について説明する。
【００５９】
この出願の明細書、特許請求の範囲及び添付の図面において、「第1」、「第2」等という用語は、同様の対象物を区別することを意図しているが、必ずしも特定の順序又は系列を示すとは限らない。このように使用される用語は、適切な状況において交換可能であり、これは、この出願の実施形態において同じ属性を有する対象物を記述するための単なる区別方式であることが理解されるべきである。さらに、「含む」、「有する」という用語及びいずれかの他の変形は、非排他的な包含をカバーすることを意味し、それにより、一連のユニットを含むプロセス、方法、システム、製品又はデバイスは、必ずしもこれらのユニットに限定されず、このようなプロセス、方法、システム、製品又はデバイスに明示的に列挙されていないか或いは固有の他のユニットを含んでもよい。
【００６０】
この出願の実施形態における技術的解決策は、通信システムに適用されてもよい。図１に示すように、この出願の実施形態において提供される通信システムは、少なくとも2つの無線アクセスネットワークデバイスと、2つの端末デバイスとを含んでもよい。2つの無線アクセスネットワークデバイスは、第1の無線アクセスネットワークデバイス及び第2の無線アクセスネットワークデバイスであり、2つの端末デバイスは、第1の端末デバイス及び第2の端末デバイスである。第1の無線アクセスネットワークデバイスは、第1の端末デバイスがハンドオーバ手順を実行する前に第1の端末デバイスにサービス提供する無線アクセスネットワークデバイスである。第2の無線アクセスネットワークデバイスは、第1の端末デバイスがハンドオーバ手順を実行するターゲット無線アクセスネットワークデバイスである。第1の端末デバイスは、ハンドオーバ手順を実行する端末デバイスである。第2の端末デバイスは、第1の端末デバイスと通信する端末デバイスである。第1の端末デバイスと第2の端末デバイスとの間に確立された通信リンクは、サイドリンクである。無線アクセスネットワークデバイス及び端末デバイスの具体的な実現方式は、実際の適用シナリオを参照して柔軟に選択してもよい。これは、ここでは限定されない。
【００６１】
図２に示すように、上記の2つの無線アクセスネットワークデバイス及び2つの端末デバイスに加えて、この出願の実施形態において提供される通信システムは、コアネットワークデバイスを更に含む。図２に示す通信システムのアーキテクチャでは、端末デバイスは無線方式で無線アクセスネットワークデバイスに接続され、無線アクセスネットワークデバイスは無線又は有線方式でコアネットワークデバイスに接続される。コアネットワークデバイス及び無線アクセスネットワークデバイスは互いに独立した異なる物理デバイスでもよく、或いは、コアネットワークデバイスの機能及び無線アクセスネットワークデバイスの論理機能が1つの物理デバイスに統合されてもよく、或いは、コアネットワークデバイスのいくつかの機能及び無線アクセスネットワークデバイスのいくつかの機能が1つの物理デバイスに統合されてもよい。端末デバイスは、固定の位置にあってもよく、或いは、移動可能でもよい。図２は、単なる概略図であり、通信システムは、他のネットワークデバイスを更に含んでもよく、例えば、図２に示さない無線中継デバイス及び無線バックホールデバイスを更に含んでもよい。通信システムに含まれるコアネットワークデバイス、無線アクセスネットワークデバイス及び端末デバイスの数は、この出願の実施形態では限定されない。
【００６２】
無線アクセスネットワークデバイスは、通信システム内にあり、端末デバイスが無線方式で接続されるアクセスデバイスである。無線アクセスネットワークデバイスは、ノードB(NodeB)、進化型NodeB(eNodeB)、5G通信システムにおけるgNodeB、将来の通信システムにおける基地局、ワイヤレスフィデリティ(wireless  fidelity,  Wi-Fi)システムにおけるアクセスノード等でもよい。無線アクセスネットワークデバイスに使用される具体的な技術及び具体的なデバイス形式は、この出願の実施形態では限定されない。
【００６３】
端末デバイスはまた、端末(Terminal)、ユーザ装置(user  equipment,  UE)、移動局(mobile  station,  MS)、移動端末(mobile  terminal,  MT)等と呼ばれてもよい。端末デバイスは、携帯電話(mobile  phone)、タブレット(Pad)、無線トランシーバ機能を有するコンピュータ、仮想現実(virtual  reality,  VR)端末デバイス、拡張現実(augmented  reality,  AR)端末デバイス、産業用制御(industrial  control)における無線端末、自動運転(self  driving)における無線端末、遠隔医療外科(remote  medical  surgery)における無線端末、スマートグリッド(smart  grid)における無線端末、輸送安全(transportation  safety)における無線端末、スマートシティ(smart  city)における無線端末、スマートホーム(smart  home)における無線端末等でもよい。
【００６４】
無線アクセスネットワークデバイス及び端末デバイスは、それぞれ、屋内デバイス、屋外デバイス、ハンドヘルドデバイス又は車載デバイスを含み、陸上に配備されてもよく、或いは、水上に配備されてもよく、或いは、空中の航空機、気球及び衛星に配備されてもよい。無線アクセスネットワークデバイス及び端末デバイスの適用シナリオは、この出願の実施形態では限定されない。
【００６５】
無線アクセスネットワークデバイスと端末デバイスとの間の通信及び端末デバイスの間の通信は、免許スペクトル(licensed  spectrum)、免許不要スペクトル(unlicensed  spectrum)又は免許スペクトルと免許不要スペクトルとの双方を使用することにより実行されてもよい。無線アクセスネットワークデバイスと端末デバイスとの間の通信及び端末デバイスの間の通信は、6ギガヘルツ(gigahertz,  GHz)の下のスペクトル、6GHzの上のスペクトル又は6GHzの下のスペクトルと6GHzの上のスペクトルとの双方を使用することにより実行されてもよい。無線アクセスネットワークデバイス及び端末デバイスに使用されるスペクトルリソースは、この出願の実施形態では限定されない。
【００６６】
この出願の実施形態は、第1の無線アクセスネットワークデバイスと第2の無線アクセスネットワークデバイスとの間、第1の無線アクセスネットワークデバイスと第1の端末デバイスとの間、並びに第1の端末デバイスと第2の端末デバイスとの間の相互作用のプロセスに関する。図３Ａ及び図３Ｂを参照すると、この出願の実施形態において提供されるデータ伝送方法は以下のステップを含んでもよい。
【００６７】
301.第1の端末デバイスは、第1の端末デバイスのトラフィックモデル情報を第1の無線アクセスネットワークデバイスに送信する。
【００６８】
この出願のこの実施形態では、第1の端末デバイスは、現在、第1の無線アクセスネットワークデバイスにより管理されるセル(すなわち、ソースセル)のカバレッジエリアに位置する。第1の端末デバイスは、第1の端末デバイスのトラフィックモデル情報を取得し次いで、第1の端末デバイスは、第1の端末デバイスのトラフィックモデル情報(traffic  model)を第1の無線アクセスネットワークデバイスに送信する。例えば、第1の端末デバイスは、無線リソース制御(radio  resource  control,  RRC)シグナリング内のUE支援情報(assistance  information)フィールドを使用することにより第1の端末デバイスのトラフィックモデル情報を送信してもよい。第1の端末デバイスのトラフィックモデル情報はまた、UE支援情報(assistance  information)とも呼ばれてもよく、トラフィックモデル情報は、第1の端末デバイスにより伝送されるトラフィックの関連する属性を記述するために使用される。実際のトラヒック伝送シナリオでは、トラヒックモデル情報に含まれる内容は、第1の端末デバイスにより伝送されるトラヒックに基づいて決定されてもよい。
【００６９】
この出願のいくつかの実施形態では、トラフィックモデル情報は、以下の情報、すなわち、トラフィック周期情報、システムフレーム番号(system  frame  number,  SFN)に対するトラフィックの時間オフセットに関する情報、サイドリンクデータパケット優先度(prose  per-packet  priority,  PPPP)情報、サイドリンクデータパケット信頼性(prose  per-packet  reliability,  PPPR)情報又はトラフィックパケットサイズ情報のうちいずれか1つ以上を更に含む。
【００７０】
トラフィック周期情報は、第1の端末デバイスにより伝送されるトラフィックの伝送周期であり、SFNに対するトラフィックの時間オフセットに関する情報は、固定のSFN(例えば、SFN=0)に対する第1の端末デバイスにより伝送されるトラフィックの時間オフセットである。具体的には、SFNに対するトラフィックの時間オフセットに関する情報は、第1の端末デバイスにより伝送されたトラフィックの到着時点を示す。PPPP及びPPPRは、時間に関して、第1の端末デバイスにより伝送されるトラフィックの優先度要件及び相対的な信頼性要件をそれぞれ表す。トラフィックパケットサイズは、第1の端末デバイスにより伝送されるトラフィックのデータ量である。
【００７１】
この出願のいくつかの実施形態では、第1の端末デバイスにより実行されるステップ301に加えて、この出願のこの実施形態において提供されるデータ伝送方法は、以下の動作のうちいずれか1つ以上を更に含む。
【００７２】
第1の端末デバイスは、第1の端末デバイスによりサポートされる周波数に関する情報を第1の無線アクセスネットワークデバイスに送信する。
【００７３】
代替として、第1の端末は、第1の端末デバイスにより生成されたチャネルビジー比(channel  busy  ratio,  CBR)測定結果を第1の無線アクセスネットワークデバイスに送信する。
【００７４】
代替として、第1の端末デバイスは、第1の端末デバイスの位置情報を第1の無線アクセスネットワークデバイスに送信する。
【００７５】
代替として、第1の端末デバイスは、ノード間同期情報を第1の無線アクセスネットワークデバイスに送信し、ノード間同期情報は、第1の無線アクセスネットワークデバイスと第2の無線アクセスネットワークデバイスとの間のシステムフレーム番号オフセットに関する情報を示すために使用される。
【００７６】
代替として、第1の端末デバイスは、ネットワーク標準要求情報を第1の無線アクセスネットワークデバイスに送信し、ネットワーク標準要求情報は、第2の無線アクセスネットワークデバイスから伝送リソースに対応するネットワーク標準を要求するために使用される。
【００７７】
第1の端末デバイスによりサポートされる周波数に関する情報はまた、第1の端末デバイスが関心を有する周波数に関する情報と呼ばれてもよい。第1の端末デバイスによりサポートされる周波数に関する情報は、第1の端末デバイスによりサポートされる周波数を示す。第1の端末デバイスによりサポートされる周波数に関する情報は、RRCシグナリングを使用することにより第1の無線アクセスネットワークデバイスに報告されてもよい。例えば、第1の端末デバイスによりサポートされる周波数に関する情報は、RRCシグナリング内のサイドリンク端末情報(SidelinkUEInformation)を使用することにより第1の無線アクセスネットワークデバイスに報告されてもよい。
【００７８】
第1の端末デバイスは、CBR測定結果を更に生成してもよい。CBR測定結果は、第1の端末デバイスが時間周波数リソースのビジー/アイドル状態を監視した後に取得される結果であり、伝送リソース構成において第2の無線アクセスネットワークデバイスを支援するために使用されてもよい。CBR測定結果も、RRCシグナリングを使用することにより第1の無線アクセスネットワークに報告されてもよい。
【００７９】
第1の端末デバイスの位置情報は、第1の端末デバイスの現在の地理的位置である。例えば、位置情報は、具体的には、第1の端末デバイスの全地球測位システム(global  positioning  system,  GPS)情報でもよい。第1の端末デバイスの位置情報は、伝送リソースを第1の端末デバイスに割り当てるために第2の無線アクセスネットワークデバイスにより使用される。第1の端末デバイスの位置情報も、RRCシグナリングを使用することにより第1の無線アクセスネットワークデバイスに報告されてもよい。
【００８０】
第1の端末デバイスは、ノード間同期情報を更に生成してもよい。ノード間同期情報は、第1の無線アクセスネットワークデバイスと第2の無線アクセスネットワークデバイスとの間のシステムフレーム番号オフセットに関する情報を示すために使用される。すなわち、ノード間同期情報は、2つの無線アクセスネットワークデバイスの間の同期時間オフセットを示すために使用される。第1の端末デバイスは、ノード間同期情報を第1の無線アクセスネットワークデバイスに能動的に送信してもよい。例えば、第1の端末デバイスは、一度にノード間同期情報を第1の無線アクセスネットワークデバイスに送信してもよく、或いは、周期的にノード間同期情報を第1の無線アクセスネットワークデバイスに送信してもよい。さらに、第1の端末デバイスは、代替として、第1の無線アクセスネットワークデバイスの構成に基づいてノード間同期情報を送信してもよい。第1の端末デバイスがノード間同期情報を送信する方式は、ここでは限定されない。周期的な報告の場合又は単一の報告の場合のいずれかが、第1の無線アクセスネットワークデバイスにより構成されてもよい点に留意すべきである。例えば、周期的な報告の場合、第1の無線アクセスネットワークデバイスは、第1の端末デバイスのための報告周期を構成する必要がある。
【００８１】
第1の端末デバイスは、ネットワーク標準要求情報を更に生成し、ネットワーク標準要求情報を第1の無線アクセスネットワークデバイスに送信してもよく、ネットワーク標準要求情報は、第2の無線アクセスネットワークデバイスから伝送リソースに対応するネットワーク標準を要求するために使用される。第2の無線アクセスネットワークデバイスは、第1の端末デバイスについて決定された伝送リソースに対応するネットワーク標準を更に示してもよい。例えば、第2の無線アクセスネットワークデバイスが、ハンドオーバ確認応答(handover  ACK,  HO  ACK)を第1の無線アクセスデバイスに送信し、HO  ACKがターゲットセルのリソース構成情報を搬送するとき、第2の無線アクセスネットワークデバイスは、伝送リソースがロングタームエボリューション(long  term  evolution,  LTE)標準で使用されるか新無線(new  radio,  NR)標準で使用されるかを更に示す必要がある。これは、既存の配備では、1つの第1の端末デバイスがLTE  SL能力とNR  SL能力との双方を有してもよいためである。したがって、第2の無線アクセスネットワークデバイスは、伝送リソースに対応するネットワーク標準を示す必要がある。さらに、第1の端末デバイスに対してRRC再構成を実行するとき、第1の無線アクセスネットワークデバイスはまた、構成された伝送リソースが使用される標準を更に示す必要がある。したがって、伝送リソースを受信するとき、第1の端末デバイスは、対応する送信パラメータを使用することにより適応を実行する。
【００８２】
302.第1の無線アクセスネットワークデバイスは、第1の端末デバイスにより送信された第1の端末デバイスのトラフィックモデル情報を受信する。
【００８３】
この出願のこの実施形態では、第1の無線アクセスネットワークデバイスは、ハンドオーバの前に第1の端末デバイスが位置するソースセルを管理するように構成される。第1の端末デバイスは、第1の端末デバイスのトラフィックモデル情報を第1の無線アクセスネットワークデバイスに送信し、第1の無線アクセスネットワークデバイスは、無線ネットワークを通じて第1の端末デバイスのトラフィックモデル情報を受信してもよい。
【００８４】
303.第1の無線アクセスネットワークデバイスは、第1の端末デバイスのトラフィックモデル情報を第2の無線アクセスネットワークデバイスに送信する。
【００８５】
この出願のこの実施形態では、第1の無線アクセスネットワークデバイスは、ハンドオーバの前に第1の端末デバイスが位置するソースセルを管理するように構成され、第2の無線アクセスネットワークデバイスは、ハンドオーバの後に第1の端末デバイスが位置するターゲットセルを管理するように構成される。第1の無線アクセスネットワークデバイスが第1の端末デバイスのトラフィックモデル情報を受信した後に、第2の無線アクセスネットワークデバイスが伝送リソースを第1の端末デバイスに割り当てるのを助けるために、第1の無線アクセスネットワークデバイスは、第1の端末デバイスのトラフィックモデル情報を第2の無線アクセスネットワークデバイスに送信してもよい。例えば、第1の無線アクセスネットワークデバイス及び第2の無線アクセスネットワークデバイスがX2インタフェースを通じて接続される場合、第1の無線アクセスネットワークデバイスは、X2インタフェースを通じて第1の端末デバイスのトラフィックモデル情報を第2の無線アクセスネットワークデバイスに送信する。
【００８６】
この出願のいくつかの実施形態では、第1の端末デバイスは、ハンドオーバをトリガするために測定報告を第1の無線アクセスネットワークデバイスに送信し、第1の無線アクセスネットワークデバイスは、第1の端末デバイスにより報告された測定報告に基づいて、ハンドオーバ手順を開始することを決定する。第1の無線アクセスネットワークデバイスは、ハンドオーバ要求(handover  request,  HO  request)を第2の無線アクセスネットワークデバイスに送信し、ハンドオーバ要求は、第1の端末デバイスのトラフィックモデル情報を搬送する。第1の無線アクセスネットワークデバイスは、ハンドオーバ要求を使用することにより第1の端末デバイスのトラフィックモデル情報を第2の無線アクセスネットワークデバイスに送信してもよく、それにより、第2の無線アクセスネットワークデバイスは、第1の端末デバイスのトラフィックモデル情報を取得できる。例えば、第1の無線アクセスネットワークデバイスはソース基地局であり、第2の無線アクセスネットワークデバイスはターゲット基地局であり、ソース基地局によりターゲット基地局に送信されるHO要求は、サイドリンクトラフィックモデル情報を搬送する。
【００８７】
この出願のいくつかの実施形態では、ソースセルとターゲットセルとの間のX2インタフェースが利用不可能であるか、或いは、X2インタフェースは存在しない。この実現シナリオでは、第1の無線アクセスネットワークデバイスとコアネットワークデバイスとの間に通信接続が確立され、第2の無線アクセスネットワークデバイスとコアネットワークデバイスとの間に通信接続が確立され、情報は、コアネットワークデバイスを使用することにより、第1の無線アクセスネットワークデバイスと第2の無線アクセスネットワークデバイスとの間で転送される。例えば、第1の無線アクセスネットワークデバイスは、第1の端末デバイスのトラフィックモデル情報をコアネットワークデバイスに送信し、コアネットワークデバイスは、トラフィックモデル情報を第2の無線アクセスネットワークデバイスに転送する。
【００８８】
この出願のいくつかの実施形態では、第1の無線アクセスネットワークデバイスにより実行されるステップ303に加えて、この出願のこの実施形態において提供されるデータ伝送方法は、以下の動作のうちいずれか1つ以上を更に含む。
【００８９】
第1の無線アクセスネットワークデバイスは、第1の端末デバイスによりサポートされる周波数に関する情報を第2の無線アクセスネットワークデバイスに送信する。
【００９０】
代替として、第1の無線アクセスネットワークデバイスは、第1の端末デバイスにより生成されたチャネルビジー比CBR測定結果を第2の無線アクセスネットワークデバイスに送信する。
【００９１】
代替として、第1の無線アクセスネットワークデバイスは、第1の端末デバイスの位置情報を第2の無線アクセスネットワークデバイスに送信する。
【００９２】
代替として、第1の無線アクセスネットワークデバイスは、ノード間同期情報を第2の無線アクセスネットワークデバイスに送信し、ノード間同期情報は、第1の無線アクセスネットワークデバイスと第2の無線アクセスネットワークデバイスとの間のシステムフレーム番号SFNオフセットに関する情報を示すために使用される。
【００９３】
代替として、第1の無線アクセスネットワークデバイスは、ネットワーク標準要求情報を第2の無線アクセスネットワークデバイスに送信し、ネットワーク標準要求情報は、第2の無線アクセスネットワークデバイスから伝送リソースに対応するネットワーク標準を要求するために使用される。
【００９４】
第1の端末デバイスによりサポートされる周波数に関する情報はまた、第1の端末デバイスが関心を有する周波数に関する情報と呼ばれてもよい。第1の端末デバイスによりサポートされる周波数に関する情報は、第1の端末デバイスによりサポートされる周波数を示す。第1の端末デバイスによりサポートされる周波数に関する情報は、RRCシグナリングを使用することにより第1の無線アクセスネットワークデバイスに報告されてもよい。第1の無線アクセスネットワークデバイスは、RRCシグナリングを使用することにより、第1の端末デバイスによりサポートされる周波数に関する情報を取得してもよい。さらに、第1の無線アクセスネットワークデバイスは、第1の端末デバイスによりサポートされる周波数に関する情報を第2の無線アクセスネットワークデバイスに送信してもよく、それにより、第2の無線アクセスネットワークデバイスは、第1の端末デバイスによりサポートされる周波数に関する情報を取得できる。
【００９５】
第1の端末デバイスは、CBR測定結果を更に生成してもよい。CBR測定結果は、第1の端末デバイスが時間周波数リソースのビジー/アイドル状態を監視した後に取得される結果であり、伝送リソース構成において第2の無線アクセスネットワークデバイスを支援するために使用されてもよい。CBR測定結果も、RRCシグナリングを使用することにより第1の無線アクセスネットワークに報告されてもよく、第1の無線アクセスネットワークデバイスは、RRCシグナリングを使用することによりCBR測定結果を取得してもよい。第1の無線アクセスネットワークデバイスは、CBR測定結果を第2の無線アクセスネットワークデバイスに送信し、それにより、第2の無線アクセスネットワークデバイスは、CBR測定結果を取得できる。
【００９６】
第1の端末デバイスの位置情報は、第1の端末デバイスの現在の地理的位置であり、第1の端末デバイスの位置情報は、伝送リソースを第1の端末デバイスに割り当てるために第2の無線アクセスネットワークデバイスにより使用される。第1の端末デバイスの位置情報も、RRCシグナリングを使用することにより第1の無線アクセスネットワークデバイスに報告されてもよい。第1の無線アクセスネットワークデバイスは、RRCシグナリングを使用することにより第1の端末デバイスの位置情報を取得してもよい。第1の無線アクセスネットワークデバイスは、第1の端末デバイスの位置情報を第2の無線アクセスネットワークデバイスに送信し、それにより、第2の無線アクセスネットワークデバイスは、第1の端末デバイスの位置情報を取得できる。
【００９７】
第1の端末デバイスは、ノード間同期情報を更に生成してもよい。ノード間同期情報は、第1の無線アクセスネットワークデバイスと第2の無線アクセスネットワークデバイスとの間のシステムフレーム番号オフセットに関する情報を示すために使用される。すなわち、ノード間同期情報は、2つの無線アクセスネットワークデバイスの間の同期時間オフセットを示すために使用される。第1の端末デバイスは、ノード間同期情報を第1の無線アクセスネットワークデバイスに能動的に送信してもよい。例えば、第1の端末デバイスは、一度にノード間同期情報を第1の無線アクセスネットワークデバイスに送信してもよく、或いは、周期的にノード間同期情報を第1の無線アクセスネットワークデバイスに送信してもよい。さらに、第1の端末デバイスは、代替として、第1の無線アクセスネットワークデバイスの構成に基づいてノード間同期情報を送信してもよい。第1の端末デバイスがノード間同期情報を送信する方式は、ここでは限定されない。周期的な報告の場合又は単一の報告の場合のいずれかが、第1の無線アクセスネットワークデバイスにより構成されてもよい点に留意すべきである。例えば、周期的な報告の場合、第1の無線アクセスネットワークデバイスは、第1の端末デバイスのための報告周期を構成する必要がある。第1の無線アクセスネットワークデバイスは、ノード間同期情報を第2の無線アクセスネットワークデバイスに送信し、それにより、第2の無線アクセスネットワークデバイスは、ノード間同期情報を取得できる。
【００９８】
第1の端末デバイスは、ネットワーク標準要求情報を更に生成し、ネットワーク標準要求情報を第1の無線アクセスネットワークデバイスに送信してもよく、ネットワーク標準要求情報は、第2の無線アクセスネットワークデバイスから伝送リソースに対応するネットワーク標準を要求するために使用される。第1の無線アクセスネットワークデバイスは、ネットワーク標準要求情報を第2の無線アクセスネットワークデバイスに送信し、それにより、第2の無線アクセスネットワークデバイスは、ネットワーク標準要求情報を取得できる。第2の無線アクセスネットワークデバイスは、第1の端末デバイスについて決定された伝送リソースに対応するネットワーク標準を更に示してもよい。例えば、第2の無線アクセスネットワークデバイスが、HO  ACKを第1の無線アクセスデバイスに送信し、HO  ACKがターゲットセルのリソース構成情報を搬送するとき、第2の無線アクセスネットワークデバイスは、伝送リソースがLTE標準で使用されるかNR標準で使用されるかを更に示す必要がある。これは、既存の配備では、1つの第1の端末デバイスがLTE  SL能力とNR  SL能力との双方を有してもよいためである。したがって、第2の無線アクセスネットワークデバイスは、伝送リソースに対応するネットワーク標準を示す必要がある。さらに、第1の端末デバイスに対してRRC再構成を実行するとき、第1の無線アクセスネットワークデバイスはまた、構成された伝送リソースが使用される標準を更に示す必要がある。したがって、伝送リソースを受信するとき、第1の端末デバイスは、対応する送信パラメータを使用することにより適応を実行する。
【００９９】
さらに、この出願のいくつかの実施形態では、以下の情報、すなわち、トラフィックモデル情報、第1の端末デバイスによりサポートされる周波数に関する情報、CBR測定結果、第1の端末デバイスの位置情報、ノード間同期情報又はネットワーク標準要求情報のうちいずれか1つ以上がハンドオーバ要求で搬送される。
【０１００】
ハンドオーバ要求は、第1の無線アクセスネットワークデバイスにより第2の無線アクセスネットワークデバイスに送信される。
【０１０１】
この出願のいくつかの実施形態では、第1の端末デバイスは、ハンドオーバをトリガするために測定報告を第1の無線アクセスネットワークデバイスに送信し、第1の無線アクセスネットワークデバイスは、第1の端末デバイスにより報告された測定報告に基づいて、ハンドオーバ手順を開始することを決定する。第1の無線アクセスネットワークデバイスは、ハンドオーバ要求を第2の無線アクセスネットワークデバイスに送信し、ハンドオーバ要求は、以下の情報、すなわち、トラフィックモデル情報、第1の端末デバイスによりサポートされる周波数に関する情報、CBR測定結果、第1の端末デバイスの位置情報、ノード間同期情報又はネットワーク標準要求情報のうちいずれか1つ以上を搬送する。第1の無線アクセスネットワークデバイスは、ハンドオーバ要求を使用することにより、ハンドオーバ要求で搬送される以下の情報、すなわち、第1の端末デバイスのトラフィックモデル情報、第1の端末デバイスによりサポートされる周波数に関する情報、CBR測定結果、第1の端末デバイスの位置情報、ノード間同期情報又はネットワーク標準要求情報のうちいずれか1つ以上を第2の無線アクセスネットワークデバイスに送信してもよい。
【０１０２】
304.第2の無線アクセスネットワークデバイスは、第1の無線アクセスネットワークデバイスにより送信された第1の端末デバイスのトラフィックモデル情報を受信する。
【０１０３】
この出願のこの実施形態では、第2の無線アクセスネットワークデバイスが伝送リソースを第1の端末デバイスに割り当てるのを助けるために、第2の無線アクセスネットワークデバイスは、第1の無線アクセスネットワークデバイスにより送信された第1の端末デバイスのトラフィックモデル情報を受信してもよい。例えば、第1の無線アクセスネットワークデバイス及び第2の無線アクセスネットワークデバイスがX2インタフェースを通じて接続される場合、第2の無線アクセスネットワークデバイスは、X2インタフェースを通じて、第1の無線アクセスネットワークデバイスにより送信された第1の端末デバイスのトラフィックモデル情報を受信する。
【０１０４】
この出願のいくつかの実施形態では、第1の端末デバイスは、ハンドオーバをトリガするために測定報告を第1の無線アクセスネットワークデバイスに送信し、第1の無線アクセスネットワークデバイスは、第1の端末デバイスにより報告された測定報告に基づいて、ハンドオーバ手順を開始することを決定する。第1の無線アクセスネットワークデバイスは、ハンドオーバ要求を第2の無線アクセスネットワークデバイスに送信し、ハンドオーバ要求は、第1の端末デバイスのトラフィックモデル情報を搬送する。第2の無線アクセスネットワークデバイスは、ハンドオーバ要求を使用することにより第1の端末デバイスのトラフィックモデル情報を取得してもよい。例えば、第1の無線アクセスネットワークデバイスはソース基地局であり、第2の無線アクセスネットワークデバイスはターゲット基地局であり、ソース基地局によりターゲット基地局に送信されるHO要求は、サイドリンクのためのリソースを構成するために使用されるトラフィックモデル情報を搬送し、ターゲット基地局は、HO要求を使用することにより、サイドリンクのためのリソースを構成するために使用されるトラフィックモデル情報を取得する。
【０１０５】
この出願のいくつかの実施形態では、ソースセルとターゲットセルとの間のX2インタフェースが利用不可能であるか、或いは、X2インタフェースは存在しない。この実現シナリオでは、第1の無線アクセスネットワークデバイスとコアネットワークデバイスとの間に通信接続が確立され、第2の無線アクセスネットワークデバイスとコアネットワークデバイスとの間に通信接続が確立され、情報は、コアネットワークデバイスを使用することにより、第1の無線アクセスネットワークデバイスと第2の無線アクセスネットワークデバイスとの間で転送される。例えば、第2の無線アクセスネットワークデバイスは、コアネットワークデバイスにより転送された第1の端末デバイスのトラフィックモデル情報を受信し、トラフィックモデル情報は、第1の無線アクセスネットワークデバイスによりコアネットワークデバイスに送信される。
【０１０６】
305.第2の無線アクセスネットワークデバイスは、第1の端末デバイスのトラフィックモデル情報に基づいて、ハンドオーバプロセスにおいてサイドリンク上でデータを伝送するために第1の端末デバイスにより必要とされる伝送リソースを決定する。
【０１０７】
ハンドオーバプロセスは、第1の端末デバイスが第1の無線アクセスネットワークデバイスから第2の無線アクセスネットワークデバイスにハンドオーバされるプロセスであり、サイドリンクは、第1の端末デバイスと第2の端末デバイスとの間の通信リンクである。
【０１０８】
この出願のこの実施形態では、第2の無線アクセスネットワークデバイスが第1の端末デバイスのトラフィックモデル情報を取得した後に、第2の無線アクセスネットワークデバイスは、第1の端末デバイスのトラフィックモデル情報を解析し、第1の端末デバイスにより伝送されるトラフィックに必要とされる伝送リソースを決定する。第1の端末デバイスのトラフィックモデル情報は、第2の無線アクセスネットワークデバイスが伝送リソースを第1の端末デバイスに割り当てるときに必要とされる情報である。実際のトラヒック伝送シナリオでは、トラヒックモデル情報に含まれる内容は、第1の端末デバイスにより伝送されるトラヒックに基づいて決定されてもよい。第2の無線アクセスネットワークデバイスは、第1の端末デバイスのトラフィックモデル情報に基づいて、伝送リソースを、第1の端末デバイスにより伝送されるトラフィックに割り当ててもよく、伝送リソースは、ハンドオーバプロセスにおいてサイドリンク上でデータを伝送するために第1の端末デバイスにより使用されてもよい。
【０１０９】
この出願のいくつかの実施形態では、第1の端末デバイスのために第2の無線アクセスネットワークデバイスにより決定された伝送リソースは、周期的に構成されたリソースである。第2の無線アクセスネットワークデバイスにより決定された伝送リソースが周期的に構成されたリソースであるとき、第1の端末デバイスは、周期的に構成された伝送リソースを使用することによりデータを伝送してもよい。
【０１１０】
さらに、この出願のいくつかの実施形態では、伝送リソースは、セミパーシステントスケジューリング(semi-persistent  scheduling,  SPS)方式で構成されるか、及び/又は、グラントフリー(grant-free,  GF)方式で構成される。SPS方式とGF方式との双方は、リソース事前構成方法であり、2つの異なるリソース構成方式である。SPS方式では、リソースは、RRCシグナリングを使用することにより事前構成され、ダウンリンク制御情報(downlink  control  information,  DCI)シグナリングを使用することにより活性化される。GF方式では、リソースは、RRCを使用することにより構成され、また、RRCシグナリングを使用することにより活性化される。すなわち、RRCシグナリングは、GF方式で構成された伝送リソースの有効時点を示す。実際の用途では、第2の無線アクセスネットワークデバイスは、シナリオに基づいて、使用されるリソース事前設定方式を柔軟に構成してもよい。
【０１１１】
この出願のいくつかの実施形態では、トラフィックモデル情報は、以下の情報、すなわち、トラフィック周期情報、SFNに対するトラフィックの時間オフセットに関する情報、PPPP情報、PPPR情報又はトラフィックパケットサイズ情報のうちいずれか1つ以上を更に含む。
【０１１２】
トラフィック周期情報は、第1の端末デバイスにより伝送されるトラフィックの伝送周期であり、SFNに対するトラフィックの時間オフセットに関する情報は、固定のSFN(例えば、SFN=0)に対する第1の端末デバイスにより伝送されるトラフィックの時間オフセットである。具体的には、SFNに対するトラフィックの時間オフセットに関する情報は、第1の端末デバイスにより伝送されたトラフィックの到着時点を示す。PPPP及びPPPRは、時間に関して、第1の端末デバイスにより伝送されるトラフィックの優先度要件及び相対的な信頼性要件をそれぞれ表す。トラフィックパケットサイズは、第1の端末デバイスにより伝送されるトラフィックのデータ量である。
【０１１３】
さらに、この出願のいくつかの実施形態では、第2の無線アクセスネットワークデバイスが、第1の端末デバイスのトラフィックモデル情報に基づいて、ハンドオーバプロセスにおいてサイドリンクSL上でデータを伝送するために第1の端末デバイスにより必要とされる伝送リソースを決定するステップ305は以下を含む。
【０１１４】
第2の無線アクセスネットワークデバイスは、トラフィック周期情報に基づいて伝送リソースのリソース周期を決定する。
【０１１５】
代替として、第2の無線アクセスネットワークデバイスは、システムフレーム番号に対するトラフィックの時間オフセットに関する情報に基づいて、開始システムフレーム番号に対する伝送リソースの時間ドメイン位置を決定する。
【０１１６】
代替として、第2の無線アクセスネットワークデバイスは、PPPP情報に基づいて、伝送リソース上で搬送されるデータの優先度を決定する。
【０１１７】
代替として、第2の無線アクセスネットワークデバイスは、PPPR情報に基づいて、伝送リソースに対応する信頼性要件及び伝送リソースに対応するチャネル品質を決定する。
【０１１８】
代替として、第2の無線アクセスネットワークデバイスは、トラフィックパケットサイズ情報に基づいて、伝送リソース上で搬送されるトラフィックデータの量を決定する。
【０１１９】
トラフィック周期情報は、第1の端末デバイスにより伝送されるトラフィックの伝送周期である。第2の無線アクセスネットワークデバイスは、トラフィック周期情報に基づいて伝送リソースのリソース周期を決定してもよく、周期的に構成された伝送リソースは、周期的に伝送されるトラフィックに使用されてもよい。SFNに対するトラフィックの時間オフセットに関する情報は、固定のSFN(例えば、SFN=)に対する第1の端末デバイスにより伝送されるトラフィックの時間オフセットである。具体的には、SFNに対するトラフィックの時間オフセットに関する情報は、第1の端末デバイスにより伝送されたトラフィックの到着時点を示す。第2の無線アクセスネットワークデバイスは、システムフレーム番号に対するトラフィックの時間オフセットに関する情報に基づいて、開始システムフレーム番号に対する伝送リソースの時間ドメイン位置を決定してもよく、それにより、第2の無線アクセスネットワークデバイスにより決定された伝送リソースは、解析を通じて第1の端末デバイスにより正確に取得できる。PPPP及びPPPRは、時間に関して、第1の端末デバイスにより伝送されるトラフィックの優先度要件及び相対的な信頼性要件をそれぞれ表す。第2の無線アクセスネットワークデバイスは、PPPP情報に基づいて、伝送リソース上で搬送されるデータの優先度を決定してもよく、それにより、異なる優先度を有するデータは、異なる伝送リソースを使用することにより伝送される。PPPP情報は、異なる端末デバイスのスケジューリング優先度を処理するために更に使用されてもよい。第2の無線アクセスネットワークデバイスは、PPPR情報に基づいて、伝送リソースに対応する信頼性要件及び伝送リソースに対応するチャネル品質を更に決定し、第2の無線アクセスネットワークデバイスが、異なるPPPR要件を有する第1の端末デバイスのデータについて適切なチャネル品質を有する伝送リソースを選択することを確保してもよい。トラフィックパケットサイズは、第1の端末デバイスにより伝送されるトラフィックのデータ量である。第2の無線アクセスネットワークデバイスは、トラフィックパケットサイズ情報に基づいて、伝送リソース上で搬送されるトラフィックデータの量を決定し、端末デバイスのために適切な量のリソースを構成してもよい。これは、過大なトラフィックパケットにより引き起こされる伝送障害を防止する。
【０１２０】
この出願のいくつかの実施形態では、第2の無線アクセスネットワークデバイスにより実行されるステップ305に加えて、この出願のこの実施形態において提供されるデータ伝送方法は、以下の動作のうちいずれか1つ以上を更に含む。
【０１２１】
第2の無線アクセスネットワークデバイスは、ネットワーク標準指示情報を第1の無線アクセスネットワークデバイスに送信し、ネットワーク標準指示情報は、伝送リソースに対応するネットワーク標準を示すために使用される。
【０１２２】
代替として、第2の無線アクセスネットワークデバイスは、第3のリソース構成情報を第1の無線アクセスネットワークデバイスに送信し、第3のリソース構成情報は、以下の情報、すなわち、キャリアアグリゲーション(carrier  aggregation,  CA)構成情報又はデュプリケーション構成情報のうち少なくとも1つを含む。
【０１２３】
第1の無線アクセスネットワークデバイスは、ネットワーク標準要求情報を第2の無線アクセスネットワークデバイスに送信し、それにより、第2の無線アクセスネットワークデバイスは、ネットワーク標準要求情報を取得できる。第2の無線アクセスネットワークデバイスは、第1の端末デバイスについて決定された伝送リソースに対応するネットワーク標準を更に示してもよい。例えば、第2の無線アクセスネットワークデバイスが、HO  ACKを第1の無線アクセスデバイスに送信し、HO  ACKがターゲットセルのリソース構成情報を搬送するとき、第2の無線アクセスネットワークデバイスは、伝送リソースがLTE標準で使用されるかNR標準で使用されるかを更に示す必要がある。これは、既存の配備では、1つの第1の端末デバイスがLTE  SL能力とNR  SL能力との双方を有してもよいためである。したがって、第2の無線アクセスネットワークデバイスは、伝送リソースに対応するネットワーク標準を示す必要がある。さらに、第1の端末デバイスに対してRRC再構成を実行するとき、第1の無線アクセスネットワークデバイスはまた、構成された伝送リソースが使用される標準を更に示す必要がある。したがって、伝送リソースを受信するとき、第1の端末デバイスは、対応する送信パラメータを使用することにより適応を実行する。
【０１２４】
第2の無線アクセスネットワークデバイスは、第1の端末デバイスについてCA構成情報及びデュプリケーション(duplication)構成情報を更に生成してもよい。例えば、第2の無線アクセスネットワークデバイスは、第1の端末デバイスによりサポートされる周波数に関する情報を取得し、第1の端末デバイスによりサポートされる周波数に関する情報に基づいて、CA中に使用されるキャリアを構成し、CA構成情報を生成してもよい。他の例では、第2の無線アクセスネットワークデバイスは、第1の端末デバイスのトラフィック信頼性要件に基づいてデュプリケーション構成情報を生成してもよい。例えば、第2の無線アクセスネットワークデバイスは、第1の端末デバイスにより生成されたPPPR情報を取得してもよく、PPPR情報は、デュプリケーションを使用するか否かを決定する際に第2の無線アクセスネットワークデバイスを支援してもよい。例えば、PPPRが特定の値より低いときにデュプリケーションが使用される。第2の無線アクセスネットワークデバイスは、第3のリソース構成情報を第1の無線アクセスネットワークデバイスに送信し、第3のリソース構成情報は、CA構成情報及びデュプリケーション構成情報を含む。
【０１２５】
306.第2の無線アクセスネットワークデバイスは、第1のリソース構成情報を第1の無線アクセスネットワークデバイスに送信し、第1のリソース構成情報は、伝送リソースを含む。
【０１２６】
この出願のこの実施形態では、第2の無線アクセスネットワークデバイスがハンドオーバプロセスにおいてサイドリンク上でデータを伝送するために第1の端末デバイスにより必要とされる伝送リソースを決定した後に、第2の無線アクセスネットワークデバイスは、第1のリソース構成情報を生成する。第1のリソース構成情報は、第1の端末デバイスについて第2の無線アクセスネットワークデバイスにより決定された伝送リソースを含む。次いで、第2の無線アクセスネットワークデバイスは、第1のリソース構成情報を第1の無線アクセスネットワークデバイスに送信する。例えば、第1の無線アクセスネットワークデバイス及び第2の無線アクセスネットワークデバイスがX2インタフェースを通じて接続されてもよい場合、第2の無線アクセスネットワークデバイスは、X2インタフェースを通じて第1のリソース構成情報を第1の無線アクセスネットワークデバイスに送信する。
【０１２７】
この出願のいくつかの実施形態では、第2の無線アクセスネットワークデバイスにより実行されるステップ305及びステップ306に加えて、この出願のこの実施形態において提供されるデータ伝送方法は、以下の動作のうちいずれか1つ以上を更に含む。
【０１２８】
第2の無線アクセスネットワークデバイスは、第1の無線アクセスネットワークデバイスにより送信された、第1の端末デバイスによりサポートされる周波数に関する情報を受信する。
【０１２９】
代替として、第2の無線アクセスネットワークデバイスは、第1の無線アクセスネットワークデバイスにより送信された、第1の端末デバイスにより生成されたチャネルビジー比CBR測定結果を受信する。
【０１３０】
代替として、第2の無線アクセスネットワークデバイスは、第1の無線アクセスネットワークデバイスにより送信された第1の端末デバイスの位置情報を受信する。
【０１３１】
代替として、第2の無線アクセスネットワークデバイスは、第1の無線アクセスネットワークデバイスにより送信されたノード間同期情報を受信し、ノード間同期情報は、第1の無線アクセスネットワークデバイスと第2の無線アクセスネットワークデバイスとの間のシステムフレーム番号SFNオフセットに関する情報を示すために使用される。
【０１３２】
代替として、第2の無線アクセスネットワークデバイスは、第1の無線アクセスネットワークデバイスにより送信されたネットワーク標準要求情報を受信し、ネットワーク標準要求情報は、第2の無線アクセスネットワークデバイスから伝送リソースに対応するネットワーク標準を要求するために使用される。
【０１３３】
さらに、第2の無線アクセスネットワークデバイスは、以下の動作のうちいずれか1つ以上を更に実行する。
【０１３４】
第2の無線アクセスネットワークデバイスは、第1の端末デバイスによりサポートされる周波数に関する情報に基づいて、第1の端末デバイスのためのキャリアを構成する。
【０１３５】
代替として、第2の無線アクセスネットワークデバイスは、CBR測定結果に基づいて、第1の端末デバイスのための伝送リソースの位置を決定する。
【０１３６】
代替として、第2の無線アクセスネットワークデバイスは、第1の端末デバイスについて、第1の端末デバイスの位置情報に基づいて、第1の端末デバイスが位置するエリアに対応するリソース位置を決定する。
【０１３７】
代替として、第2の無線アクセスネットワークデバイスは、ノード間同期情報に基づいて伝送リソースの時間ドメイン位置を修正する。
【０１３８】
第1の端末デバイスによりサポートされる周波数に関する情報はまた、第1の端末デバイスが関心を有する周波数に関する情報と呼ばれてもよい。第1の端末デバイスによりサポートされる周波数に関する情報は、第1の端末デバイスによりサポートされる周波数を示す。第2の無線アクセスネットワークデバイスは、第1の端末デバイスによりサポートされる周波数に関する情報を取得してもよい。第2の無線アクセスネットワークデバイスは、第1の端末デバイスによりサポートされる周波数に関する情報を解析し、次いで、端末デバイスのデータ伝送に対応するキャリア情報を決定する。
【０１３９】
第1の端末デバイスは、CBR測定結果を更に生成してもよい。CBR測定結果は、第1の端末デバイスが時間周波数リソースのビジー/アイドル状態を監視した後に取得される結果であり、伝送リソース構成において第2の無線アクセスネットワークデバイスを支援するために使用されてもよい。第2の無線アクセスネットワークデバイスは、CBR測定結果を取得してもよく、第2の無線アクセスネットワークデバイスは、CBR測定結果を解析することにより、時間周波数リソースのアイドル/ビジー状態を決定し、第1の端末デバイスについて、CBR測定結果に基づいて、データ伝送に対応する時間周波数リソースを決定する。
【０１４０】
第1の端末デバイスの位置情報は、第1の端末デバイスの現在の地理的位置である。第2の無線アクセスネットワークデバイスは、第1の端末デバイスの位置情報を取得し、次いで、第1の端末デバイスが位置する地理的エリアに対応する時間周波数リソースを決定してもよい。
【０１４１】
第2の無線アクセスネットワークデバイスは、ノード間同期情報を取得し、次いで、ノード間同期情報に基づいて伝送リソースの時間ドメイン位置を修正してもよい。これは、これに限定されない。この出願のいくつかの他の実施形態では、第2の無線アクセスネットワークデバイスは、伝送リソースの時間ドメイン位置を修正しないが、第1の無線アクセスネットワークデバイスは、ノード間同期情報に基づいて伝送リソースの時間ドメイン位置を修正する。
【０１４２】
第1の端末デバイスは、ネットワーク標準要求情報を更に生成してもよい。第2の無線アクセスネットワークデバイスは、第1の無線アクセスネットワークデバイスを介してネットワーク標準要求情報を取得してもよい。第2の無線アクセスネットワークデバイスは、第1の端末デバイスについて決定された伝送リソースに対応するネットワーク標準を更に示してもよい。
【０１４３】
307.第1の無線アクセスネットワークデバイスは、第2の無線アクセスネットワークデバイスにより送信された第1のリソース構成情報を受信する。
【０１４４】
第1のリソース構成情報は、ハンドオーバプロセスにおいてサイドリンク上でデータを伝送するために第1の端末デバイスにより要求される伝送リソースを含む。ハンドオーバプロセスは、第1の端末デバイスが第1の無線アクセスネットワークデバイスから第2の無線アクセスネットワークデバイスにハンドオーバされるプロセスであり、サイドリンクは、第1の端末デバイスと第2の端末デバイスとの間の通信リンクである。
【０１４５】
この出願のこの実施形態では、第2の無線アクセスネットワークデバイスは、第1のリソース構成情報を第1の無線アクセスネットワークデバイスに送信してもよく、それにより、第1の無線アクセスネットワークデバイスは、第2の無線アクセスネットワークデバイスから第1のリソース構成情報を受信できる。例えば、第1の無線アクセスネットワークデバイス及び第2の無線アクセスネットワークデバイスがX2インタフェースを通じて接続されてもよい場合、第1の無線アクセスネットワークデバイスは、X2インタフェースを通じて、第2の無線アクセスネットワークデバイスにより送信された第1のリソース構成情報を受信する。
【０１４６】
この出願のいくつかの実施形態では、第1の無線アクセスネットワークデバイスにより実行されるステップ307に加えて、この出願のこの実施形態において提供されるデータ伝送方法は、以下の動作のうちいずれか1つ以上を更に含む。
【０１４７】
第1の無線アクセスネットワークデバイスは、第2の無線アクセスネットワークデバイスにより送信されたネットワーク標準指示情報を受信し、ネットワーク標準指示情報は、伝送リソースに対応するネットワーク標準を示すために使用される。
【０１４８】
代替として、第1の無線アクセスネットワークデバイスは、第2の無線アクセスネットワークデバイスにより送信された第3のリソース構成情報を受信し、第3のリソース構成情報は、以下の情報、すなわち、キャリアアグリゲーションCA構成情報又はデュプリケーション構成情報のうち少なくとも1つを含む。
【０１４９】
第2の無線アクセスネットワークデバイスは、第1の端末デバイスについて決定された伝送リソースに対応するネットワーク標準を更に示してもよい。例えば、第2の無線アクセスネットワークデバイスがHO  ACKを第1の無線アクセスデバイスに送信し、HO  ACKがターゲットセルのリソース構成情報を搬送するとき、第2の無線アクセスネットワークデバイスは、伝送リソースがLTE標準で使用されるかNR標準で使用されるかを更に示す必要がある。第2の無線アクセスネットワークデバイスは、ネットワーク標準指示情報を第1の無線アクセスネットワークデバイスに送信してもよい。したがって、第1の無線アクセスネットワークデバイスは、第2の無線アクセスネットワークデバイスからネットワーク標準指示情報を取得してもよい。
【０１５０】
第2の無線アクセスネットワークデバイスは、第3のリソース構成情報を第1の無線アクセスネットワークデバイスに送信し、第3のリソース構成情報は、CA構成情報及びデュプリケーション構成情報を含む。したがって、第1の無線アクセスネットワークデバイスは、第2の無線アクセスネットワークデバイスから第3のリソース構成情報を取得でき、第1の無線アクセスネットワークデバイスは、第2の無線ネットワークデバイスにより生成されたCA構成情報及びデュプリケーション構成情報を取得できる。
【０１５１】
この出願のいくつかの実施形態では、第1の無線アクセスネットワークデバイスが、第2の無線アクセスネットワークデバイスにより送信された第1のリソース構成情報を受信することは、以下を含む。
【０１５２】
第1の無線アクセスネットワークデバイスは、第2の無線アクセスネットワークデバイスにより送信されたハンドオーバ確認応答を受信し、ハンドオーバ確認応答は、第1のリソース構成情報を搬送する。
【０１５３】
上記の実施形態では、第1の無線アクセスネットワークデバイスは、ハンドオーバ要求を第2の無線アクセスネットワークデバイスに送信し、第2の無線アクセスネットワークデバイスは、ハンドオーバ確認応答を送信してもよく、ハンドオーバ確認応答は、第2の無線アクセスネットワークデバイスにより決定された第1のリソース構成情報を搬送し、それにより、第1の無線アクセスネットワークデバイスは、ハンドオーバ確認応答を解析することにより第1のリソース構成情報を取得できる。
【０１５４】
308.第1の無線アクセスネットワークデバイスは、構成メッセージを第1の端末デバイスに送信する。
【０１５５】
構成メッセージは、第1のリソース構成情報を含む。
【０１５６】
代替として、構成メッセージは、第1のリソース構成情報に基づいて第1の無線アクセスネットワークデバイスにより生成された第2のリソース構成情報を含み、第2のリソース構成情報は、ハンドオーバプロセスにおいてサイドリンク上でデータを伝送するために第1の端末デバイスにより必要とされる伝送リソースを含む。
【０１５７】
この出願のいくつかの実施形態では、第1の無線アクセスネットワークデバイスは、RRC再構成情報を使用することにより構成メッセージを送信してもよい。さらに、構成メッセージは、RRC再構成情報内のモビリティ制御情報(mobility  control  info)情報エレメント内で搬送されてもよい。
【０１５８】
この出願のいくつかの実施形態では、第1の無線アクセスネットワークデバイスが第1のリソース構成情報を受信した後に、第1の無線アクセスネットワークデバイスは、構成メッセージを第1の端末デバイスに送信してもよい。構成メッセージは、RRCシグナリングを使用することにより送信されてもよい。例えば、構成メッセージは、第1のリソース構成情報を含む。すなわち、第1の無線アクセスネットワークデバイスは、第2の無線アクセスネットワークデバイスから受信した第1のリソース構成情報を搬送する構成メッセージを第1の端末デバイスに送信する。さらに、第1の無線アクセスネットワークデバイスは、第1のリソース構成情報に基づいて第2のリソース構成情報を更に生成してもよい。第2のリソース構成情報は、ハンドオーバプロセスにおいてサイドリンク上でデータを伝送するために第1の端末デバイスにより必要とされる伝送リソースを含む。第1の無線アクセスネットワークデバイスは、生成された第2のリソース構成情報を搬送する構成メッセージを第1の端末デバイスに送信する。
【０１５９】
この出願のいくつかの実施形態では、第1の無線アクセスネットワークデバイスは、ネットワーク標準指示情報又は第3のリソース構成情報を第1の端末デバイスに更に送信してもよい。第3のリソース構成情報は、以下の情報、すなわち、キャリアアグリゲーションCA構成情報又はデュプリケーション構成情報のうち少なくとも1つを含む。第1の端末デバイスは、ネットワーク標準指示情報を受信してもよい。したがって、伝送リソースを受信するとき、第1の端末デバイスは、対応する送信パラメータを使用することにより適応を実行する。第1の端末デバイスは、CA構成情報を解析することにより、第2の無線アクセスネットワークデバイスにより決定されたCAを決定し、デュプリケーション構成情報を解析することにより、デュプリケーションを有効にするか否かを決定する。
【０１６０】
309.第1の端末デバイスは、第1の無線アクセスネットワークデバイスにより送信された構成メッセージを受信する。
【０１６１】
構成メッセージは、第1のリソース構成情報を含む。代替として、構成メッセージは、第1のリソース構成情報に基づいて第1の無線アクセスネットワークデバイスにより生成された第2のリソース構成情報を含む。第1のリソース構成情報は、ハンドオーバプロセスにおいてサイドリンクSL上でデータを伝送するために第1の端末デバイスにより必要とされる伝送リソースを含み、ハンドオーバプロセスは、第1の端末デバイスが第1の無線アクセスネットワークデバイスから第2の無線アクセスネットワークデバイスにハンドオーバされるプロセスであり、サイドリンクは、第1の端末デバイスと第2の端末デバイスとの間の通信リンクである。第2のリソース構成情報は、ハンドオーバプロセスにおいてサイドリンク上でデータを伝送するために第1の端末デバイスにより必要とされる伝送リソースを含む。
【０１６２】
この出願のいくつかの実施形態では、第1の端末デバイスにより実行されるステップ309に加えて、この出願のこの実施形態において提供されるデータ伝送方法は、以下の動作のうちいずれか1つ以上を更に含む。
【０１６３】
第1の端末デバイスは、第1の無線アクセスネットワークデバイスにより送信されたネットワーク標準指示情報を受信し、ネットワーク標準指示情報は、伝送リソースに対応するネットワーク標準を示すために使用される。
【０１６４】
代替として、第1の端末デバイスは、第1の無線アクセスネットワークデバイスにより送信された第3のリソース構成情報を受信し、第3のリソース構成情報は、以下の情報、すなわち、キャリアアグリゲーションCA構成情報又はデュプリケーション構成情報のうち少なくとも1つを含む。
【０１６５】
第1の端末デバイスは、ネットワーク標準要求情報を送信する。第1の無線アクセスネットワークデバイスがネットワーク標準要求情報を転送した後に、第2の無線アクセスネットワークデバイスは、ネットワーク標準要求情報を受信する。第2の無線アクセスネットワークデバイスは、第1の端末デバイスについて決定された伝送リソースに対応するネットワーク標準を更に示してもよい。さらに、第1の端末デバイスに対してRRC再構成を実行するとき、第1の無線アクセスネットワークデバイスはまた、構成された伝送リソースが使用される標準を更に示す必要がある。第1の端末デバイスは、第1の無線アクセスネットワークデバイスによる転送を通じてネットワーク標準指示情報を受信してもよい。したがって、伝送リソースを受信するとき、第1の端末デバイスは、対応する送信パラメータを使用することにより適応を実行する。
【０１６６】
第2の無線アクセスネットワークデバイスは、第3のリソース構成情報を第1の無線アクセスネットワークデバイスに送信し、第1の無線アクセスネットワークデバイスは、第3のリソース構成情報を転送し、それにより、第1の端末デバイスは、第3のリソース構成情報を取得し、第3のリソース構成情報は、CA構成情報及びデュプリケーション構成情報を含む。したがって、第1の端末デバイスは、CA構成情報を解析することにより、第2の無線アクセスネットワークデバイスにより決定されたCAを決定し、デュプリケーション構成情報を解析することにより、デュプリケーションを有効にするか否かを決定する。
【０１６７】
310.第1の端末デバイスは、伝送リソースを使用することによりデータを第2の端末デバイスに伝送する。
【０１６８】
この出願のこの実施形態では、第1の端末デバイスは、第1の無線アクセスネットワークデバイスにより送信された構成メッセージを受信し、構成メッセージは、第1のリソース構成情報又は第2のリソース構成情報を含む。第1の端末デバイスは、第1のリソース構成情報又は第2のリソース構成情報を解析することにより伝送リソースを決定する。次いで、第1の端末デバイスは、伝送リソースを使用することによりデータを第2の端末デバイスに伝送してもよい。例えば、第1の端末デバイスは、伝送リソースを使用することによりデータを第2の端末デバイスに送信してもよい。
【０１６９】
さらに、この出願のいくつかの実施形態では、第1の端末デバイスが伝送リソースを使用することによりデータを第2の端末デバイスに伝送することは以下を含む。
【０１７０】
第1の端末デバイスが伝送のためにモード(mode)3を使用するとき、第1野端末デバイスは、ステップ309における構成メッセージが第1の端末デバイスにより受信される時点から第1の端末デバイスがハンドオーバされるセルが再構成される時点まで、伝送リソースを使用することによりデータを第2の端末デバイスに伝送する。
【０１７１】
代替として、第1の端末デバイスが伝送のためにモード4を使用するとき、第1の端末デバイスは、構成メッセージが第1の端末デバイスにより受信される時点から検知されたリソースが第1の端末デバイスにより取得される時点まで、伝送リソースを使用することによりデータを第2の端末デバイスに伝送する。
【０１７２】
車両の間の相互通信を実現するプロセスにおいて、2つの通信モード、すなわち、mode3及びmode4がV2Vシナリオにおいて定義されている。mode3は、車両の間の通信のプロセスが基地局により制御され、送信端の車両が基地局によりスケジュールされたリソース上で制御信号及びデータ信号を送信することとして理解されてもよい。mode4では、送信端の車両の送信リソースは、基地局により制御されない。その代わりに、送信端の車両は、データを送信するために、チャネルのビジー/アイドル状態を検知(sensing)することにより、適切なリソースを探索する。第1の端末デバイスがターゲットセル内での伝送のためにmode3を使用するように構成される場合、第1の端末デバイスは、構成情報が第1の端末デバイスにより受信される時点からRRC再構成がターゲットセルに対して実行される時点まで、ソースセルの伝送リソースを使用することによりデータを送信する。第1の端末デバイスが、ターゲットセル内での伝送のためにmode4を使用するように構成される場合、第1の端末デバイスは、構成情報が第1の端末デバイスにより受信される時点から検知されたリソースが第1の端末デバイスにより取得される時点まで、ソースセルの伝送リソースを使用することによりデータを送信する。
【０１７３】
上記の実施形態におけるこの出願の例示的な説明から、第1の無線アクセスネットワークデバイスは、第1の端末デバイスのトラフィックモデル情報を第2の無線アクセスネットワークデバイスに送信してもよく、それにより、第2の無線アクセスネットワークデバイスは、第1の端末デバイスのトラフィックモデル情報に基づいて、ハンドオーバプロセスにおいてSL上でデータを伝送するために第1の端末デバイスにより必要とされる伝送リソースを決定できることが習得できる。第2の無線アクセスネットワークデバイスは、伝送リソースを搬送する第1のリソース構成情報を第1の無線アクセスネットワークデバイスに送信し、第1の無線アクセスネットワークデバイスは、構成メッセージを第1の端末デバイスに送信してもよい。このように、第1の端末デバイスは、構成メッセージを使用することにより、第2の無線アクセスネットワークデバイスにより決定された伝送リソースを取得でき、第1の端末デバイスは、伝送リソースを使用することによりデータを第2の端末デバイスに伝送する。この出願のこの実施形態では、第2の無線アクセスネットワークデバイスは、第1の端末デバイスについて、第1の端末デバイスのトラフィックモデル情報に基づいて、ハンドオーバプロセスにおいてSL上でデータを伝送するために必要とされる伝送リソースを決定し、それにより、第1の端末デバイスは、伝送リソースを使用することにより第2の端末デバイスとデータ伝送を実行でき、それにより、ハンドオーバ後の端末デバイスの伝送遅延を低減し、ハンドオーバプロセスにおける端末デバイスのデータ伝送の信頼性を改善し、通信効率を改善する。
【０１７４】
この出願の実施形態における上記の解決策をより良く理解して実現するために、以下に、具体的な説明の例として、対応する適用シナリオを使用する。
【０１７５】
この出願の実施形態は、主に、端末デバイス及び無線アクセスネットワークデバイスに関する。端末デバイスが具体的にはUEであり、無線アクセスネットワークデバイスが具体的にはeNodeBである例が以下で使用される。例えば、UEは上記のV-UEでもよい。UEがソースセルからターゲットセルにハンドオーバされるプロセスにおいて、ソースセルは、関連情報を搬送するHO要求(request)を使用することにより、SLトラフィックモデル(traffic  model)のような関連情報をターゲットセルに通知する。ターゲットセルは、HO確認応答(ACK)を使用することによりUEのためのSL  SPS/GFリソースを直接構成する。SPS/GFリソースは、ハンドオーバプロセスにおけるデータ送信に使用される。ハンドオーバプロセスのためにSL  SPS/GFリソースを直接構成することは、新たなセルがアクセスされた後の測定再構成遅延を低減し、ハンドオーバプロセスにおけるデータ伝送の信頼性を改善する。SPS/GFリソースは、SPS又はGF方式で構成された伝送リソースである点に留意すべきである。実際の用途では、送信対象のトラフィックの実際の場合に従って、適切なリソース及び有効な時点が構成される必要がある。
【０１７６】
図４は、この出願の実施形態による、UEとソース基地局とターゲット基地局との間の相互作用の概略フローチャートである。この実施形態では、ソースセルは、関連情報を搬送するHO  requestを使用することにより、SL  traffic  modelのような関連情報をターゲットセルに通知する。V-UEがターゲットセルにハンドオーバされた後に、ターゲットセルは、SL  traffic  modelに基づいて、UEのためのSL  SPS/GF構成情報を直接構成する。traffic  modelは2つの基地局の間で交換される情報である。例えば、情報は、X2インタフェース又はXnインタフェースを通じて、或いは、基地局の間のノード間(inter-node)RRCシグナリングを使用することにより伝送されてもよい。
【０１７７】
図４に示すハンドオーバ手順は、以下のプロセスを含んでもよい。
【０１７８】
S01.V-UEは、ハンドオーバをトリガするために測定報告をソース基地局に送信する。
【０１７９】
S02ソース基地局は、UEにより報告された測定結果に基づいて、ハンドオーバ手順を開始することを決定し、HO要求をターゲット基地局に送信し、測定結果は測定報告を含み、HO要求は、以下の情報のうちいずれか1つ以上を搬送し、以下の情報は、対応するUE  IDに結び付けられる必要がある。HO要求は、トラフィック周期、offset、PPPP、PPPR、message  size等を含むtraffic  model、関心を有する周波数、CBR測定結果又はGPS情報のような情報を搬送する。
【０１８０】
S03.ターゲット基地局は、ハンドオーバ確認応答をソース基地局に送信する。
【０１８１】
例えば、ターゲットセルの例外プール(exceptional  pool)のリソース構成情報は、X2インタフェース上でHO  ACKメッセージで搬送される。
【０１８２】
S04.ソース基地局は、RRC再構成情報をV-UEに送信し、RRC再構成を実行し、V-UEに対してハンドオーバを実行するように要求し、exceptional  poolのリソース情報を構成する。
【０１８３】
S05.UEは、ターゲット基地局へのアクセスを開始し、ハンドオーバを実行する。
【０１８４】
HO構成情報がUEにより受信される時点から、タイマT304が満了する前に、UEは、伝送のためにexceptional  pool内のリソースをランダムに選択する。T304は、UEがモビリティ制御情報(mobility  Control  Info)を含むRRC接続再構成メッセージを受信したときに開始し、新たなセルへのランダムアクセスが完了したときに停止する。
【０１８５】
S06.ターゲット基地局は、リソース構成情報をUEに送信する。
【０１８６】
V-UEがターゲットセルに正常にアクセスした後に、ターゲットセルは、ソースセルにより取得されたSL  traffic  modelに基づいて、UEのためのSPS/GFリソース、SL  CA構成及びSLデュプリケーション構成を直接構成する。
【０１８７】
さらに、任意選択で、ソース基地局によりターゲット基地局に送信されるtraffic  modelは、以下のメッセージ、すなわち、トラフィック周期、offset、PPPP、PPPR、message  size等又はこれらの組み合わせのうち少なくとも1つを含む。トラフィック周期は、UEがソース基地局によりサービス提供されるときのUEのセミパーシステントトラフィック周期を表し、traffic  model内のトラフィック周期は、SPS/GFリソースのリソース周期に対応してもよい。offsetは、SFN0に対するトラフィックの時間オフセットであり、offsetは、SPS/GFリソースの有効時点に対応してもよい。PPPP及びPPPRは、トラフィックの時間優先度要件及び相対的な信頼性要件をそれぞれ表す。関心を有する周波数は、CAに使用されるキャリアを構成する際に基地局を支援してもよく、パラメータPPPRは、デュプリケーションを使用するか否かを決定する際に基地局を支援してもよい。例えば、PPPRが特定の値より低いときにデュプリケーションが使用される。message  sizeはトラフィックのパケットサイズを示す。
【０１８８】
さらに、ソース基地局は、UEが関心を有する周波数に関する情報をHO要求メッセージに更に含めてもよく、それにより、ターゲット基地局は、UEのためのSL  CAを構成する。ソース基地局は、PPPR情報をHO要求メッセージに含めてもよく、それにより、ターゲット基地局は、UEのためのSL  duplicationを構成する。
【０１８９】
さらに、HO要求メッセージは、スケジューリングする際にターゲット基地局を支援するために、CBR測定結果及びUEのGPS情報を搬送する。CBR測定結果は、mode3で使用されるリソースプールの測定結果と、mode4で使用されるリソースプールの測定結果とを含んでもよい。
【０１９０】
任意選択で、ターゲットセルのexceptional  poolのリソース構成情報がX2インタフェース上でHO  ACKで搬送されるとき、exceptional  poolがLTE標準で使用されるかNR標準で使用されるかが更に示される必要がある。これは、既存の配備では、同じUEがLTE  SL能力とNR  SL能力との双方を有してもよいためである。したがって、ターゲット基地局は、exceptional  poolのリソースプールに対応する標準を示す必要がある。さらに、UEに対してRRC再構成を実行するとき、ソース基地局はまた、構成されたexceptional  poolが使用される標準を更に示す必要がある。したがって、リソースを受信するとき、UEは、対応する送信パラメータを使用することにより適応を実行する。
【０１９１】
上記の実施形態における例示的な説明から、V-UEがターゲットセルにハンドオーバされた後に、ターゲットセルは、SL  traffic  modelに基づいて、UEのためのSL  SPS/GF構成情報を直接構成し、それにより、V-UEがターゲットセルにハンドオーバされた後にSLを再測定してリソースを再構成するプロセスが低減され、遅延を効果的に低減される。この解決策は、UEがターゲット基地局にアクセスするとき、受信したSL  SPS/GFリソースが使用できることを確保できる。UEがターゲット基地局に正常にアクセスした後に、UEは、構成更新する際に基地局を支援するために、トラフィックモデルのようなパラメータを報告し続ける。
【０１９２】
図５は、この出願の実施形態による、UEとソース基地局とターゲット基地局との間の相互作用の他の概略フローチャートである。この実施形態では、ソースセルは、関連情報を搬送するHO  requestを使用することにより、SL  traffic  modelのような関連情報をターゲットセルに通知し、ターゲットセルは、HO  commandを使用することによりUEのためのSL  SPS/GF構成情報を直接構成し、ハンドオーバプロセスにおいてデータを送信する。ハンドオーバプロセスにおいて、送信は、exceptional  resource上でランダムに実行されるのではなく、基地局によりスケジュールされたリソース上で実行され、それにより、伝送信頼性を改善する。SPS/GFリソースは、トラフィックモデル・ラメータに基づいて基地局により取得されるスケジューリングリソースである。exceptional  pool内のリソースは固定され、トラフィック等から切り離される。
【０１９３】
図５に示すハンドオーバ手順は、以下のプロセスを含んでもよい。
【０１９４】
S11.V-UEは、ハンドオーバをトリガするために測定報告をソース基地局に送信する。
【０１９５】
S12ソース基地局は、UEにより報告された測定結果に基づいて、ハンドオーバ手順を開始することを決定し、HO要求をターゲット基地局に送信する。測定結果は測定報告を含む。HO要求は、以下の情報、すなわち、traffic  model、トラフィック周期、offset、PPPP、PPPR、message  size等、SPS  offset構成において支援するために使用されるノード間SFN  offset、関心を有する周波数、CBR測定結果又はGPS情報のうち少なくとも1つを搬送する。
【０１９６】
traffic  model内のoffsetは、SFN0に対するトラフィックの時間オフセットであり、トラフィックの到着時点に等しい。ノード間SFN  offsetは、2つの基地局の間の同期時間オフセットを示す。ノード間同期情報は、UEにより周期的に報告されてもよく、或いは、UEにより単一の時間に報告されてもよい。周期的な報告の場合又は単一の報告の場合のいずれかが、基地局により構成されてもよい。例えば、周期的な報告の場合、基地局は、報告周期を構成する必要がある。例えば、基地局は、情報を報告するようにUEを構成してもよい。例えば、ソース基地局は、SFN  offsetを測定するようにUEを構成し、offsetを報告するためのリソースを構成する。UEは、RRC再構成情報のようなシグナリングを使用することにより、ノード間SFN  offsetをソース基地局に報告する。
【０１９７】
S13.ターゲット基地局は、ハンドオーバ要求フィードバックをソース基地局に送信する。
【０１９８】
ターゲットセルのSL  SPS/GFリソース構成情報は、X2インタフェース上でHO  ACKで搬送され、SPS/GFリソース構成情報は、時間周波数リソース、周期、offset、MCS、送信電力等を含む。ターゲットセルのSL  CA構成及びSL  duplication構成は、X2インタフェースを通じて更に搬送されてもよい。候補のexceptionalリソースが更に搬送されてもよい。
【０１９９】
S14.ソース基地局は、RRC再構成情報をV-UEに送信し、RRC再構成を実行し、V-UEに対してハンドオーバを実行するように要求し、SPS/GFリソースを構成する。
【０２００】
S15.UEは、ターゲット基地局へのアクセスを開始し、ハンドオーバを実行する。
【０２０１】
SPS/GFリソースは、UEにより報告されたトラフィックモデルに基づいて決定されるので、すなわち、UEが特定の時点に周期的なトラフィックを受信するとき、UEは、構成されたSPS/GFリソースを使用することによりトラフィックを送信し、構成されたSPS/GFリソースにおいて示される送信パラメータを使用することによりデータを送信してもよい。例えば、送信パラメータは、変調及び符号化方式(Modulation  and  Coding  Schemes,  MCS)及び送信電力を含んでもよい。
【０２０２】
UEがターゲットセル内での伝送にmode3を使用するように構成される場合、UEは、HO構成情報がUEにより受信される時点からRRC再構成がターゲットセルに対して実行される時点まで、伝送のためにソースセルのSPS/GF構成を使用する。
【０２０３】
HOが失敗したとき、候補のexceptionalリソースが送信に使用されるか、或いは、SPSが送信のために継続して使用される。この出願のこの実施形態において言及されるSPS/GF構成は、トラフィックモデルに基づいてターゲットセルにより決定される。構成は、ソース基地局に送信され、RRC再構成情報内のmobilitycontrolinfo情報要素を使用することにより構成される。
【０２０４】
UEがターゲットセル内での伝送にmode4を使用するように構成される場合、UEは、HO構成情報がUEにより受信される時点から検知されたリソースがUEにより取得される時点まで、伝送のためにソースセルのSPS/GF構成を使用する。
【０２０５】
HOが失敗したとき、候補のexceptionalリソースが送信に使用されるか、或いは、SPS/GFリソースが送信のために継続して使用される。
【０２０６】
この出願のいくつかの実施形態では、UEは、複数のモードの間のモード切り替えを更に実行してもよい。例えば、UEがmode3からmode4に切り替えるとき、UEがmode4のためのリソースプール内の利用可能な伝送リソースを検知するまで、UEは、モード切り替えプロセスにおいてSPS/GFリソースを使用することによりリソース伝送を実行してもよい。
【０２０７】
さらに、任意選択で、ソース基地局によりターゲット基地局に送信されるtraffic  modelは、以下のメッセージ、すなわち、トラフィック周期、offset、PPPP、PPPR、message  size等又はこれらの組み合わせのうち少なくとも1つを含む。トラフィック周期は、UEがソース基地局によりサービス提供されるときのUEのセミパーシステントトラフィック周期を表す。offsetは、SFN0に対するトラフィックの時間オフセットである。PPPP及びPPPRは、トラフィックの時間優先度要件及び相対的な信頼性要件をそれぞれ表す。message  sizeはトラフィックのパケットサイズを示す。
【０２０８】
ハンドオーバプロセスにおいて、UEは、ターゲット基地局により構成されたSPS/GF情報を使用する必要があり、ソース基地局とターゲット基地局との間に同期エラーが存在するので、2つの基地局の間の同期エラーが整合される必要があり、それにより、適応offset情報がトラフィックを一致させるために構成できる。したがって、UEは、2つの基地局の間のSFN  offsetを測定し、SFN  offsetをソース基地局に報告する必要がある。任意選択で、UEは、基地局により構成された方式で或いは自律的な方式で、報告を完了してもよい。報告は、一度の報告又は定期的な報告でもよく、RRCシグナリング又はMAC  CEのようなシグナリングで搬送されてもよい。さらに、ソース基地局は、HO  requestを使用することにより、同期エラー(SFN  offset)をターゲット基地局に送信する必要がある。
【０２０９】
さらに、ソース基地局は、UEが関心を有する周波数に関する情報をHO要求メッセージに更に含めてもよく、それにより、ターゲット基地局は、UEのためのSL  CAを構成する。ソース基地局は、PPPR情報をHO要求メッセージに含めてもよく、それにより、ターゲット基地局は、UEのためのSL  duplicationを構成する。
【０２１０】
さらに、HO要求メッセージは、スケジューリングする際にターゲット基地局を支援するために、CBR測定結果及びUEのGPS情報を搬送する。CBR測定結果は、mode3で使用されるリソースプールの測定結果と、mode4で使用されるリソースプールの測定結果とを含んでもよい。
【０２１１】
任意選択で、ターゲット基地局がターゲットセルのSL  SPS/GFリソース構成情報を搬送するためにX2インタフェース上でHO  ACKを使用するとき、ターゲット基地局は、1つ以上のSPS/GF構成情報をソース基地局に送信する必要がある。GF構成情報のそれぞれは、以下の情報、すなわち、時間周波数リソース、周期及びoffset、MCS、送信電力等のうち少なくとも1つを含む。SPS情報のそれぞれは、周期、offset、時間ドメインリソース位置、周波数ドメインリソース位置、MCSレベル等を含む。UEが複数の構成をサポートする場合、各構成のパラメータは同じであるが、パラメータの値は異なる。この場合、複数の構成のそれぞれの条件IDが識別される必要がある。UEが複数の異なるタイプのトラフィックを送信する必要がある場合、UEは複数のリソースを要求してもよく、ターゲット基地局は、対応してリソース構成中に複数のリソースを構成してもよい。
【０２１２】
任意選択で、ターゲットセルのexceptional  poolのリソース構成情報がX2インタフェース上でHO  ACKで搬送されるとき、exceptional  poolがLTE標準で使用されるかNR標準で使用されるかが更に示される必要がある。これは、既存の配備では、同じUEがLTE  SL能力とNR  SL能力との双方を有してもよいためである。したがって、ターゲット基地局は、exceptional  poolのリソースプールに対応する標準を示す必要がある。さらに、UEに対してRRC再構成を実行するとき、ソース基地局はまた、構成されたexceptional  poolが使用される標準を更に示す必要がある。したがって、リソースを受信するとき、UEは、対応する送信パラメータを使用することにより適応を実行する。
【０２１３】
SPS/GF構成の有効時点:任意選択で、UEがソース基地局のRRC再構成情報を受信したとき、UEは、HO構成情報を受信した後に、ソースセルのSPS/GF構成を使用することにより送信を実行し始める。代替として、SPS/GF構成は、構成が完了したことをUEがターゲット基地局にフィードバックした後に有効になり始める。代替として、UEは、ターゲットセルからのRARメッセージ又はターゲットセルからのMSG4メッセージを受信した後に、ソースセルのSPS/GF構成を使用することにより送信を実行し始める。代替として、UEがconditional  HOを実行する(すなわち、特別な条件が満たされたとき、UEがターゲットセルへのハンドオーバを開始する)とき、SPS/GF構成の有効時点は、UEが基地局により構成されるか或いは予め定義された条件/閾値を満たす時点である。
【０２１４】
SPS/GF構成の無効時刻:この場合、2つの場合が考えられてもよい。UEがターゲット基地局においてmodeモード3になるように構成されるとき、SPS/GF構成の無効時点は、ターゲットセルに対してRRC  SPS/GF再構成が実行される時点である。UEがターゲット基地局においてmode4にあるように構成されるとき、SPS/GF構成の無効時点は、ターゲットセルにおいてmode4でリソースを検知した後に、UEが利用可能なリソースを取得する時点である。
【０２１５】
さらに、任意選択で、UEのHOプロセスが失敗したとき、UEについて構成されたexeptionalリソースが存在する場合、UEは送信のためにexeptionalリソースにロールバックし、ハンドオーバプロセスにおいてSPS/GFリソースを使用してもよい。ハンドオーバが失敗し、割り当てられたexceptional  poolリソースが存在する場合、exceptional  poolリソースが使用できる。UEのためのexceptionalリソースが存在しない場合、UEは、実際はターゲットセルのものであるが、ソースセルにより依然として構成されたSPS/GFリソースを使用することにより送信を実行してもよい。代替として、UEは、HO  failureメッセージをソース基地局に送信し、送信リソースを再構成するように基地局に示してもよい。これはHO失敗シナリオである。この場合、リソースは、ソース基地局の実現挙動に依存し、動的にスケジュールされたリソースでもよく、或いは、半静的なSPS/GFリソースでもよい。
【０２１６】
上記の例示的な説明から、ターゲット基地局により構成されたSPS/GFリソースがハンドオーバプロセスにおいて使用され、それにより、競合の確率が低減され、伝送信頼性が改善されることが習得できる。
【０２１７】
図６は、この出願の実施形態による、UEとソース基地局とターゲット基地局とMMEとの間の相互作用の概略フローチャートである。
【０２１８】
S21.V-UEは、ハンドオーバをトリガするために測定報告をソース基地局に送信する。
【０２１９】
S22ソース基地局は、UEにより報告された測定結果に基づいて、ハンドオーバ手順を開始することを決定し、HO要求をMMEに送信する。
【０２２０】
S23.MMEは、HO要求をターゲット基地局に送信する。
【０２２１】
S24.ターゲット基地局は、HO確認応答をMMEに送信する。
【０２２２】
S25.MMEは、HO確認応答をソース基地局に送信する。
【０２２３】
S26.ソース基地局は、RRC再構成情報をV-UEに送信し、RRC再構成を実行し、V-UEに対してハンドオーバを実行するように要求し、exceptional  poolのリソース情報を構成する。
【０２２４】
S27.UEは、ターゲット基地局へのランダムアクセスを開始し、ハンドオーバを実行する。
【０２２５】
HO構成情報がUEにより受信される時点から、タイマT304が満了する前に、UEは、伝送のためにexceptional  pool内のリソースをランダムに選択する。T304は、UEがモビリティ制御情報(mobilityControlInfo)を含むRRC接続再構成メッセージを受信したときに開始し、新たなセルへのランダムアクセスが完了したときに停止する。
【０２２６】
ソースセルとターゲットセルとの間のX2インタフェースが利用不可能である場合、或いは、X2インタフェースが存在しない場合、HO  request及びHO  ACKはS1インタフェースを通じて伝送され、MMEにより転送される。S1インタフェースは、基地局とMMEとの間のインタフェースである。
【０２２７】
さらに、異なる標準の基地局に適応するために、上記の実施形態におけるSL  traffic  model情報及びSPS/GF構成情報の対応するキャリアは、S1インタフェースに変更される。すなわち、SL  traffic  model情報及びSPS/GF設定情報は、S1インタフェースを通じて伝送される。
【０２２８】
上記の実施形態における基地局は、LTEにおけるeNB又はNRにおけるgNBに限定されない。基地局に接続されるコアネットワークのタイプも限定されず、4Gシステムにおける進化型パケットコア(Evolded  Packet  Core,  EPC)又は5Gシステムにおける5Gコア(5G  Core,  5GC)でもよい。
【０２２９】
さらに、異なるハンドオーバシナリオに適応するために、上記の実施形態におけるHO  requestメッセージ及びHO  ACKメッセージは、基地局の間の共通伝送メッセージに更に置き換えられてもよい。HO  requestメッセージ及びHO  ACKメッセージの具体的な表現形式は、HO  request及びHO  ACKでもよい。
【０２３０】
5Gエアインタフェースが使用される場合、X2、S1及びMMEは、Xn、NG及びAMFに置き換えられる必要がある。
【０２３１】
この出願のこの実施形態では、HO  requestは、X2/Xn(X2インタフェースが利用可能である)又はS1/NG(X2インタフェースが利用不可能である)を通じて、以下の情報のうち少なくとも1つをターゲット基地局に送信するためにソース基地局により使用される。
traffic  model:トラフィック周期、offset、PPPP、PPPR等、
ノード間同期情報:SPSオフセット構成を支援するために使用されるノード間SFN  offset、ここで、ハンドオーバプロセスでは、UEはターゲット基地局により構成されたSPS/GF情報を使用する必要があり、ソース基地局とターゲット基地局の間に同期エラーが存在するので、2つの基地局の間の同期エラーが整合される必要があり、それにより、適応offset情報がトラフィックに一致させるために構成できる、
UEが関心を有する周波数に関する情報、
CBR測定結果、及び
GPS情報。
【０２３２】
HO  ACKは、X2/Xn(X2インタフェースが利用可能である)又はS1/NG(X2インタフェースが利用不可能である)を通じて以下の情報のうち少なくとも1つをソース基地局に送信するためにターゲット基地局により使用される。X2インタフェース上でのHO  ACKは、ターゲットセルのSL  SPS/GFリソース構成情報を搬送するために使用され、X2インタフェースは、ターゲットセルのSL  CA構成及びSL  duplication構成を搬送するために使用される。
【０２３３】
上記の例示的な説明から、ターゲット基地局により構成されたSPS/GFリソースがハンドオーバプロセスにおいて使用され、それにより、競合の確率が低減され、信頼性が改善することが習得できる。これは、新たなセルへのハンドオーバ後に、SLを再測定してSPS/GFリソースを再構成する際の遅延を低減する。
【０２３４】
簡潔な説明のため、上記の方法の実施形態は、一連の動作として表される点に留意すべきである。しかし、この出願によれば、いくつかのステップが他の順序で或いは同時に実行されてもよいので、この出願は動作の記載の順序に限定されないことを当業者は認識すべきである。この明細書に記載の実施形態は全て例示的な実施形態に属し、関与する動作及びモジュールは必ずしもこの出願により必要とされないことが、当業者により更に認識されるべきである。
【０２３５】
この出願の実施形態における上記の解決策をより良く実現するために、以下に、上記の解決策を実現するための関連する装置を更に提供する。
【０２３６】
図７を参照して、この出願の実施形態は、無線アクセスネットワークデバイスを提供し、無線アクセスネットワークデバイスは、具体的には第1の無線アクセスネットワークデバイス700であり、第1の無線アクセスネットワークデバイス700は、
第1の端末デバイスにより送信された第1の端末デバイスのトラフィックモデル情報を受信するように構成された受信モジュール701と、
第1の端末デバイスのトラフィックモデル情報を第2の無線アクセスネットワークデバイスに送信するように構成された送信モジュール702とを含み、
受信モジュール701は、第2の無線アクセスネットワークデバイスにより送信された第1のリソース構成情報を受信するように構成され、
第1のリソース構成情報に基づいて、ハンドオーバプロセスにおいてサイドリンクSL上でデータを伝送するために第1の端末デバイスにより必要とされる伝送リソースを決定するように構成された処理モジュール703であり、ハンドオーバプロセスは、第1の端末デバイスが第1の無線アクセスネットワークデバイスから第2の無線アクセスネットワークデバイスにハンドオーバされるプロセスであり、サイドリンクは、第1の端末デバイスと第2の端末デバイスとの間の通信リンクである、処理モジュール703を含み、
送信モジュール702は、構成メッセージを第1の端末デバイスに送信するように構成される。
【０２３７】
構成メッセージは、第1のリソース構成情報を含む。
【０２３８】
代替として、構成メッセージは、第1のリソース構成情報に基づいて第1の無線アクセスネットワークデバイスにより生成された第2のリソース構成情報を含み、第2のリソース構成情報は、ハンドオーバプロセスにおいてサイドリンク上でデータを伝送するために第1の端末デバイスにより必要とされる伝送リソースを含む。
【０２３９】
この出願のいくつかの実施形態では、送信モジュール702は、以下の動作、すなわち、
第1の端末デバイスによりサポートされる周波数に関する情報を第2の無線アクセスネットワークデバイスに送信すること、
第1の端末デバイスにより生成されたチャネルビジー比CBR測定結果を第2の無線アクセスネットワークデバイスに送信すること、
第1の端末デバイスの位置情報を第2の無線アクセスネットワークデバイスに送信すること、
ノード間同期情報を第2の無線アクセスネットワークデバイスに送信することであり、ノード間同期情報は、第1の無線アクセスネットワークデバイスと第2の無線アクセスネットワークデバイスとの間のシステムフレーム番号SFNオフセットに関する情報を示すために使用される、こと、又は
ネットワーク標準要求情報を第2の無線アクセスネットワークデバイスに送信することであり、ネットワーク標準要求情報は、第2の無線アクセスネットワークデバイスから伝送リソースに対応するネットワーク標準を要求するために使用される、こと
のうちいずれか1つ以上を実行するように更に構成される。
【０２４０】
この出願のいくつかの実施形態では、以下の情報、すなわち、トラフィックモデル情報、第1の端末デバイスによりサポートされる周波数に関する情報、CBR測定結果、第1の端末デバイスの位置情報、ノード間同期情報又はネットワーク標準要求情報のうちいずれか1つ以上がハンドオーバ要求で搬送される。
【０２４１】
ハンドオーバ要求は、第1の無線アクセスネットワークデバイスにより第2の無線アクセスネットワークデバイスに送信される。
【０２４２】
この出願のいくつかの実施形態では、受信モジュール701は、以下の動作、すなわち、
第2の無線アクセスネットワークデバイスにより送信されたネットワーク標準指示情報を受信することであり、ネットワーク標準指示情報は、伝送リソースに対応するネットワーク標準を示すために使用される、こと、又は
第2の無線アクセスネットワークデバイスにより送信された第3のリソース構成情報を受信することであり、第3のリソース構成情報は、以下の情報、すなわち、キャリアアグリゲーションCA構成情報又はデュプリケーション構成情報のうち少なくとも1つを含む、こと
を実行するように更に構成される。
【０２４３】
図８を参照して、この出願の実施形態は、無線アクセスネットワークデバイスを提供し、無線アクセスネットワークデバイスは、具体的には第2の無線アクセスネットワークデバイス800であり、第2の無線アクセスネットワークデバイス800は、
第1の無線アクセスネットワークデバイスにより送信された第1の端末デバイスのトラフィックモデル情報を受信するように構成された受信モジュール801と、
第1の端末デバイスのトラフィックモデル情報に基づいて、ハンドオーバプロセスにおいてサイドリンクSL上でデータを伝送するために第1の端末デバイスにより必要とされる伝送リソースを決定するように構成された処理モジュール802であり、ハンドオーバプロセスは、第1の端末デバイスが第1の無線アクセスネットワークデバイスから第2の無線アクセスネットワークデバイスにハンドオーバされるプロセスであり、サイドリンクは、第1の端末デバイスと第2の端末デバイスとの間の通信リンクである、処理モジュール802と、
第1のリソース構成情報を第1の無線アクセスネットワークデバイスに送信するように構成された送信モジュール803であり、第1のリソース構成情報は伝送リソースを含む、送信モジュール803と
を含む。
【０２４４】
この出願のいくつかの実施形態では、受信モジュールは、以下の動作、すなわち、
第1の無線アクセスネットワークデバイスにより送信された、第1の端末デバイスによりサポートされる周波数に関する情報を受信すること、
第1の無線アクセスネットワークデバイスにより送信された、第1の端末デバイスにより生成されたチャネルビジー比CBR測定結果を受信すること、
第1の無線アクセスネットワークデバイスにより送信された第1の端末デバイスの位置情報を受信すること、
第1の無線アクセスネットワークデバイスにより送信されたノード間同期情報を受信することであり、ノード間同期情報は、第1の無線アクセスネットワークデバイスと第2の無線アクセスネットワークデバイスとの間のシステムフレーム番号SFNオフセットに関する情報を示すために使用される、こと、又は
第1の無線アクセスネットワークデバイスにより送信されたネットワーク標準要求情報を受信することであり、ネットワーク標準要求情報は、第2の無線アクセスネットワークデバイスから伝送リソースに対応するネットワーク標準を要求するために使用される、こと
のうちいずれか1つ以上を実行するように更に構成される。
【０２４５】
この出願のいくつかの実施形態では、処理モジュール802は、以下の動作、すなわち、
第1の端末デバイスによりサポートされる周波数に関する情報に基づいて、第1の端末デバイスのためのキャリアを構成すること、
CBR測定結果に基づいて、第1の端末デバイスのための伝送リソースの位置を決定すること、
第1の端末デバイスについて、第1の端末デバイスの位置情報に基づいて、第1の端末デバイスが位置するエリアに対応するリソース位置を決定すること、又は
ノード間同期情報に基づいて伝送リソースの時間ドメイン位置を修正すること
のうちいずれか1つ以上を実行するように更に構成される。
【０２４６】
この出願のいくつかの実施形態では、送信モジュール803は、以下の動作、すなわち、
ネットワーク標準指示情報を第1の無線アクセスネットワークデバイスに送信することであり、ネットワーク標準指示情報は、伝送リソースに対応するネットワーク標準を示すために使用される、こと、又は
第3のリソース構成情報を第1の無線アクセスネットワークデバイスに送信することであり、第3のリソース構成情報は、以下の情報、すなわち、キャリアアグリゲーションCA構成情報又はデュプリケーション構成情報のうち少なくとも1つを含む、こと
を実行するように更に構成される。
【０２４７】
図９を参照して、この出願の実施形態は、端末デバイスを提供し、端末デバイスは、具体的には第1の端末デバイス900であり、第1の端末デバイス900は、
第1の端末デバイスのトラフィックモデル情報を第1の無線アクセスネットワークデバイスに送信するように構成された送信モジュール901と、
第1の無線アクセスネットワークデバイスにより送信された構成メッセージを受信するように構成された受信モジュール902と、
構成メッセージに基づいて、第1のリソース構成情報、又は第1のリソース構成情報に基づいて第1の無線アクセスネットワークデバイスにより生成された第2のリソース構成情報を決定するように構成された処理モジュール903であり、第1のリソース構成情報は、ハンドオーバプロセスにおいてサイドリンクSL上でデータを伝送するために第1の端末デバイスにより必要とされる伝送リソースを含み、ハンドオーバプロセスは、第1の端末デバイスが第1の無線アクセスネットワークデバイスから第2の無線アクセスネットワークデバイスにハンドオーバされるプロセスであり、サイドリンクは、第1の端末デバイスと第2の端末デバイスとの間の通信リンクであり、第2のリソース構成情報は、ハンドオーバプロセスにおいてサイドリンク上でデータを伝送するために第1の端末デバイスにより必要とされる伝送リソースを含む、処理モジュール903とを含み、
送信モジュール901は、伝送リソースを使用することによりデータを第2の端末デバイスに伝送するように構成される。
【０２４８】
この出願のいくつかの実施形態では、送信モジュール901は、以下の動作、すなわち、
第1の端末デバイスによりサポートされる周波数に関する情報を第1の無線アクセスネットワークデバイスに送信すること、
第1の端末デバイスにより生成されたチャネルビジー比CBR測定結果を第1の無線アクセスネットワークデバイスに送信すること、
第1の端末デバイスの位置情報を第1の無線アクセスネットワークデバイスに送信すること、
ノード間同期情報を第1の無線アクセスネットワークデバイスに送信することであり、ノード間同期情報は、第1の無線アクセスネットワークデバイスと第2の無線アクセスネットワークデバイスとの間のシステムフレーム番号SFNオフセットに関する情報を示すために使用される、こと、又は
ネットワーク標準要求情報を第1の無線アクセスネットワークデバイスに送信することであり、ネットワーク標準要求情報は、第2の無線アクセスネットワークデバイスから伝送リソースに対応するネットワーク標準を要求するために使用される、こと
のうちいずれか1つ以上を実行するように更に構成される。
【０２４９】
この出願のいくつかの実施形態では、受信モジュール902は、以下の動作、すなわち、
第1の無線アクセスネットワークデバイスにより送信されたネットワーク標準指示情報を受信することであり、ネットワーク標準指示情報は、伝送リソースに対応するネットワーク標準を示すために使用される、こと、又は
第1の無線アクセスネットワークデバイスにより送信された第3のリソース構成情報を受信することであり、第3のリソース構成情報は、以下の情報、すなわち、キャリアアグリゲーションCA構成情報又はデュプリケーション構成情報のうち少なくとも1つを含む、こと
を実行するように更に構成される。
【０２５０】
この出願のいくつかの実施形態では、送信モジュール901は、以下の動作、すなわち、
第1の端末デバイスが伝送のためにモード3を使用するとき、構成メッセージが第1の端末デバイスにより受信される時点から第1の端末デバイスがハンドオーバされるセルが再構成される時点まで、伝送リソースを使用することによりデータを第2の端末デバイスに伝送すること、又は
第1の端末デバイスが伝送のためにモード4を使用するとき、構成メッセージが第1の端末デバイスにより受信される時点から検知されたリソースが第1の端末デバイスにより取得される時点まで、伝送リソースを使用することによりデータを第2の端末デバイスに伝送すること
を実行するように更に構成される。
【０２５１】
この出願のいくつかの実施形態では、第1の無線アクセスネットワークデバイスとコアネットワークデバイスとの間に通信接続が確立され、第2の無線アクセスネットワークデバイスとコアネットワークデバイスとの間に通信接続が確立される。
【０２５２】
情報は、コアネットワークデバイスを使用することにより、第1の無線アクセスネットワークデバイスと第2の無線アクセスネットワークデバイスとの間で転送される。
【０２５３】
この出願のいくつかの実施形態では、トラフィックモデル情報は、以下の情報、すなわち、トラフィック周期情報、システムフレーム番号に対するトラフィックの時間オフセットに関する情報、サイドリンクデータパケット優先度PPPP情報、サイドリンクデータパケット信頼性PPPR情報又はトラフィックパケットサイズ情報のうちいずれか1つ以上を更に含む。
【０２５４】
この出願のいくつかの実施形態では、図８に示すように、第2の無線アクセスネットワークデバイスの処理モジュール802は、以下の動作、すなわち、
トラフィック周期情報に基づいて伝送リソースのリソース周期を決定すること、
システムフレーム番号に対するトラフィックの時間オフセットに関する情報に基づいて、開始システムフレーム番号に対する伝送リソースの時間ドメイン位置を決定すること、
PPPP情報に基づいて、伝送リソース上で搬送されるデータの優先度を決定すること、
PPPR情報に基づいて、伝送リソースに対応する信頼性要件及び伝送リソースに対応するチャネル品質を決定すること、又は
トラフィックパケットサイズ情報に基づいて、伝送リソース上で搬送されるトラフィックデータの量を決定すること
のうちいずれか1つ以上を実行するように更に構成される。
【０２５５】
装置のモジュール/ユニットの間の情報交換及びその実行プロセスのような内容は、この出願の方法の実施形態と同じ概念に基づいており、この出願の方法の実施形態と同じ技術的効果を生じる点に留意すべきである。具体的な内容については、この出願の方法の実施形態における上記の説明を参照する。詳細は、ここでは再び説明しない。
【０２５６】
この出願の実施形態は、コンピュータ記憶媒体を更に提供する。コンピュータ記憶媒体はプログラムを記憶する。プログラムは、方法の実施形態に記載のステップの一部又は全部を実行するために実行される。
【０２５７】
以下に、この出願の実施形態において提供される他の第1の無線アクセスネットワークデバイスについて説明する。図１０を参照して、第1の無線アクセスネットワークデバイス1000は、
受信機1001と、送信機1002と、プロセッサ1003と、メモリ1004とを含む(第1の無線アクセスネットワークデバイス1000に1つ以上のプロセッサ1003が存在してもよく、図１０では1つのプロセッサが例として使用される)。この出願のいくつかの実施形態では、受信機1001、送信機1002、プロセッサ1003及びメモリ1004は、バスを使用することにより或いは他の方式で接続されてもよい。図１０では、バス接続が例として使用される。
【０２５８】
メモリ1004は、読み取り専用メモリ及びランダムアクセスメモリを含み、プロセッサ1003のための命令及びデータを提供してもよい。メモリ1004の一部は、不揮発性ランダムアクセスメモリ(non-volatile  random  access  memory,  NVRAM)を更に含んでもよい。メモリ1004は、オペレーティングシステム及び動作命令、実行可能モジュール若しくはデータ構造、これらのサブセット、又はそれらの拡張セットを記憶する。動作命令は、様々な動作を実現するための様々な動作命令を含んでもよい。オペレーティングシステムは、様々な基本サービスを実現してハードウェアベースのタスクを処理するための様々なシステムプログラムを含んでもよい。
【０２５９】
プロセッサ1003は、第1の無線アクセスネットワークデバイスの動作を制御し、プロセッサ1003はまた、中央処理装置(central  processing  Unit,  CPU)と呼ばれてもよい。特定の用途では、第1の無線アクセスネットワークデバイスのコンポーネントは、バスシステムを通じて一緒に結合される。データバスに加えて、バスシステムは、電力バス、制御バス、状態信号バス等を更に含んでもよい。しかし、明確な説明のため、図面における様々なタイプのバスがバスシステムとして記されている。
【０２６０】
この出願の上記の実施形態に開示された方法は、プロセッサ1003に適用されてもよく、或いは、プロセッサ1003により実現されてもよい。プロセッサ1003は集積回路チップでもよく、信号処理能力を有する。実現プロセスにおいて、上記の方法におけるステップは、プロセッサ1003内のハードウェア集積論理回路又はソフトウェアの形式の命令を使用することにより完了されてもよい。プロセッサ1003は、汎用プロセッサ、デジタルシグナルプロセッサ(digital  signal  processor,  DSP)、特定用途向け集積回路(application  specific  integrated  circuit,  ASIC)、フィールドプログラマブルゲートアレイ(field-programmable  gate  array,  FPGA)若しくは他のプログラム可能論理デバイス、ディスクリートゲート若しくはトランジスタ論理デバイス、又は個別ハードウェアコンポーネントでもよい。プロセッサは、この出願の実施形態に開示される方法、ステップ及び論理ブロック図を実現又は実行してもよい。汎用プロセッサは、マイクロプロセッサでもよく、或いは、プロセッサは、いずれかの従来のプロセッサ等でもよい。この出願の実施形態を参照して開示された方法のステップは、ハードウェア復号プロセッサを使用することにより直接的に実行及び完了されてもよく、或いは、復号プロセッサ内のハードウェアとソフトウェアモジュールとの組み合わせを使用することにより実行及び完了されてもよい。ソフトウェアモジュールは、ランダムアクセスメモリ、フラッシュメモリ、読み取り専用メモリ、プログラム可能読み取り専用メモリ、電気的消去可能プログラム可能メモリ又はレジスタのような、当該技術分野における成熟した記憶媒体に位置してもよい。記憶媒体はメモリ1004に位置し、プロセッサ1003は、メモリ1004内の情報を読み取り、プロセッサのハードウェアと組み合わせて上記の方法におけるステップを完了する。
【０２６１】
受信機1001は、入力された数字又は文字情報を受信し、第1の無線アクセスネットワークデバイスの関連する設定及び機能制御に関連する信号入力を生成するように構成されてもよい。送信機1002は、外部インタフェースを使用することにより、数字又は文字情報を出力するように構成されてもよい。
【０２６２】
この出願のこの実施形態では、プロセッサ1003は、上記の実施形態において第1の無線アクセスネットワークデバイスにより実行されるデータ伝送方法を実行するように構成される。
【０２６３】
以下に、この出願の実施形態において提供される他の第2の無線アクセスネットワークデバイスについて説明する。図１１を参照して、第2の無線アクセスネットワークデバイス1100は、
受信機1101と、送信機1102と、プロセッサ1103と、メモリ1104とを含む(第2の無線アクセスネットワークデバイス1100に1つ以上のプロセッサ1103が存在してもよく、図１１では1つのプロセッサが例として使用される)。この出願のいくつかの実施形態では、受信機1101、送信機1102、プロセッサ1103及びメモリ1104は、バスを使用することにより或いは他の方式で接続されてもよい。図１１では、バス接続が例として使用される。
【０２６４】
メモリ1104は、読み取り専用メモリ及びランダムアクセスメモリを含み、プロセッサ1103のための命令及びデータを提供してもよい。メモリ1104の一部は、NVRAMを更に含んでもよい。メモリ1104は、オペレーティングシステム及び動作命令、実行可能モジュール若しくはデータ構造、これらのサブセット、又はそれらの拡張セットを記憶する。動作命令は、様々な動作を実現するための様々な動作命令を含んでもよい。オペレーティングシステムは、様々な基本サービスを実現してハードウェアベースのタスクを処理するための様々なシステムプログラムを含んでもよい。
【０２６５】
プロセッサ1103は、第2の無線アクセスネットワークデバイスの動作を制御し、プロセッサ1103はまた、CPUと呼ばれてもよい。特定の用途では、第2の無線アクセスネットワークデバイスのコンポーネントは、バスシステムを通じて一緒に結合される。データバスに加えて、バスシステムは、電力バス、制御バス、状態信号バス等を更に含んでもよい。しかし、明確な説明のため、図面における様々なタイプのバスがバスシステムとして記されている。
【０２６６】
この出願の上記の実施形態に開示された方法は、プロセッサ1103に適用されてもよく、或いは、プロセッサ1103により実現されてもよい。第2の無線アクセスネットワークデバイスのプロセッサ1103は集積回路チップでもよく、信号処理能力を有する。実現プロセスにおいて、上記の方法におけるステップは、プロセッサ1103内のハードウェア集積論理回路又はソフトウェアの形式の命令を使用することにより完了されてもよい。プロセッサ1103は、汎用プロセッサ、DSP、ASIC、FPGA若しくは他のプログラム可能論理デバイス、ディスクリートゲート若しくはトランジスタ論理デバイス、又は個別ハードウェアコンポーネントでもよい。プロセッサは、この出願の実施形態に開示される方法、ステップ及び論理ブロック図を実現又は実行してもよい。汎用プロセッサは、マイクロプロセッサでもよく、或いは、プロセッサは、いずれかの従来のプロセッサ等でもよい。この出願の実施形態を参照して開示された方法のステップは、ハードウェア復号プロセッサを使用することにより直接的に実行及び完了されてもよく、或いは、復号プロセッサ内のハードウェアとソフトウェアモジュールとの組み合わせを使用することにより実行及び完了されてもよい。ソフトウェアモジュールは、ランダムアクセスメモリ、フラッシュメモリ、読み取り専用メモリ、プログラム可能読み取り専用メモリ、電気的消去可能プログラム可能メモリ又はレジスタのような、当該技術分野における成熟した記憶媒体に位置してもよい。記憶媒体はメモリ1104に位置し、プロセッサ1103は、メモリ1104内の情報を読み取り、プロセッサのハードウェアと組み合わせて上記の方法におけるステップを完了する。
【０２６７】
この出願のこの実施形態では、プロセッサ1103は、上記の実施形態において第2の無線アクセスネットワークデバイスにより実行されるデータ伝送方法を実行するように構成される。
【０２６８】
以下に、この出願の実施形態において提供される他の第1の端末デバイスについて説明する。図１２を参照して、第1の端末デバイス1200は、
受信機1201と、送信機1202と、プロセッサ1203と、メモリ1204とを含む(第1の端末デバイス1200に1つ以上のプロセッサ1203が存在してもよく、図１２では1つのプロセッサが例として使用される)。この出願のいくつかの実施形態では、受信機1201、送信機1202、プロセッサ1203及びメモリ1204は、バスを使用することにより或いは他の方式で接続されてもよい。図１２では、バス接続が例として使用される。
【０２６９】
メモリ1104は、読み取り専用メモリ及びランダムアクセスメモリを含み、プロセッサ1203のための命令及びデータを提供してもよい。メモリ1204の一部は、NVRAMを更に含んでもよい。メモリ1204は、オペレーティングシステム及び動作命令、実行可能モジュール若しくはデータ構造、これらのサブセット、又はそれらの拡張セットを記憶する。動作命令は、様々な動作を実現するための様々な動作命令を含んでもよい。オペレーティングシステムは、様々な基本サービスを実現してハードウェアベースのタスクを処理するための様々なシステムプログラムを含んでもよい。
【０２７０】
プロセッサ1203は、第1の端末デバイスの動作を制御し、プロセッサ1203はまた、CPUと呼ばれてもよい。特定の用途では、第1の端末デバイスのコンポーネントは、バスシステムを通じて一緒に結合される。データバスに加えて、バスシステムは、電力バス、制御バス、状態信号バス等を更に含んでもよい。しかし、明確な説明のため、図面における様々なタイプのバスがバスシステムとして記されている。
【０２７１】
この出願の上記の実施形態に開示された方法は、プロセッサ1203に適用されてもよく、或いは、プロセッサ1203により実現されてもよい。第1の端末デバイスのプロセッサ1203は集積回路チップでもよく、信号処理能力を有する。実現プロセスにおいて、上記の方法におけるステップは、プロセッサ1203内のハードウェア集積論理回路又はソフトウェアの形式の命令を使用することにより完了されてもよい。プロセッサ1203は、汎用プロセッサ、DSP、ASIC、FPGA若しくは他のプログラム可能論理デバイス、ディスクリートゲート若しくはトランジスタ論理デバイス、又は個別ハードウェアコンポーネントでもよい。プロセッサは、この出願の実施形態に開示される方法、ステップ及び論理ブロック図を実現又は実行してもよい。汎用プロセッサは、マイクロプロセッサでもよく、或いは、プロセッサは、いずれかの従来のプロセッサ等でもよい。この出願の実施形態を参照して開示された方法のステップは、ハードウェア復号プロセッサを使用することにより直接的に実行及び完了されてもよく、或いは、復号プロセッサ内のハードウェアとソフトウェアモジュールとの組み合わせを使用することにより実行及び完了されてもよい。ソフトウェアモジュールは、ランダムアクセスメモリ、フラッシュメモリ、読み取り専用メモリ、プログラム可能読み取り専用メモリ、電気的消去可能プログラム可能メモリ又はレジスタのような、当該技術分野における成熟した記憶媒体に位置してもよい。記憶媒体はメモリ1204に位置し、プロセッサ1203は、メモリ1204内の情報を読み取り、プロセッサのハードウェアと組み合わせて上記の方法におけるステップを完了する。
【０２７２】
この出願のこの実施形態では、プロセッサ1203は、上記の実施形態において第1の端末デバイスにより実行されるデータ伝送方法を実行するように構成される。
【０２７３】
他の可能な設計では、装置が端末内のチップである場合、チップは、処理ユニット及び通信ユニットを含む。処理ユニットは、例えば、プロセッサでもよい。通信ユニットは、例えば、入力/出力インタフェース、ピン又は回路でもよい。処理ユニットは、記憶ユニットに記憶されたコンピュータ実行可能命令を実行してもよく、それにより、端末内のチップは、第1の態様の可能な実現方式のうちいずれか1つに従って無線通信方法を実行することが可能になる。任意選択で、記憶ユニットは、レジスタ又はバッファのようなチップ内の記憶ユニットでもよく、或いは、記憶ユニットは、読み取り専用メモリ(read-only  memory,  ROM)、静的な情報及び命令を記憶可能な他のタイプの静的記憶デバイス又はランダムアクセスメモリ(random  access  memory,  RAM)のような、端末内であるがチップ外の記憶ユニットでもよい。
【０２７４】
上記のいずれかのプロセッサは、汎用中央処理装置(Central  Processing  Unit,  CPU)、マイクロプロセッサ、特定用途向け集積回路(application-specific  integrated  circuit,  ASIC)、又は第1の態様に従って無線通信方法のプログラム実行を制御するための1つ以上の集積回路でもよい。
【０２７５】
さらに、記載の装置の実施形態は、単なる例である点に留意すべきである。別個の部分として記載されるユニットは、物理的に分離されてもよく或いは分離されなくてもよく、ユニットとして表示される部分は、物理的なユニットでもよく或いは物理的なユニットでなくてもよく、1つの場所に位置してもよく、或いは、複数のネットワークユニットに分散されてもよい。モジュールの一部又は全部は、実施形態の解決策の目的を達成するために、実際のニーズに基づいて選択されてもよい。さらに、この出願において提供される装置の実施形態の添付の図面において、モジュールの間の接続関係は、モジュールが互いに通信接続を有し、これは1つ以上の通信バス又は信号ケーブルとして具体的に実現されてもよいことを示す。
【０２７６】
上記の実現方式の説明に基づいて、当業者は、この出願が必要なユニバーサルハードウェアに加えてソフトウェアにより、或いは専用集積回路、専用CPU、専用メモリ、専用コンポーネント等を含む専用ハードウェアにより実現されてもよいことを明確に理解し得る。一般的に、コンピュータプログラムにより実行できるいずれかの機能は、対応するハードウェアにより容易に実現できる。さらに、同じ機能を達成するために使用される具体的なハードウェア構造は、様々な形式、例えば、アナログ回路、デジタル回路又は専用回路の形式でもよい。しかし、この出願に関しては、ほとんどの場合、ソフトウェアプログラムの実現方式がより良い実現方式である。このような理解に基づいて、この出願の技術的解決策は本質的に、或いは、現在の技術に寄与する部分は、ソフトウェア製品の形式で実現されてもよい。コンピュータソフトウェア製品は、コンピュータのフロッピーディスク、USBフラッシュドライブ、取り外し可能ハードディスク、読み取り専用メモリ、ランダムアクセスメモリ、磁気ディスク又は光ディスクのような読み取り可能記憶媒体に記憶され、コンピュータデバイス(パーソナルコンピュータ、サーバ、ネットワークデバイス等でもよい)に対してこの出願の実施形態に記載の方法を実行するように命令するためのいくつかの命令を含む。
【０２７７】
上記の実施形態の全部又は一部は、ソフトウェア、ハードウェア、ファームウェア又はこれらのいずれかの組み合わせを使用することにより実現されてもよい。ソフトウェアが実施形態を実現するために使用されるとき、実施形態の全部又は一部は、コンピュータプログラム製品の形式で実現されてもよい。
【０２７８】
コンピュータプログラム製品は、1つ以上のコンピュータ命令を含む。コンピュータプログラム命令がコンピュータ上にロードされて実行されたとき、この出願の実施形態による手順又は機能が全部或いは部分的に生成される。コンピュータは、汎用コンピュータ、専用コンピュータ、コンピュータネットワーク又は他のプログラム可能装置でもよい。コンピュータ命令は、コンピュータ読み取り可能記憶媒体に記憶されてもよく、或いは、コンピュータ読み取り可能記憶媒体から他のコンピュータ読み取り可能記憶媒体に伝送されてもよい。例えば、コンピュータ命令は、有線(例えば、同軸ケーブル、光ファイバ又はデジタル加入者線(DSL))又は無線(例えば、赤外線、無線及びマイクロ波等)の形式で、ウェブサイト、コンピュータ、サーバ又はデータセンタから、他のウェブサイト、コンピュータ、サーバ又はデータセンタに伝送されてもよい。コンピュータ読み取り可能記憶媒体は、コンピュータによりアクセス可能ないずれかの使用可能媒体、又は1つ以上の使用可能媒体を統合するサーバ又はデータセンタのようなデータ記憶デバイスでもよい。使用可能媒体は、磁気媒体(例えば、フロッピーディスク、ハードディスク、磁気テープ)、光媒体(例えば、DVD)、半導体媒体(例えば、ソリッドステートドライブ(solid  state  disk,  SSD))等でもよい。
【図１】
2021535684.tif 000003
【図２】
2021535684.tif 000004
【図３Ａ】
2021535684.tif 000005
【図３Ｂ】
2021535684.tif 000006
【図４】
2021535684.tif 000007
【図５】
2021535684.tif 000008
【図６】
2021535684.tif 000009
【図７】
2021535684.tif 000010
【図８】
2021535684.tif 000011
【図９】
2021535684.tif 000012
【図１０】
2021535684.tif 000013
【図１１】
2021535684.tif 000014
【図１２】
2021535684.tif 000015
【手続補正書】
【提出日】令和3年4月9日(2021.4.9)
【手続補正１】
【補正対象書類名】特許請求の範囲
【補正対象項目名】全文
【補正方法】変更
【補正の内容】
【特許請求の範囲】
【請求項１】
データ伝送方法であって、
当該方法は、第1の無線アクセスネットワークデバイスに適用され、
前記第1の無線アクセスネットワークデバイスにより、第1の端末デバイスにより送信された前記第1の端末デバイスのトラフィックモデル情報を受信するステップと、
前記第1の無線アクセスネットワークデバイスにより、前記第1の端末デバイスの前記トラフィックモデル情報を第2の無線アクセスネットワークデバイスに送信するステップと、
前記第1の無線アクセスネットワークデバイスにより、前記第2の無線アクセスネットワークデバイスにより送信された第1のリソース構成情報を受信するステップであり、前記第1のリソース構成情報は、ハンドオーバプロセスにおいてサイドリンクSL上でデータを伝送するために前記第1の端末デバイスにより必要とされる伝送リソースを含み、前記ハンドオーバプロセスは、前記第1の端末デバイスが前記第1の無線アクセスネットワークデバイスから前記第2の無線アクセスネットワークデバイスにハンドオーバされるプロセスであり、前記サイドリンクは、前記第1の端末デバイスと第2の端末デバイスとの間の通信リンクである、ステップと、
前記第1の無線アクセスネットワークデバイスにより、構成メッセージを前記第1の端末デバイスに送信するステップと
を含み、
前記構成メッセージは、前記第1のリソース構成情報を含むか、或いは、
前記構成メッセージは、第1のリソース構成情報に基づいて前記第1の無線アクセスネットワークデバイスにより生成された第2のリソース構成情報を含み、前記第2のリソース構成情報は、前記ハンドオーバプロセスにおいて前記サイドリンク上でデータを伝送するために前記第1の端末デバイスにより必要とされる前記伝送リソースを含む、方法。
【請求項２】
当該方法は、以下の動作、すなわち、
前記第1の無線アクセスネットワークデバイスにより、前記第1の端末デバイスによりサポートされる周波数に関する情報を前記第2の無線アクセスネットワークデバイスに送信すること、
前記第1の無線アクセスネットワークデバイスにより、前記第1の端末デバイスにより生成されたチャネルビジー比CBR測定結果を前記第2の無線アクセスネットワークデバイスに送信すること、
前記第1の無線アクセスネットワークデバイスにより、前記第1の端末デバイスの位置情報を前記第2の無線アクセスネットワークデバイスに送信すること、
前記第1の無線アクセスネットワークデバイスにより、ノード間同期情報を前記第2の無線アクセスネットワークデバイスに送信することであり、前記ノード間同期情報は、前記第1の無線アクセスネットワークデバイスと前記第2の無線アクセスネットワークデバイスとの間のシステムフレーム番号SFNオフセットに関する情報を示すために使用される、こと、又は
前記第1の無線アクセスネットワークデバイスにより、ネットワーク標準要求情報を前記第2の無線アクセスネットワークデバイスに送信することであり、前記ネットワーク標準要求情報は、前記第2の無線アクセスネットワークデバイスから前記伝送リソースに対応するネットワーク標準を要求するために使用される、こと
のうちいずれか1つ以上を更に含む、請求項１に記載の方法。
【請求項３】
以下の情報、すなわち、前記トラフィックモデル情報、前記第1の端末デバイスによりサポートされる周波数に関する情報、CBR測定結果、前記第1の端末デバイスの位置情報、ノード間同期情報又はネットワーク標準要求情報のうちいずれか1つ以上がハンドオーバ要求で搬送され、
前記ハンドオーバ要求は、前記第1の無線アクセスネットワークデバイスにより前記第2の無線アクセスネットワークデバイスに送信される、請求項１又は２に記載の方法。
【請求項４】
当該方法は、
前記第1の無線アクセスネットワークデバイスにより、前記第2の無線アクセスネットワークデバイスにより送信されたネットワーク標準指示情報を受信するステップであり、前記ネットワーク標準指示情報は、前記伝送リソースに対応するネットワーク標準を示すために使用される、ステップ、又は
前記第1の無線アクセスネットワークデバイスにより、前記第2の無線アクセスネットワークデバイスにより送信された第3のリソース構成情報を受信するステップであり、前記第3のリソース構成情報は、以下の情報、すなわち、キャリアアグリゲーションCA構成情報又はデュプリケーション構成情報のうち少なくとも1つを含む、ステップ
を更に含む、請求項１乃至３のうちいずれか１項に記載の方法。
【請求項５】
データ伝送方法であって、
当該方法は、第2の無線アクセスネットワークデバイスに適用され、
前記第2の無線アクセスネットワークデバイスにより、第1の無線アクセスネットワークデバイスにより送信された第1の端末デバイスのトラフィックモデル情報を受信するステップと、
前記第2の無線アクセスネットワークデバイスにより、前記第1の端末デバイスの前記トラフィックモデル情報に基づいて、ハンドオーバプロセスにおいてサイドリンクSL上でデータを伝送するために前記第1の端末デバイスにより必要とされる伝送リソースを決定するステップであり、前記ハンドオーバプロセスは、前記第1の端末デバイスが前記第1の無線アクセスネットワークデバイスから前記第2の無線アクセスネットワークデバイスにハンドオーバされるプロセスであり、前記サイドリンクは、前記第1の端末デバイスと第2の端末デバイスとの間の通信リンクである、ステップと、
前記第2の無線アクセスネットワークデバイスにより、第1のリソース構成情報を前記第1の無線アクセスネットワークデバイスに送信するステップであり、前記第1のリソース構成情報は伝送リソースを含む、ステップと
を含む方法。
【請求項６】
当該方法は、
前記第2の無線アクセスネットワークデバイスにより、前記第1の無線アクセスネットワークデバイスにより送信された、前記第1の端末デバイスによりサポートされる周波数に関する情報を受信するステップ、
前記第2の無線アクセスネットワークデバイスにより、前記第1の無線アクセスネットワークデバイスにより送信された、前記第1の端末デバイスにより生成されたチャネルビジー比CBR測定結果を受信するステップ、
前記第2の無線アクセスネットワークデバイスにより、前記第1の無線アクセスネットワークデバイスにより送信された前記第1の端末デバイスの位置情報を受信するステップ、
前記第2の無線アクセスネットワークデバイスにより、前記第1の無線アクセスネットワークデバイスにより送信されたノード間同期情報を受信するステップであり、前記ノード間同期情報は、前記第1の無線アクセスネットワークデバイスと前記第2の無線アクセスネットワークデバイスとの間のシステムフレーム番号SFNオフセットに関する情報を示すために使用される、ステップ、又は
前記第2の無線アクセスネットワークデバイスにより、前記第1の無線アクセスネットワークデバイスにより送信されたネットワーク標準要求情報を受信するステップであり、前記ネットワーク標準要求情報は、前記第2の無線アクセスネットワークデバイスから伝送リソースに対応するネットワーク標準を要求するために使用される、ステップ
を更に含む、請求項５に記載の方法。
【請求項７】
当該方法は、
前記第2の無線アクセスネットワークデバイスにより、前記第1の端末デバイスによりサポートされる前記周波数に関する前記情報に基づいて、前記第1の端末デバイスのためのキャリアを構成するステップ、
前記第2の無線アクセスネットワークデバイスにより、前記CBR測定結果に基づいて、前記第1の端末デバイスのための前記伝送リソースの位置を決定するステップ、
前記第2の無線アクセスネットワークデバイスにより、前記第1の端末デバイスについて、前記第1の端末デバイスの前記位置情報に基づいて、前記第1の端末デバイスが位置するエリアに対応するリソース位置を決定するステップ、又は
前記第2の無線アクセスネットワークデバイスにより、前記ノード間同期情報に基づいて前記伝送リソースの時間ドメイン位置を修正するステップ
を更に含む、請求項６に記載の方法。
【請求項８】
当該方法は、
前記第2の無線アクセスネットワークデバイスにより、ネットワーク標準指示情報を前記第1の無線アクセスネットワークデバイスに送信するステップであり、前記ネットワーク標準指示情報は、前記伝送リソースに対応するネットワーク標準を示すために使用される、ステップ、又は
前記第2の無線アクセスネットワークデバイスにより、第3のリソース構成情報を前記第1の無線アクセスネットワークデバイスに送信するステップであり、前記第3のリソース構成情報は、以下の情報、すなわち、キャリアアグリゲーションCA構成情報又はデュプリケーション構成情報のうち少なくとも1つを含む、ステップ
を更に含む、請求項５乃至７のうちいずれか１項に記載の方法。
【請求項９】
データ伝送方法であって、
当該方法は、第1の端末デバイスに適用され、
前記第1の端末デバイスにより、前記第1の端末デバイスのトラフィックモデル情報を第1の無線アクセスネットワークデバイスに送信するステップと、
前記第1の端末デバイスにより、前記第1の無線アクセスネットワークデバイスにより送信された構成メッセージを受信するステップであり、前記構成メッセージは、第1のリソース構成情報を含むか、或いは、前記構成メッセージは、第1のリソース構成情報に基づいて前記第1の無線アクセスネットワークデバイスにより生成された第2のリソース構成情報を含み、前記第1のリソース構成情報は、ハンドオーバプロセスにおいてサイドリンクSL上でデータを伝送するために前記第1の端末デバイスにより必要とされる伝送リソースを含み、前記ハンドオーバプロセスは、前記第1の端末デバイスが前記第1の無線アクセスネットワークデバイスから第2の無線アクセスネットワークデバイスにハンドオーバされるプロセスであり、前記サイドリンクは、前記第1の端末デバイスと第2の端末デバイスとの間の通信リンクであり、前記第2のリソース構成情報は、前記ハンドオーバプロセスにおいて前記サイドリンク上でデータを伝送するために前記第1の端末デバイスにより必要とされる前記伝送リソースを含む、ステップと、
前記第1の端末デバイスにより、前記伝送リソースを使用することによりデータを前記第2の端末デバイスに伝送するステップと
を含む方法。
【請求項１０】
当該方法は、以下の動作、すなわち、
前記第1の端末デバイスにより、前記第1の端末デバイスによりサポートされる周波数に関する情報を前記第1の無線アクセスネットワークデバイスに送信すること、
前記第1の端末デバイスにより、前記第1の端末デバイスにより生成されたチャネルビジー比CBR測定結果を前記第1の無線アクセスネットワークデバイスに送信すること、
前記第1の端末デバイスにより、前記第1の端末デバイスの位置情報を前記第1の無線アクセスネットワークデバイスに送信すること、
前記第1の端末デバイスにより、ノード間同期情報を前記第1の無線アクセスネットワークデバイスに送信することであり、前記ノード間同期情報は、前記第1の無線アクセスネットワークデバイスと前記第2の無線アクセスネットワークデバイスとの間のシステムフレーム番号SFNオフセットに関する情報を示すために使用される、こと、又は
前記第1の端末デバイスにより、ネットワーク標準要求情報を前記第1の無線アクセスネットワークデバイスに送信することであり、前記ネットワーク標準要求情報は、前記第2の無線アクセスネットワークデバイスから前記伝送リソースに対応するネットワーク標準を要求するために使用される、こと
のうちいずれか1つ以上を更に含む、請求項９に記載の方法。
【請求項１１】
当該方法は、
前記第1の端末デバイスにより、前記第1の無線アクセスネットワークデバイスにより送信されたネットワーク標準指示情報を受信するステップであり、前記ネットワーク標準指示情報は、前記伝送リソースに対応するネットワーク標準を示すために使用される、ステップ、又は
前記第1の端末デバイスにより、前記第1の無線アクセスネットワークデバイスにより送信された第3のリソース構成情報を受信するステップであり、前記第3のリソース構成情報は、以下の情報、すなわち、キャリアアグリゲーションCA構成情報又はデュプリケーション構成情報のうち少なくとも1つを含む、ステップ
を更に含む、請求項９又は１０に記載の方法。
【請求項１２】
前記第1の端末デバイスにより、前記伝送リソースを使用することによりデータを前記第2の端末デバイスに伝送するステップは、
前記第1の端末デバイスが伝送のためにモード3を使用するとき、前記第1の端末デバイスにより、前記構成メッセージが前記第1の端末デバイスにより受信される時点から前記第1の端末デバイスがハンドオーバされるセルが再構成される時点まで、前記伝送リソースを使用することによりデータを前記第2の端末デバイスに伝送するステップ、又は
前記第1の端末デバイスが伝送のためにモード4を使用するとき、前記第1の端末デバイスにより、前記構成メッセージが前記第1の端末デバイスにより受信される時点から検知されたリソースが前記第1の端末デバイスにより取得される時点まで、前記伝送リソースを使用することによりデータを前記第2の端末デバイスに伝送するステップ
を含む、請求項９乃至１１のうちいずれか１項に記載の方法。
【請求項１３】
前記第1の無線アクセスネットワークデバイスとコアネットワークデバイスとの間に通信接続が確立され、前記第2の無線アクセスネットワークデバイスと前記コアネットワークデバイスとの間に通信接続が確立され、
情報は、前記コアネットワークデバイスを使用することにより、前記第1の無線アクセスネットワークデバイスと前記第2の無線アクセスネットワークデバイスとの間で転送される、請求項１乃至１２のうちいずれか１項に記載の方法。
【請求項１４】
前記トラフィックモデル情報は、以下の情報、すなわち、トラフィック周期情報、システムフレーム番号に対するトラフィックの時間オフセットに関する情報、サイドリンクデータパケット優先度PPPP情報、サイドリンクデータパケット信頼性PPPR情報又はトラフィックパケットサイズ情報のうちいずれか1つ以上を含む、請求項１乃至１３のうちいずれか１項に記載の方法。
【請求項１５】
前記第2の無線アクセスネットワークデバイスにより、前記第1の端末デバイスの前記トラフィックモデル情報に基づいて、ハンドオーバプロセスにおいてサイドリンクSL上でデータを伝送するために前記第1の端末デバイスにより必要とされる伝送リソースを決定するステップは、
前記第2の無線アクセスネットワークデバイスにより、前記トラフィック周期情報に基づいて前記伝送リソースのリソース周期を決定するステップ、
前記第2の無線アクセスネットワークデバイスにより、前記システムフレーム番号に対する前記トラフィックの前記時間オフセットに関する前記情報に基づいて、開始システムフレーム番号に対する前記伝送リソースの時間ドメイン位置を決定するステップ、
前記第2の無線アクセスネットワークデバイスにより、前記PPPP情報に基づいて、前記伝送リソース上で搬送されるデータの優先度を決定するステップ、
前記第2の無線アクセスネットワークデバイスにより、前記PPPR情報に基づいて、前記伝送リソースに対応する信頼性要件及び前記伝送リソースに対応するチャネル品質を決定するステップ、又は
前記第2の無線アクセスネットワークデバイスにより、前記トラフィックパケットサイズ情報に基づいて、前記伝送リソース上で搬送されるトラフィックデータの量を決定するステップ
を含む、請求項１４に記載の方法。
【請求項１６】
無線アクセスネットワークデバイスであって、
当該無線アクセスネットワークデバイスは、具体的には第1の無線アクセスネットワークデバイスであり、前記第1の無線アクセスネットワークデバイスは、
第1の端末デバイスにより送信された前記第1の端末デバイスのトラフィックモデル情報を受信するように構成された受信モジュールと、
前記第1の端末デバイスの前記トラフィックモデル情報を第2の無線アクセスネットワークデバイスに送信するように構成された送信モジュールと
を含み、
前記受信モジュールは、前記第2の無線アクセスネットワークデバイスにより送信された第1のリソース構成情報を受信するように構成され、
前記第1のリソース構成情報に基づいて、ハンドオーバプロセスにおいてサイドリンクSL上でデータを伝送するために前記第1の端末デバイスにより必要とされる伝送リソースを決定するように構成された処理モジュールであり、前記ハンドオーバプロセスは、前記第1の端末デバイスが前記第1の無線アクセスネットワークデバイスから前記第2の無線アクセスネットワークデバイスにハンドオーバされるプロセスであり、前記サイドリンクは、前記第1の端末デバイスと第2の端末デバイスとの間の通信リンクである、処理モジュールを含み、
前記送信モジュールは、構成メッセージを第1の端末デバイスに送信するように構成され、
前記構成メッセージは、前記第1のリソース構成情報を含むか、或いは、
前記構成メッセージは、第1のリソース構成情報に基づいて前記第1の無線アクセスネットワークデバイスにより生成された第2のリソース構成情報を含み、前記第2のリソース構成情報は、前記ハンドオーバプロセスにおいて前記サイドリンク上でデータを伝送するために前記第1の端末デバイスにより必要とされる前記伝送リソースを含む、無線アクセスネットワークデバイス。
【請求項１７】
前記送信モジュールは、以下の動作、すなわち、
前記第1の端末デバイスによりサポートされる周波数に関する情報を前記第2の無線アクセスネットワークデバイスに送信すること、
前記第1の端末デバイスにより生成されたチャネルビジー比CBR測定結果を前記第2の無線アクセスネットワークデバイスに送信すること、
前記第1の端末デバイスの位置情報を前記第2の無線アクセスネットワークデバイスに送信すること、
ノード間同期情報を前記第2の無線アクセスネットワークデバイスに送信することであり、前記ノード間同期情報は、前記第1の無線アクセスネットワークデバイスと前記第2の無線アクセスネットワークデバイスとの間のシステムフレーム番号SFNオフセットに関する情報を示すために使用される、こと、又は
ネットワーク標準要求情報を前記第2の無線アクセスネットワークデバイスに送信することであり、前記ネットワーク標準要求情報は、前記第2の無線アクセスネットワークデバイスから前記伝送リソースに対応するネットワーク標準を要求するために使用される、こと
のうちいずれか1つ以上を実行するように更に構成される、請求項１６に記載の無線アクセスネットワークデバイス。
【請求項１８】
以下の情報、すなわち、前記トラフィックモデル情報、前記第1の端末デバイスによりサポートされる周波数に関する情報、CBR測定結果、前記第1の端末デバイスの位置情報、ノード間同期情報又はネットワーク標準要求情報のうちいずれか1つ以上がハンドオーバ要求で搬送され、
前記ハンドオーバ要求は、前記第1の無線アクセスネットワークデバイスにより前記第2の無線アクセスネットワークデバイスに送信される、請求項１６又は１７に記載の無線アクセスネットワークデバイス。
【請求項１９】
前記受信モジュールは、以下の動作、すなわち、
前記第2の無線アクセスネットワークデバイスにより送信されたネットワーク標準指示情報を受信することであり、前記ネットワーク標準指示情報は、前記伝送リソースに対応するネットワーク標準を示すために使用される、こと、又は
前記第2の無線アクセスネットワークデバイスにより送信された第3のリソース構成情報を受信することであり、前記第3のリソース構成情報は、以下の情報、すなわち、キャリアアグリゲーションCA構成情報又はデュプリケーション構成情報のうち少なくとも1つを含む、こと
を実行するように更に構成される、請求項１６乃至１８のうちいずれか１項に記載の無線アクセスネットワークデバイス。
【請求項２０】
無線アクセスネットワークデバイスであって、
当該無線アクセスネットワークデバイスは、具体的には第2の無線アクセスネットワークデバイスであり、前記第2の無線アクセスネットワークデバイスは、
第1の無線アクセスネットワークデバイスにより送信された第1の端末デバイスのトラフィックモデル情報を受信するように構成された受信モジュールと、
前記第1の端末デバイスの前記トラフィックモデル情報に基づいて、ハンドオーバプロセスにおいてサイドリンクSL上でデータを伝送するために前記第1の端末デバイスにより必要とされる伝送リソースを決定するように構成された処理モジュールであり、前記ハンドオーバプロセスは、前記第1の端末デバイスが前記第1の無線アクセスネットワークデバイスから前記第2の無線アクセスネットワークデバイスにハンドオーバされるプロセスであり、前記サイドリンクは、前記第1の端末デバイスと第2の端末デバイスとの間の通信リンクである、処理モジュールと、
第1のリソース構成情報を前記第1の無線アクセスネットワークデバイスに送信するように構成された送信モジュールであり、前記第1のリソース構成情報は前記伝送リソースを含む、送信モジュールと
を含む無線アクセスネットワークデバイス。
【請求項２１】
前記受信モジュールは、以下の動作、すなわち、
前記第1の無線アクセスネットワークデバイスにより送信された、前記第1の端末デバイスによりサポートされる周波数に関する情報を受信すること、
前記第1の無線アクセスネットワークデバイスにより送信された、前記第1の端末デバイスにより生成されたチャネルビジー比CBR測定結果を受信すること、
前記第1の無線アクセスネットワークデバイスにより送信された前記第1の端末デバイスの位置情報を受信すること、
前記第1の無線アクセスネットワークデバイスにより送信されたノード間同期情報を受信することであり、前記ノード間同期情報は、前記第1の無線アクセスネットワークデバイスと前記第2の無線アクセスネットワークデバイスとの間のシステムフレーム番号SFNオフセットに関する情報を示すために使用される、こと、又は
前記第1の無線アクセスネットワークデバイスにより送信されたネットワーク標準要求情報を受信することであり、前記ネットワーク標準要求情報は、前記第2の無線アクセスネットワークデバイスから前記伝送リソースに対応するネットワーク標準を要求するために使用される、こと
のうちいずれか1つ以上を実行するように更に構成される、請求項２０に記載の無線アクセスネットワークデバイス。
【請求項２２】
前記処理モジュールは、以下の動作、すなわち、
前記第1の端末デバイスによりサポートされる前記周波数に関する前記情報に基づいて、前記第1の端末デバイスのためのキャリアを構成すること、
前記CBR測定結果に基づいて、前記第1の端末デバイスのための前記伝送リソースの位置を決定すること、
前記第1の端末デバイスについて、前記第1の端末デバイスの前記位置情報に基づいて、前記第1の端末デバイスが位置するエリアに対応するリソース位置を決定すること、又は
前記ノード間同期情報に基づいて前記伝送リソースの時間ドメイン位置を修正すること
のうちいずれか1つ以上を実行するように更に構成される、請求項２１に記載の無線アクセスネットワークデバイス。
【請求項２３】
前記送信モジュールは、以下の動作、すなわち、
ネットワーク標準指示情報を前記第1の無線アクセスネットワークデバイスに送信することであり、前記ネットワーク標準指示情報は、前記伝送リソースに対応するネットワーク標準を示すために使用される、こと、又は
第3のリソース構成情報を前記第1の無線アクセスネットワークデバイスに送信することであり、前記第3のリソース構成情報は、以下の情報、すなわち、キャリアアグリゲーションCA構成情報又はデュプリケーション構成情報のうち少なくとも1つを含む、こと
を実行するように更に構成される、請求項２０乃至２２のうちいずれか１項に記載の無線アクセスネットワークデバイス。
【請求項２４】
端末デバイスであって、
当該端末デバイスは、具体的には第1の端末デバイスであり、前記第1の端末デバイスは、
前記第1の端末デバイスのトラフィックモデル情報を第1の無線アクセスネットワークデバイスに送信するように構成された送信モジュールと、
前記第1の無線アクセスネットワークデバイスにより送信された構成メッセージを受信するように構成された受信モジュールと、
前記構成メッセージに基づいて、第1のリソース構成情報、又は第1のリソース構成情報に基づいて前記第1の無線アクセスネットワークデバイスにより生成された第2のリソース構成情報を決定するように構成された処理モジュールであり、前記第1のリソース構成情報は、ハンドオーバプロセスにおいてサイドリンクSL上でデータを伝送するために前記第1の端末デバイスにより必要とされる伝送リソースを含み、前記ハンドオーバプロセスは、前記第1の端末デバイスが前記第1の無線アクセスネットワークデバイスから第2の無線アクセスネットワークデバイスにハンドオーバされるプロセスであり、前記サイドリンクは、前記第1の端末デバイスと第2の端末デバイスとの間の通信リンクであり、前記第2のリソース構成情報は、前記ハンドオーバプロセスにおいて前記サイドリンク上でデータを伝送するために前記第1の端末デバイスにより必要とされる前記伝送リソースを含む、処理モジュールと
を含み、
前記送信モジュールは、前記伝送リソースを使用することによりデータを前記第2の端末デバイスに伝送するように構成される、端末デバイス。
【請求項２５】
前記送信モジュールは、以下の動作、すなわち、
前記第1の端末デバイスによりサポートされる周波数に関する情報を前記第1の無線アクセスネットワークデバイスに送信すること、
前記第1の端末デバイスにより生成されたチャネルビジー比CBR測定結果を前記第1の無線アクセスネットワークデバイスに送信すること、
前記第1の端末デバイスの位置情報を前記第1の無線アクセスネットワークデバイスに送信すること、
ノード間同期情報を前記第1の無線アクセスネットワークデバイスに送信することであり、前記ノード間同期情報は、前記第1の無線アクセスネットワークデバイスと前記第2の無線アクセスネットワークデバイスとの間のシステムフレーム番号SFNオフセットに関する情報を示すために使用される、こと、又は
ネットワーク標準要求情報を前記第1の無線アクセスネットワークデバイスに送信することであり、前記ネットワーク標準要求情報は、前記第2の無線アクセスネットワークデバイスから前記伝送リソースに対応するネットワーク標準を要求するために使用される、こと
のうちいずれか1つ以上を実行するように更に構成される、請求項２４に記載の端末デバイス。
【請求項２６】
前記受信モジュールは、以下の動作、すなわち、
前記第1の無線アクセスネットワークデバイスにより送信されたネットワーク標準指示情報を受信することであり、前記ネットワーク標準指示情報は、前記伝送リソースに対応するネットワーク標準を示すために使用される、こと、又は
前記第1の無線アクセスネットワークデバイスにより送信された第3のリソース構成情報を受信することであり、前記第3のリソース構成情報は、以下の情報、すなわち、キャリアアグリゲーションCA構成情報又はデュプリケーション構成情報のうち少なくとも1つを含む、こと
を実行するように更に構成される、請求項２４又は２５に記載の端末デバイス。
【請求項２７】
前記送信モジュールは、以下の動作、すなわち、
前記第1の端末デバイスが伝送のためにモード3を使用するとき、前記構成メッセージが前記第1の端末デバイスにより受信される時点から前記第1の端末デバイスがハンドオーバされるセルが再構成される時点まで、前記伝送リソースを使用することによりデータを前記第2の端末デバイスに伝送すること、又は
前記第1の端末デバイスが伝送のためにモード4を使用するとき、前記構成メッセージが前記第1の端末デバイスにより受信される時点から検知されたリソースが前記第1の端末デバイスにより取得される時点まで、前記伝送リソースを使用することによりデータを前記第2の端末デバイスに伝送すること
を実行するように更に構成される、請求項２４乃至２６のうちいずれか１項に記載の端末デバイス。
【請求項２８】
前記第1の無線アクセスネットワークデバイスとコアネットワークデバイスとの間に通信接続が確立され、前記第2の無線アクセスネットワークデバイスと前記コアネットワークデバイスとの間に通信接続が確立され、
情報は、前記コアネットワークデバイスを使用することにより、前記第1の無線アクセスネットワークデバイスと前記第2の無線アクセスネットワークデバイスとの間で転送される、請求項２４乃至２７のうちいずれか１項に記載の端末デバイス。
【請求項２９】
前記トラフィックモデル情報は、以下の情報、すなわち、トラフィック周期情報、システムフレーム番号に対するトラフィックの時間オフセットに関する情報、サイドリンクデータパケット優先度PPPP情報、サイドリンクデータパケット信頼性PPPR情報又はトラフィックパケットサイズ情報のうちいずれか1つ以上を含む、請求項１６乃至２８のうちいずれか１項に記載のデバイス。
【請求項３０】
前記第2の無線アクセスネットワークデバイスの前記処理モジュールは、以下の動作、すなわち、
前記トラフィック周期情報に基づいて前記伝送リソースのリソース周期を決定すること、
前記システムフレーム番号に対する前記トラフィックの前記時間オフセットに関する前記情報に基づいて、開始システムフレーム番号に対する前記伝送リソースの時間ドメイン位置を決定すること、
前記PPPP情報に基づいて、前記伝送リソース上で搬送されるデータの優先度を決定すること、
前記PPPR情報に基づいて、前記伝送リソースに対応する信頼性要件及び前記伝送リソースに対応するチャネル品質を決定すること、又は
前記トラフィックパケットサイズ情報に基づいて、前記伝送リソース上で搬送されるトラフィックデータの量を決定すること
のうちいずれか1つ以上を実行するように更に構成される、請求項２９に記載のデバイス。
【請求項３１】
無線アクセスネットワークデバイスであって、
当該無線アクセスネットワークデバイスは、具体的には第1の無線アクセスネットワークデバイスであり、前記第1の無線アクセスネットワークデバイスは、メモリに結合され、前記メモリ内の命令を読み取り、前記命令を実行して請求項１乃至４のうちいずれか１項に記載の方法を実現するように構成された少なくとも1つのプロセッサを含む、無線アクセスネットワークデバイス。
【請求項３２】
当該無線アクセスネットワークデバイスは前記メモリを更に含む、請求項３１に記載の無線アクセスネットワークデバイス。
【請求項３３】
無線アクセスネットワークデバイスであって、
当該無線アクセスネットワークデバイスは、具体的には第2の無線アクセスネットワークデバイスであり、前記第2の無線アクセスネットワークデバイスは、メモリに結合され、前記メモリ内の命令を読み取り、前記命令を実行して請求項５乃至８のうちいずれか１項又は請求項１５に記載の方法を実現するように構成された少なくとも1つのプロセッサを含む、無線アクセスネットワークデバイス。
【請求項３４】
当該無線アクセスネットワークデバイスは前記メモリを更に含む、請求項３３に記載の無線アクセスネットワークデバイス。
【請求項３５】
端末デバイスであって、
当該端末デバイスは、具体的には第1の端末デバイスであり、前記第1の端末デバイスは、メモリに結合され、前記メモリ内の命令を読み取り、前記命令を実行して請求項９乃至１４のうちいずれか１項に記載の方法を実現するように構成された少なくとも1つのプロセッサを含む、端末デバイス。
【請求項３６】
当該端末デバイスは前記メモリを更に含む、請求項３５に記載の端末デバイス。
【請求項３７】
チップであって、
当該チップは、請求項１乃至４のうちいずれか１項に記載の方法を実行する際に第1の無線アクセスネットワークデバイスをサポートするように、請求項５乃至８のうちいずれか１項又は請求項１５に記載の方法を実行する際に第2の無線アクセスネットワークデバイスをサポートするように、或いは、請求項９乃至１４のうちいずれか１項に記載の方法を実行する際に第1の端末デバイスをサポートするように構成されたプロセッサを含む、チップ。
【請求項３８】
当該チップはメモリを更に含み、前記メモリは、前記第1の無線アクセスネットワークデバイス、前記第2の無線アクセスネットワークデバイス又は前記第1の端末デバイスのプログラム命令及びデータを記憶するように構成される、請求項３７に記載のチップ。
【請求項３９】
命令を含むコンピュータ読み取り可能記憶媒体であって、前記命令がコンピュータ上で実行されたとき、前記コンピュータは、請求項１乃至１５のうちいずれか１項に記載の方法を実行することが可能になる、コンピュータ読み取り可能記憶媒体。
【請求項４０】
命令を含むコンピュータプログラム製品であって、前記命令がコンピュータ上で実行されたとき、前記コンピュータは、請求項１乃至１５のうちいずれか１項に記載の方法を実行することが可能になる、コンピュータプログラム製品。
【国際調査報告】
2021535684.tif 000016
2021535684.tif 000017
2021535684.tif 000018
2021535684.tif 000019